(57)【要約】      （修正有）【課題】ＯＦＤＭＡランダムアクセスを使用する無線通信方法及び無線通信端末を提供する。【解決手段】無線通信端末は、ベース無線通信端末と無線で通信し、０からＯＦＤＭＡコンテンションウィンドウ（ＯＣＷ）の範囲内で選択した整数をランダムアクセスのためのカウンタとして設定する。無線通信端末は、ベーシック無線通信端末からランダムアクセスをトリガーするトリガーフレームを受信するＳ４１０１。無線通信端末は、ランダムアクセスに割り当てられたＲＵに基づいて、カウンタの値を減らし、カウンタの値が０になったとき、ランダムアクセスに割り当てられたＲＵを選択し、選択されたＲＵを使用して、ベース無線通信端末に対する送信を試みるＳ４１０３。【選択図】図４１
2020188510.tif 000002
【特許請求の範囲】
【請求項１】
ベース無線通信端末と無線で通信する無線通信端末であって、
送受信部と、
プロセッサとを含み、
前記プロセッサは、０からＯＦＤＭＡコンテンションウィンドウ（ＯＦＤＭＡ  ｃｏｎｔｅｎｔｉｏｎ  ｗｉｎｄｏｗ、ＯＣＷ）と同じであるか、または小さな範囲内で選択した整数をランダムアクセスのためのカウンタとして設定し、
前記送受信部を使用して、前記ベース無線通信端末からランダムアクセスに割り当てられた一つ以上の資源単位（Ｒｅｓｏｕｒｃｅ  Ｕｎｉｔ、ＲＵ）を使用するランダムアクセスをトリガーするトリガーフレームを受信し、
前記ランダムアクセスに割り当てられた一つ以上のＲＵと前記無線通信端末の能力とに基づいて前記カウンタの値を減らし、
前記カウンタの値が０であるか、または０になったとき、前記ランダムアクセスに割り当てられた前記一つ以上のＲＵのうち、前記無線通信端末が前記無線通信端末の前記能力に応じてトリガー基盤（ＴＢ）ＰＰＤＵを送信できるいずれか一つのＲＵを任意に選択し、
選択されたＲＵを使用して、前記ベース無線通信端末に対する送信を試み、
前記ＲＵは、上向き送信及び下向き送信に使用されることができる複数のサブキャリアのグループである
無線通信端末。
【請求項２】
前記プロセッサは、
前記ランダムアクセスに割り当てられた一つ以上のＲＵのうち、前記無線通信端末が前記無線通信端末の能力に応じてトリガー基盤ＰＰＤＵを送信できるＲＵの個数分だけ前記カウンタの値を減らす
請求項１に記載の無線通信端末。
【請求項３】
前記無線通信端末の能力は、無線通信端末が送信できる帯域幅に関する能力を含む
請求項１に記載の無線通信端末。
【請求項４】
前記無線通信端末の能力は、前記トリガー基盤ＰＰＤＵに含まれるパディングフィールドの長さに関する能力を含む
請求項１に記載の無線通信端末。
【請求項５】
前記無線通信端末の能力は、無線通信端末が送信できるモジュレーション及びコーディングスキームに関する能力を含む
請求項１に記載の無線通信端末。
【請求項６】
前記無線通信端末が、前記ベース無線通信端末と結合されない無線通信端末である場合、
前記プロセッサは、
前記ＯＣＷの最小値を表すパラメータであるＯＣＷ最小値を前記ＯＣＷ最小値のデフォルト値として予め指定された値に設定し、
前記ＯＣＷの最大値を表すパラメータであるＯＣＷ最大値を前記ＯＣＷ最大値のデフォルト値として予め指定された値に設定し、
前記ＯＣＷ最小値のデフォルト値として予め指定された値と前記ＯＣＷ最大値のデフォルト値として予め指定された値は、前記ベース無線通信端末により指定される値でない
請求項１に記載の無線通信端末。
【請求項７】
前記無線通信端末が、前記ベース無線通信端末と結合されない無線通信端末であり、前記無線通信端末が、前記ベース無線通信端末とは異なった異なるベース無線通信端末と通信する場合、前記プロセッサは、前記異なるベース無線通信端末に対するランダムアクセスのためのパラメータを初期化し、
前記ランダムアクセスのためのパラメータは、前記カウンタ、前記ＯＣＷの最小値を表すパラメータであるＯＣＷ最小値及び前記ＯＣＷの最大値を表すパラメータであるＯＣＷ最大値を含む
請求項１に記載の無線通信端末。
【請求項８】
前記無線通信端末が、前記ベース無線通信端末と結合されない無線通信端末である場合、
前記プロセッサは、
前記無線通信端末が前記ベース無線通信端末と通信する場合、前記ベース無線通信端末から受信した情報に応じて、前記ＯＣＷ最小値と前記ＯＣＷ最大値を設定し、
前記無線通信端末が前記異なるベース無線通信端末と通信する場合、前記ＯＣＷ最小値と前記ＯＣＷ最大値を前記異なるベース無線通信端末から受信した情報に応じて設定する
請求項７に記載の無線通信端末。
【請求項９】
前記無線通信端末が、多重ＢＳＳＩＤセットのノントランスミッティド（Ｎｏｎｔｒａｎｓｍｉｔｔｅｄ）Ｂａｓｉｃ  Ｓｅｒｖｉｃｅ  Ｓｅｔ  Ｉｄｅｎｔｉｆｉｃａｔｉｏｎ（ＢＳＳＩＤ）と該当するＢＳＳに結合される場合、
前記プロセッサは、前記多重ＢＳＳＩＤセットのトランスミッティド（ｔｒａｎｓｍｉｔｔｅｄ）ＢＳＳＩＤに該当するＢＳＳからのＵＬ  ＯＦＤＭＡ−ｂａｓｅｄ  Ｒａｎｄｏｍ  Ａｃｃｅｓｓ（ＵＯＲＡ）パラメータセットエレメントに応じて、前記ＯＣＷの最小値を表すパラメータであるＯＣＷ最小値と前記ＯＣＷの最大値を表すパラメータであるＯＣＷ最大値を設定し、
前記ＵＯＲＡパラメータセットは、前記カウンタに関連するパラメータを含む、
請求項１に記載の無線通信端末。
【請求項１０】
前記プロセッサは、
前記多重ＢＳＳＩＤセットの前記トランスミッティドＢＳＳＩＤに該当する前記ＢＳＳから送信されたトリガーフレームに基づいて、前記カウンタの前記値を減らさない
請求項９に記載の無線通信端末。
【請求項１１】
前記トランスミッティドＢＳＳＩＤに該当する前記ＢＳＳから受信した前記ＵＯＲＡパラメータセットは、前記無線通信端末が含まれたＢＳＳのために割り当てられたシグナリングフィールドに指示されるＵＯＲＡパラメータセットでない
請求項９に記載の無線通信端末。
【請求項１２】
前記トリガーフレームが前記無線通信端末の上向き送信をスケジューリングする場合、前記プロセッサは、前記トリガーフレームに基づいて前記カウンタの値を減らさない
請求項１に記載の無線通信端末。
【請求項１３】
ベース無線通信端末と無線で通信する無線通信端末の動作方法であって、
０からＯＦＤＭＡコンテンションウィンドウ（ＯＦＤＭＡ  ｃｏｎｔｅｎｔｉｏｎ  ｗｉｎｄｏｗ、ＯＣＷ）と同じであるか、または小さな範囲内で選択した整数をランダムアクセスのためのカウンタとして設定するステップと、
前記ベース無線通信端末からランダムアクセスに割り当てられた一つ以上の資源単位（Ｒｅｓｏｕｒｃｅ  Ｕｎｉｔ、ＲＵ）を使用するランダムアクセスをトリガーするトリガーフレームを受信するステップと、  前記ランダムアクセスに割り当てられた一つ以上のＲＵと前記無線通信端末の能力とに基づいて、前記カウンタの値を減らすステップと、
前記カウンタの値が０であるか、または０になったとき、前記ランダムアクセスに割り当てられた前記一つ以上のＲＵのうち、前記無線通信端末が前記無線通信端末の前記能力に応じてトリガー基盤（ＴＢ）ＰＰＤＵを送信できるいずれか一つのＲＵを任意に選択するステップと、
選択されたＲＵを使用して、前記ベース無線通信端末に対する送信を試みるステップとを含み、
前記ＲＵは、ＯＦＤＭ通信に使用される複数のサブキャリアのグループである
動作方法。
【請求項１４】
前記ランダムアクセスに割り当てられた一つ以上のＲＵと前記無線通信端末の能力に基づいて、前記カウンタの値を減らすステップは、
前記ランダムアクセスに割り当てられた一つ以上のＲＵのうち、前記無線通信端末が前記無線通信端末の能力に応じて前記トリガー基盤ＰＰＤＵを送信できるＲＵの個数分だけ前記カウンタの値を減らすステップを含む
請求項１３に記載の動作方法。
【請求項１５】
前記無線通信端末は、前記ベース無線通信端末と結合されない無線通信端末であって、
前記動作方法は、
前記ＯＣＷの最小値を表すパラメータであるＯＣＷ最小値を前記ＯＣＷ最小値のデフォルト値として予め指定された値に設定するステップと、
前記ＯＣＷの最大値を表すパラメータであるＯＣＷ最大値を前記ＯＣＷ最大値のデフォルト値として予め指定された値に設定するステップとをさらに含み、
前記ＯＣＷ最小値のデフォルト値として予め指定された値と前記ＯＣＷ最大値のデフォルト値として予め指定された値は、前記ベース無線通信端末により指定される値でない
請求項１３に記載の動作方法。
【発明の詳細な説明】
【技術分野】
【０００１】
本発明は、ＯＦＤＭＡランダムアクセスを使用する無線通信方法及び無線通信端末に関する。
【背景技術】
【０００２】
最近、モバイル機器の普及が拡大されるにつれ、これらに速い無線インターネットサービスを提供する無線ＬＡＮ（Ｗｉｒｅｌｅｓｓ  ＬＡＮ）技術が脚光を浴びている。無線ＬＡＮ技術は、近距離で無線通信技術に基づいてスマートフォン、スマートパッド、ラップトップコンピュータ、携帯型マルチメディアプレーヤー、組み込み（ｅｍｂｅｄｅｄ）機器などのようなモバイル機器を家庭や企業、または特定サービス提供地域で無線でインターネットに接続するようにする技術である。
【０００３】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１１は、２．４ＧＨｚの周波数を利用した初期の無線ＬＡＮ技術を支援した以来、多様な技術の標準を実用化または開発中である。まず、ＩＥＥＥ  ８０２．１１ｂは、２．４ＧＨｚバンドの周波数を使用しながら最高１１Ｍｂｐｓの通信速度を支援する。ＩＥＥＥ  ８０２．１１ｂの後に商用化されたＩＥＥＥ８０２．１１ａは、２．４ＧＨｚバンドではなく５ＧＨｚバンドの周波数を使用することで、相当混雑な２．４ＧＨｚバンドの周波数に比べ干渉に対する影響を減らしており、ＯＦＤＭ技術を使用して通信速度を最大５４Ｍｂｐｓまで向上させた。しかし、ＩＥＥＥ  ８０２．１１ａはＩＥＥＥ  ８０２．１１ｂに比べ通信距離が短い短所がある。そして、ＩＥＥＥ  ８０２．１１ｇはＩＥＥＥ  ８０２．１１ｂと同じく２．４ＧＨｚバンドの周波数を利用して最大５４Ｍｐｂｓの通信速度を具現し、下位互換性（ｂａｃｋｗａｒｄ  ｃｏｍｐａｔｉｂｉｌｉｔｙ）を満足しているため相当な注目を浴びたが、通信距離においてもＩＥＥＥ  ８０２．１１ａより優位にある。
【０００４】
そして、無線ＬＡＮで脆弱点として指摘されてきた通信速度に対する限界を克服するために制定された技術規格として、ＩＥＥＥ  ８０２．１１ｎがある。ＩＥＥＥ  ８０２．１１ｎはネットワークの速度と信頼性を増加し、無線ネットワークの運営距離を拡張するのにその目的がある。より詳しくは、ＩＥＥＥ  ８０２．１１ｎではデータの処理速度が最大５４０Ｍｐｂｓ以上の高処理率（Ｈｉｇｈ  Ｔｈｒｏｕｇｈｐｕｔ、ＨＴ）を支援し、また、伝送エラーを最小化しデータ速度を最適化するために送信部と受信部の両端共に多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤している。また、この規格はデータの信頼性を上げるために重複する写本を多数個伝送するコーディング方式を使用する。
【０００５】
無線ＬＡＮの普及が活性化され、またこれを利用したアプリケーションが多様化されるにつれ、ＩＥＥＥ  ８０２．１１ｎを支援するデータ処理速度より高い処理率（Ｖｅｒｙ  Ｈｉｇｈ  Ｔｈｒｏｕｇｈｐｕｔ、ＶＨＴ）を支援するための新たな無線ＬＡＮシステムに対する必要請が台頭された。このうち、ＩＥＥＥ  ８０２．１１ａｃは５ＧＨｚ周波数で広い帯域幅（８０ＭＨｚ〜１６０ＭＨｚ）を支援する。ＩＥＥＥ  ８０２．１１ａｃ標準は５ＧＨｚ帯域でのみ定義されていたが、従来の２．４ＧＨｚ帯域の製品との下位互換性のために、初期１１ａｃチップセットは２．４ＧＨｚ帯域での動作も支援する。理論的に、この規格によると、多重ステーションの無線ＬＡＮの速度は最小１Ｇｂｐｓ、最大単一リンクの速度は最小５００Ｍｂｐｓまで可能になる。これは、より広い無線周波数帯域幅（最大１６０ＭＨｚ）、より多いＭＩＭＯの空間的ストリーム（最大８個）、多重ユーザＭＩＭＯ、そして高い密度の変調（最大２５６ＱＡＭ）など、８０１．１１ｎで受け入れた無線インタフェース概念を拡張して行われる。また、従来の２．４ＧＨｚ／５ＧＨｚの代わりに６０ＧＨｚバンドを使用してデータを伝送する方式として、ＩＥＥＥ  ８０２．１１ａｄがある。ＩＥＥＥ  ８０２．１１ａｄはビームフォーミング技術を利用して最大７Ｇｂｐｓの速度を提供する伝送規格であって、大容量のデータや無圧縮ＨＤビデオなど高いビットレート動画のストリーミングに適合している。しかし、６０ＧＨｚの周波数バンドは障害物の通過が難しく、近距離空間におけるディバイス間でのみ使用可能な短所がある。
【０００６】
一方、最近では８０１．１１ａｃ及び８０２．１１ａｄ以降の次世代無線ＬＡＮの標準として、高密度環境での高効率及び高性能無線ＬＡＮの通信技術を提供するための論議が行われつつある。つまり、次世代無線ＬＡＮ環境では高密度のステーションとＡＰ（Ａｃｃｅｓｓ  Ｐｏｉｎｔ）の存在下で室内外で高い周波数効率の通信が提供されるべきであり、これを具現するために多様な技術が必要である。
【０００７】
特に、無線ＬＡＮを利用する装置の数が増えるにつれ、決められているチャネルを効率的に使用する必要がある。よって、複数のステーションとＡＰ間のデータ伝送を同時に行うようにして、帯域幅を効率的に使用する技術が求められている。
【発明の概要】
【発明が解決しようとする課題】
【０００８】
本発明の一実施形態は、ＯＦＤＭＡランダムアクセスを使用する無線通信端末を提供することを目的とする。
【課題を解決するための手段】
【０００９】
本発明の一実施形態によってベーシック無線通信端末と無線で通信する無線通信端末は、送受信部と、プロセッサとを含む。前記プロセッサは、０からＯＦＤＭＡコンテンションウィンドウ（ＯＦＤＭＡ  ｃｏｎｔｅｎｔｉｏｎ  ｗｉｎｄｏｗ、ＯＣＷ）と同じであるか、または小さな範囲内で選択した整数をランダムアクセスのためのカウンタとして設定し、前記送受信部を使用して、前記ベーシック無線通信端末からランダムアクセスに割り当てられた一つ以上の資源単位（Ｒｅｓｏｕｒｃｅ  Ｕｎｉｔ、ＲＵ）を使用するランダムアクセスをトリガーするトリガーフレームを受信する。前記プロセッサは、前記ランダムアクセスに割り当てられた一つ以上のＲＵに基づいて、前記カウンタの値を減らす。前記プロセッサは、前記カウンタの値が０であるか、または０になったとき、前記ランダムアクセスに割り当てられた一つ以上のＲＵを任意に選択し、選択されたＲＵを使用して、前記ベース無線通信端末に対する送信を試みる。このとき、前記ＲＵは、上向き送信及び下向き送信に使用されることができる複数のサブキャリアをグルーピングしたことでありうる。
【００１０】
前記プロセッサは、前記ランダムアクセスに割り当てられた一つ以上のＲＵと前記無線通信端末の能力（ｃａｐａｂｉｌｉｔｙ）に基づいて、前記カウンタの値を減らすことができる。
【００１１】
前記プロセッサは、前記ランダムアクセスに割り当てられた一つ以上のＲＵのうち、前記無線通信端末が前記無線通信端末の能力に応じてトリガー基盤ＰＰＤＵを送信できるＲＵの個数分だけ前記カウンタの値を減らすことができる。
【００１２】
前記プロセッサは、前記カウンタの値が０であるか、または０になったとき、前記ランダムアクセスに割り当てられ、前記無線通信端末が前記無線通信端末の能力に応じてトリガー基盤ＰＰＤＵを送信できるＲＵのうち、いずれか一つを任意に選択することができる。
【００１３】
前記無線通信端末の能力は、無線通信端末が送信できる帯域幅に関する能力を含むことができる。
【００１４】
前記無線通信端末の能力は、前記トリガー基盤ＰＰＤＵに含まれるパディングフィールドの長さに関する能力を含むことができる。
【００１５】
前記無線通信端末の能力は、無線通信端末が送信できるモジュレーション及びコーディングスキームに関する能力を含むことができる。
【００１６】
前記無線通信端末は、前記ベース無線通信端末と結合されない無線通信端末でありうる。前記プロセッサは、前記ＯＣＷの最小値を表すパラメータであるＯＣＷ最小値を前記ＯＣＷ最小値のデフォルト値として予め指定された値に設定し、前記ＯＣＷの最大値を表すパラメータであるＯＣＷ最大値を前記ＯＣＷ最大値のデフォルト値として予め指定された値に設定し、前記ＯＣＷ最小値のデフォルト値として予め指定された値と前記ＯＣＷ最大値のデフォルト値として予め指定された値は、前記ベース無線通信端末により指定される値でないことができる。
【００１７】
前記無線通信端末は、前記ベース無線通信端末と結合されない無線通信端末でありうる。前記プロセッサは、前記無線通信端末が前記ベース無線通信端末と異なるベース無線通信端末と通信する場合、前記異なる無線通信端末に対するランダムアクセスのためのパラメータを初期化することができる。このとき、前記ランダムアクセスのためのパラメータは、前記カウンタ、前記ＯＣＷの最小値を表すパラメータであるＯＣＷ最小値及び前記ＯＣＷの最大値を表すパラメータであるＯＣＷ最大値を含むことができる。
【００１８】
前記プロセッサは、前記無線通信端末が前記ベース無線通信端末と通信する場合、前記ベース無線通信端末から受信した情報に応じて、前記ＯＣＷ最小値と前記ＯＣＷ最大値を設定することができる。このとき、前記無線通信端末が前記異なるベース無線通信端末と通信する場合、前記ＯＣＷ最小値と前記ＯＣＷ最大値を前記異なるベース無線通信端末から受信した情報に応じて設定することができる。
【００１９】
前記無線通信端末は、前記ベース無線通信端末と結合されていることができる。このとき、前記無線通信端末は、前記ベース無線通信端末と異なるベース無線通信端末から受信した情報に応じて、前記ＯＣＷの最小値を表すパラメータであるＯＣＷ最小値と前記ＯＣＷの最大値を表すパラメータであるＯＣＷ最大値を設定することができる。また、前記異なるベース無線通信端末は、前記ベース無線通信端末が属する多重ＢＳＳＩＤ（Ｂａｓｉｃ  Ｓｅｒｖｉｃｅ  Ｓｅｔ  Ｉｄｅｎｔｉｆｉｃａｔｉｏｎ）セットに属することができる。
【００２０】
前記プロセッサは、前記異なるベース無線通信端末から送信されたトリガーフレームに基づいて、前記カウンタ値を減らさないことができる。
【００２１】
前記異なるベース無線通信端末は、前記多重ＢＳＳＩＤセットのトランスミッティド（ｔｒａｎｓｍｉｔｔｅｄ）ＢＳＳＩＤ（Ｂａｓｉｃ  Ｓｅｒｖｉｃｅ  Ｓｅｔ  Ｉｄｅｎｔｉｆｉｃａｔｉｏｎ）に該当するＢＳＳを運営する無線通信端末でありうる。
【００２２】
前記異なるベース無線通信端末から受信した情報は、前記無線通信端末が含まれたＢＳＳのために割り当てられたシグナリングフィールドに指示される情報でないことができる。
【００２３】
前記トリガーフレームが前記無線通信端末の上向き送信を指示する場合、前記プロセッサは、前記トリガーフレームに基づいて前記カウンタの値を減らさないことができる。
【００２４】
本発明の実施形態によってベーシック無線通信端末と無線で通信する無線通信端末の動作方法は、０からＯＦＤＭＡコンテンションウィンドウ（ＯＦＤＭＡ  ｃｏｎｔｅｎｔｉｏｎ  ｗｉｎｄｏｗ、ＯＣＷ）と同じであるか、または小さな範囲内で選択した整数をランダムアクセスのためのカウンタとして設定するステップと、前記ベーシック無線通信端末からランダムアクセスに割り当てられた一つ以上の資源単位（Ｒｅｓｏｕｒｃｅ  Ｕｎｉｔ、ＲＵ）を使用するランダムアクセスをトリガーするトリガーフレームを受信するステップと、前記ランダムアクセスに割り当てられた一つ以上のＲＵに基づいて、前記カウンタの値を減らすステップと、前記カウンタの値が０であるか、または０になったとき、前記ランダムアクセスに割り当てられた一つ以上のＲＵを任意に選択するステップと、選択されたＲＵを使用して、前記ベース無線通信端末に対する送信を試みるステップとを含むことができる。このとき、前記ＲＵは、上向き送信及び下向き送信に使用されることができる複数のサブキャリアをグルーピングしたことでありうる。
【００２５】
前記カウンタの値を減らすステップは、前記ランダムアクセスに割り当てられた一つ以上のＲＵと前記無線通信端末の能力に基づいて、前記カウンタの値を減らすステップを含むことができる。
【００２６】
前記ランダムアクセスに割り当てられた一つ以上のＲＵと前記無線通信端末の能力に基づいて、前記カウンタの値を減らすステップは、前記ランダムアクセスに割り当てられた一つ以上のＲＵのうち、前記無線通信端末が前記無線通信端末の能力に応じてトリガー基盤ＰＰＤＵを送信できるＲＵの個数分だけ前記カウンタの値を減らすステップを含むことができる。
【００２７】
前記ランダムアクセスに割り当てられた一つ以上のＲＵを任意に選択するステップは、前記ランダムアクセスに割り当てられ、前記無線通信端末が前記無線通信端末の能力に応じてトリガー基盤ＰＰＤＵを送信できるＲＵのうち、いずれか一つを任意に選択するステップを含むことができる。
【００２８】
前記無線通信端末は、前記ベース無線通信端末と結合されない無線通信端末でありうる。このとき、前記動作方法は、前記ＯＣＷの最小値を表すパラメータであるＯＣＷ最小値を前記ＯＣＷ最小値のデフォルト値として予め指定された値に設定するステップと、前記ＯＣＷの最大値を表すパラメータであるＯＣＷ最大値を前記ＯＣＷ最大値のデフォルト値として予め指定された値に設定するステップとをさらに含むことができる。また、前記ＯＣＷ最小値のデフォルト値として予め指定された値と前記ＯＣＷ最大値のデフォルト値として予め指定された値は、前記ベース無線通信端末により指定される値でないことができる。
【発明の効果】
【００２９】
本発明の一実施形態は、ＯＦＤＭＡランダムアクセスを使用する無線通信方法及びこれを利用する無線通信端末を提供する。
【図面の簡単な説明】
【００３０】
【図１】本発明の一実施例による無線ＬＡＮシステムを示す図である。
【図２】本発明の他の実施例による無線ＬＡＮシステムを示す図である。
【図３】本発明の一実施例によるステーションの構成を示すブロック図である。
【図４】本発明の一実施例によるアクセスポイントの構成を示すブロック図である。
【図５】本発明の一実施例によるステーションがアクセスポイントとリンクを設定する過程を概略的に示す図である。
【図６】本発明の実施形態にかかる無線通信端末のＵＬ  ＭＵ送信を示す。
【図７】本発明の実施形態にかかるトリガーフレームの具体的なフォーマットを示す。
【図８】本発明の実施形態にかかるトリガーフレームのＣｏｍｍｏｎ  ＩｎｆｏフィールドとＵｓｅｒ  Ｉｎｆｏフィールドの具体的なフォーマットを示す。
【図９】本発明の実施形態にかかる無線通信端末のランダムアクセス動作を示す。
【図１０】本発明の実施形態にかかるＵＯＲＡパラメータセットエレメントの具体的なフォーマットを示す。
【図１１】本発明の実施形態にかかるｍｕｌｔｉｐｌｅ  ＢＳＳＩＤエレメントの具体的なフォーマットを示す。
【図１２】多重ＢＳＳＩＤセットに結合された本発明の一実施形態にかかる無線通信端末のランダムアクセス動作を示す。
【図１３】多重ＢＳＳＩＤセットに結合された本発明の一実施形態にかかる無線通信端末のランダムアクセス動作を示す。
【図１４】本発明の実施形態にかかる２０ＭＨｚ帯域幅を有するＰＰＤＵを送信する時に使用できるＲＵの種類とサブキャリアインデックスを示す。
【図１５】本発明の実施形態にかかる４０ＭＨｚ帯域幅を有するＰＰＤＵを送信する時に使用できるＲＵの種類とサブキャリアインデックスを示す。
【図１６】本発明の実施形態にかかる８０ＭＨｚ帯域幅を有するＰＰＤＵを送信する時に使用できるＲＵの種類とサブキャリアインデックスを示す。
【図１７】本発明の実施形態にかかるトリガーフレームのＲＵ  ＡｌｌｏｃａｔｉｏｎサブフィールドでＲＵを指示するために使用されるエンコーディング値を示す。
【図１８】２０ＭＨｚ周波数帯域幅を有するＰＰＤＵのみを支援する無線通信端末が本発明の実施形態によってランダムアクセスを行う動作を示す。
【図１９】２０ＭＨｚ周波数帯域幅を有するＰＰＤＵのみを支援する無線通信端末が本発明の実施形態によってランダムアクセスを行う動作を示す。
【図２０】８０ＭＨｚ以下の周波数帯域幅を有するＰＰＤＵのみを支援する無線通信端末が本発明の実施形態によってランダムアクセスを行う動作を示す。
【図２１】８０ＭＨｚ以下の周波数帯域幅を有するＰＰＤＵのみを支援する無線通信端末が本発明の実施形態によってランダムアクセスを行う動作を示す。
【図２２】本発明の実施形態にかかる結合されない（ｕｎａｓｓｏｃｉａｔｅｄ）無線通信端末のランダムアクセス動作を示す。
【図２３】本発明の実施形態にかかる結合されない（ｕｎａｓｓｏｃｉａｔｅｄ）無線通信端末のランダムアクセス動作を示す。
【図２４】本発明の実施形態にかかる結合されない（ｕｎａｓｓｏｃｉａｔｅｄ）無線通信端末のランダムアクセス動作を示す。
【図２５】本発明の実施形態にかかる結合されない（ｕｎａｓｓｏｃｉａｔｅｄ）無線通信端末のランダムアクセス動作を示す。
【図２６】本発明の実施形態にかかる無線通信端末がトリガーフレームにより上向き送信がスケジューリングされた場合、無線通信端末のランダムアクセス動作を示す。
【図２７】本発明の実施形態にかかるレガシーＰＰＤＵフォーマットを示す。
【図２８】本発明の実施形態にかかるノン−レガシーＰＰＤＵフォーマットを示す。
【図２９】本発明の実施形態にかかるＨＥ  ｅｘｔｅｎｄｅｄ  ｒａｎｇｅ  ＳＵ  ＰＰＤＵの送信カバレッジ（ｃｏｖｅｒａｇｅ）とレガシーＰＰＤＵの送信カバレッジを示す。
【図３０】本発明の実施形態にかかるベース無線通信端末がデュアルビーコン送信動作を示す。
【図３１】本発明の実施形態にかかるＢＳＳ  Ｃｏｌｏｒ  Ｃｈａｎｇｅ  Ａｎｎｏｕｎｃｅｍｅｎｔエレメントのフォーマットを示す。
【図３２】本発明の実施形態にかかるベース無線通信端末がデュアルビーコンを使用する場合、ベース無線通信端末のＢＳＳカラー変更動作を示す。
【図３３】本発明のさらに他の実施形態にかかるベース無線通信端末がデュアルビーコンを使用する場合、ベース無線通信端末のＢＳＳカラー変更動作を示す。
【図３４】本発明のさらに他の実施形態にかかるベース無線通信端末がデュアルビーコンを使用する場合、ベース無線通信端末のＢＳＳカラー変更動作を示す。
【図３５】本発明の実施形態にかかるＡ−ＭＰＤＵのフォーマットを示す。
【図３６】本発明の実施形態にかかるＢｌｏｃｋＡｃｋの具体的なフォーマットを示す。
【図３７】本発明の実施形態にかかるＰｅｒ  ＳＴＡ  Ｉｎｆｏサブフィールドを示す。
【図３８】本発明の実施形態にかかるＰｅｒ  ＳＴＡ  Ｉｎｆｏサブフィールドのコンテキスト（ｃｏｎｔｅｘｔ）を示す。
【図３９】本発明の実施形態にかかるＡ−ＭＰＤＵ構成を示す。
【図４０】本発明の実施形態にかかるＡ−ＭＰＤＵ構成を示す。
【図４１】本発明の実施形態にかかる無線通信端末の動作を示す。
【発明を実施するための形態】
【００３１】
以下、添付した図面を参照し本発明の実施例について本発明が属する技術分野における通常の知識を有する者が容易に実施し得るように詳細に説明する。しかし、本発明は様々な異なる形態に具現されることができ、ここで説明する実施例に限らない。そして、図面において、本発明を明確にするために説明とは関係のない部分は省略しており、明細書全体にわたって類似した部分に対しては類似した図面符号をつけている。
【００３２】
また、ある部分がある構成要素を「含む」という際、これは特に反対する記載がない限り、他の構成要素を除くのではなく、他の構成要素を更に含むことを意味する。
【００３３】
本出願は、韓国特許出願第10-2016-0179781号（2016.12.27）、第10-2017-0000020号（2017.01.02）、第10-2017-0000437（2017.01.02）、第10-2017-0002195号（2017.01.06）及び第10-2017-0002720号（2017.01.09）を基礎とした優先順位を主張し、優先順位の基礎となる上記各出願に記述され、実施例と記載事項は、本出願の詳細な説明に含まれているものとする。
【００３４】
図１は、本発明の一実施例による無線ＬＡＮシステムを示す図である。無線ＬＡＮシステムは一つまたはそれ以上のベーシックサービスセット（Ｂａｓｉｃ  Ｓｅｒｖｉｃｅ  Ｓｅｔ、ＢＳＳ）を含むが、ＢＳＳとは無事に同期化を果たして互いに通信し得る機器の集合を示す。一般に、ＢＳＳはインフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ、ＩＢＳＳ）に区分されるが、図１はこのうちインフラストラクチャＢＳＳを示している。
【００３５】
図１に示したように、インフラストラクチャＢＳＳＢＳＳ１、ＢＳＳ２は、一つまたはそれ以上のステーションＳＴＡ１、ＳＴＡ２、ＳＴＡ３、ＳＴＡ４、ＳＴＡ５、分配サービス（Ｄｉｓｔｒｉｂｕｔｉｏｎ  Ｓｅｒｖｉｃｅ）を提供するステーションであるアクセスポイントＰＣＰ／ＡＰ−１、ＰＣＰ／ＡＰ−２、及び多数のアクセスポイントＰＣＰ／ＡＰ−１、ＰＣＰ／ＡＰ−２を連結する分配システム（Ｄｉｓｔｒｉｂｕｔｉｏｎ  Ｓｙｓｔｅｍ，  ＳＤ）を含む。
【００３６】
ステーション（ｓｔａｔｉｏｎ、ＳＴＡ）はＩＥＥＥ  ８０２．１１標準の基底に従う媒体接続制御（Ｍｅｄｉｕｍ  Ａｃｃｅｓｓ  Ｃｏｎｔｒｏｌ、  ＭＡＣ）と無線媒体に対する物理層（Ｐｈｙｓｉｃａｌ  Ｌａｙｅｒ）インタフェースを含む任意のディバイスであって、広い意味では非アクセスポイント（ｎｏｎ−ＡＰ）だけでなくアクセスポイント（ＡＰ）も含む。また、本明細書において、「端末」はｎｏｎ−ＡＰ  ＳＴＡまたはＡＰを指すか、両者を全て指す用語として使用される。無線通信のためのステーションはプロセッサ（Ｐｒｏｃｅｓｓｏｒ）と送受信部（ｔｒａｎｓｍｉｔ／ｒｅｃｅｉｖｅ  ｕｎｉｔ）を含み、実施例によってユーザインタフェース部とディスプレーユニットなどを更に含む。プロセッサは無線ネットワークによって伝送するフレームを生成するか、または前記無線ネットワークによって受信されたフレームを処理し、その他にもステーションを制御するための多様な処理をする。そして、送受信部は前記プロセッサと機能的に連結されており、ステーションのために無線ネットワークを介してフレームを送受信する。
【００３７】
アクセスポイント（Ａｃｃｅｓｓ  Ｐｏｉｎｔ、ＡＰ）は自らに結合されたステーションのために無線媒体を経由して分配システムＤＳに対する接続を提供する個体である。インフラストラクチャＢＳＳにおいて、非ＡＰステーション間の通信はＡＰを経由して行われることが原則であるが、ダイレクトリンクが設定された場合には非ＡＰステーション間での直接通信が可能になる。一方、本発明において、ＡＰはＰＣＰ（Ｐｅｒｓｏｎａｌ  ＢＳＳ  Ｃｏｏｒｄｉｎａｔｉｏｎ  Ｐｏｉｎｔ）を含むがねとして使用され、広い意味では集中制御器、基地局（Ｂａｓｅ  Ｓｔａｔｉｏｎ、ＧＳ）、ノードＢ、ＢＴＳ（Ｂａｓｅ  Ｔｒａｎｓｃｅｉｖｅｒ  Ｓｙｓｔｅｍ）、またはサイト制御器などの概念を全て含む。
【００３８】
複数のインフラストラクチャＢＳＳは分配システムを介して相互連結される。この際、分配システムを介して連結された複数のＢＳＳを拡張サービスセット（Ｅｘｔｅｎｄｅｄ  Ｓｅｒｖｉｃｅ  Ｓｅｔ、ＥＳＳ）とする。
【００３９】
図２は、本発明の他の実施例による無線ＬＡＮシステムである独立ＢＳＳを示す図である。図２の実施例において、図１の実施例と同じであるか相応する部分は重複する説明は省略する。
【００４０】
図２に示したＢＳＳ３は独立ＢＳＳであってＡＰを含まないため、全てのステーションＳＴＡ６、ＳＴＡ７がＡＰと接続されない状態である。独立ＢＳＳは分配システムとして接続が許容されず、自己完備的ネットワーク（ｓｅｌｆ−ｃｏｎｔａｉｎｅｄ  ｎｅｔｗｏｒｋ）を成す。独立ＢＳＳにおいて、それぞれのステーションＳＴＡ６、ＳＴＡ７はダイレクトで互いに連結される。
【００４１】
図３は、本発明の一実施例によるステーション１００の構成を示すブロック図である。
【００４２】
図示したように、本発明の実施例によるステーション１００は、プロセッサ１１０、送受信部１２０、ユーザインタフェース１４０、ディスプレーユニット１５０、及びメモリ１６０を含む。
【００４３】
まず、送受信部１２０は無線ＬＡＮパケットなどの無線信号を送受信し、ステーション１００に内装されているか外装として備われる。実施例によると、送受信部１２０は互いに異なる周波数バンドを利用する少なくとも一つの送受信モジュールを含む。例えば、前記送受信部１２０は２．４ＧＨｚ、５ＧＨｚ及び５０ＧＨｚなどの互いに異なる周波数バンドの送受信モジュールを含む。一実施例によると、ステーション１００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格によってＡＰまたは外部ステーションと無線通信を行う。送受信部１２０はステーション１００の性能及び要求事項によって一度に一つの送受信モジュールのみを動作させるか、同時に多数の送受信モジュールを共に動作させる。ステーション１００が複数の送受信モジュールを備える場合、各相受信モジュールはそれぞれ独立した形態に備えられてもよく、複数のモジュールが一つのチップに統合されて備えられてもよい。
【００４４】
次に、ユーザインタフェース部１４０はステーション１００に備えられて多様な形態の入出力手段を含む。つまり、ユーザインタフェース部１４０は多様な入力手段を利用してユーザの入力を受信し、プロセッサ１１０は受信されたユーザ入力に基づいてステーション１００を制御する。また、ユーザインタフェース部１４０は多様な出力手段を利用してプロセッサ１１０の命令に基づいて出力を行う。
【００４５】
次に、ディスプレーユニット１５０はディスプレー画面にイメージを出力する。前記ディスプレーユニット１５０はプロセッサ１１０によって行われるコンテンツまたはプロセッサ１１０の制御命令に基づいたユーザインタフェースなどの多様なディスプレーオブジェクトを出力する。また、メモリ１４０はステーション１１０で使用される制御プログラム及びそれによる各種データを貯蔵する。このような制御プログラムにはステーション１００がＡＰまたは外部ステーションと接続を行うが、必要な接続プログラムが含まれる。
【００４６】
本発明のプロセッサ１１０は多様な命令またはプログラムを行い、ステーション１００内部のデータをプロセスする。また、前記プロセッサ１１０は上述したステーション１００の各ユニットを制御し、ユニット間のデータ送受信を制御する。本発明の実施例によると、プロセッサ１１０は、メモリ１６０に貯蔵されたＡＰとの接続のためのプログラムを実行し、ＡＰが伝送した通信設定メッセージを受信する。また、プロセッサ１１０は通信設定メッセージに含まれたステーション１００の優先条件に関する情報を判読し、ステーション１００の優先条件に関する情報に基づいてＡＰに対する接続を要請する。本発明のプロセッサ１１０はステーション１００のメインコントロールユニットを指してもよく、実施例によってはステーション１００の一部構成、例えば、送受信部１２０などを個別的に制御するためのコントロールユニットを指してもよい。つまり、プロセッサ１１０は送受信部１２０から送受信される無線信号をモジュレーションするモジュレーション部またはデモジュレーション部（ＭＰＤＵｌａｔｏｒ  ａｎｄ／ｏｒ  ｄｅＭＰＤＵｌａｔｏｒ）である。プロセッサ１１０は本発明の実施例によるステーション１００の無線信号送受信の各種動作を制御する。これに対する具体的な実施例は後述する。
【００４７】
図３に示したステーション１００は本発明の一実施例によるブロック図であって、分離して示したブロックはディバイスのエレメントを論理的に区別して示したものである。よって、上述したディバイスのエレメントは、ディバイスの設計によって一つのチップまたは複数のチップで装着される。例えば、前記プロセッサ１１０及び送受信部１２０は一つのチップに統合されて具現されてもよく、別途のチップで具現されてもよい。また、本発明の実施例において、前記ステーション１００の一部構成、例えばユーザインタフェース部１４０及びディスプレーユニット１５０などはステーション１００に選択的に備えられる。
【００４８】
図４は、本発明の一実施例によるＡＰ２００の構成を示すブロック図である。
【００４９】
図示したように、本発明の一実施例によるＡＰ２００はプロセッサ２１０、送受信部２２０及びメモリ２６０を含む。図４において、ＡＰ２００の構成のうち図３のステーション１００の構成と同じであるか相応する部分に対しては重複した説明は省略する。
【００５０】
図４を参照すると、本発明によるＡＰ２００は少なくとも一つの周波数バンドでＢＳＳを運営するための送受信部２２０を備える。図３の実施例で説明したように、前記ＡＰ２００の送受信部２２０も互いに異なる周波数バンドを利用する複数の送受信モジュールを含む。つまり、本発明の実施例によるＡＰ２００は互いに異なる周波数バンド、例えば２．４ＧＨｚ、５ＧＨｚ、６０ＧＨｚのうち２つ以上の送受信モジュールを共に備える。好ましくは、ＡＰ２００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格に従ってステーションと無線通信を行う。前記送受信部２２０はＡＰ２００の性能及び要求事項に応じて一度に一つの送受信モジュールのみを動作させるか、同時に多数の送受信モジュールを共に動作させてもよい。
【００５１】
次に、メモリ２６０はＡＰ２００で使用される制御プログラム及びそれによる各種データを貯蔵する。このような制御プログラムにはステーションの接続を管理する管理プログラムが含まれる。また、プロセッサ２１０はＡＰ２００の各ユニットを制御し、ユニット間のデータ送受信を制御する。本発明の実施例によると、プロセッサ２１０はメモリ２６０に貯蔵されたステーションとの接続のためのプログラムを実行し、一つ以上のステーションに対する通信設定メッセージを伝送する。この際、通信設定メッセージには各ステーションの接続優先条件に関する情報が含まれる。また、プロセッサ２１０はステーションの接続要請に応じて接続設定を行う。一実施例によると、プロセッサ２１０は送受信部２２０から送受信される無線信号をモジュレーションするモジュレーション部またはデモジュレーション部である。プロセッサ２１０は本発明の実施例によるＡＰ２００の無線信号送受信の各種動作を制御する。これに対する具体的な実施例は後述する。
【００５２】
図５は、ＳＴＡがＡＰとリンクを設定する過程を概略的に示している。
【００５３】
図５を参照すると、ＳＴＡ１００とＡＰ２００間のリンクは大きくスキャニング（ｓｃａｎｎｉｎｇ)、認証（ａｕｔｈｅｎｔｉｃａｔｉｏｎ)、及び結合（ａｓｓｏｃｉａｔｉｏｎ)の３つのステップを介して設定される。まず、スキャニングステップは、ＡＰ２００が運営するＢＳＳのアクセス情報をＳＴＡ１００が獲得するステップである。スキャニングを行うための方法としては、ＡＰ２００が周期的に伝送するビーコン（ｂｅａｃｏｎ)メッセージＳ１０１のみを活用して情報を獲得するパッシブスキャニング（ｐａｓｓｉｖｅ  ｓｃａｎｎｉｎｇ)方法と、ＳＴＡ１０がＡＰにプローブ要請（ｐｒｏｂｅ  ｒｅｑｕｅｓｔ)を伝送しＳ１０３、ＡＰからプローブ応答（ｐｒｏｂｅ  ｒｅｓｐｏｎｓｅ)を受信してＳ１０５、アクセス情報を獲得するアクティブスキャニング（ａｃｔｉｖｅ  ａｃａｎｎｉｎｇ)方法がある。
【００５４】
スキャニングステップにおいて無線アクセス情報の受信に成功したＳＴＡ１００は、認証要請（ａｕｔｈｅｎｔｉｃａｔｉｏｎ  ｒｅｑｕｅｓｔ)を伝送しＳ１０７ａ、ＡＰ２００から認証応答（ａｕｔｈｅｎｔｉｃａｔｉｏｎ  ｒｅｓｐｏｎｓｅ)を受信してＳ１０７ｂ、認証ステップを行う。認証ステップが行われた後、ＳＴＡ１００は結合要請（ａｓｓｏｃｉａｔｉｏｎ  ｒｅｑｕｅｓｔ)を伝送しＳ１０９ａ、ＡＰ２００から結合応答（ａｓｓｏｃｉｔａｔｉｏｎ  ｒｅｓｐｏｎｓｅ)を受信してＳ１０９ｂ、結合ステップを行う。本明細書において、結合とは基本的に無線結合を意味するが、本発明はこれに限らず、広い意味での結合は無線結合及び有線結合を全て含む。
【００５５】
一方、追加的に８０２．１Ｘ基盤の認証ステップＳ１１１、及びＤＨＣＰを介したＩＰアドレス獲得ステップＳ１１３が行われる。図５において、認証サーバ３００はＳＴＡ１００と８０２．１Ｘ基盤の認証を処理するサーバであって、ＡＰ２００に物理的に結合されて存在するか、別途のサーバとして存在してもよい。
【００５６】
具体的な実施例ではAP（200）は、ad-hocネットワークのように、外部の分配サービス（Distribution Service）に接続されていない独立したネットワークでの通信媒体リソースを割り当ててスケジューリングを実行する無線通信端末であることができる。また、AP（200）は、ベースステーション（base station）、eNB、およびトランスミッションポイント（TP）のうちの少なくともいずれかであることができる。また、AP（200）は、ベースの無線通信端末と呼ばれることができる。
【００５７】
また、ベースの無線通信端末は、複数の無線通信端末との通信で通信媒体（medium）リソースを割り当ててスケジューリング（scheduling）する無線通信端末であることができる。具体的には、ベースの無線通信端末は、セルコーディネーター（cell coordinator）の役割を実行することができる。具体的な実施例では、ベースの無線通信端末は、ad-hocネットワークのように、外部の分配サービス（Distribution Service）に接続されていない独立したネットワークでの通信媒体リソースを割り当ててスケジューリングを実行する無線通信端末であることができる。
【００５８】
ベース無線通信端末は、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）またはＭＵ−ＭＩＭＯ（Ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ）を使用して、複数の無線通信端末と同時に通信できる。このとき、ベース無線通信端末は、複数の無線通信端末にトリガー情報を送信して複数の無線通信端末がＯＦＤＭＡを利用する上向き（Ｕｐｌｉｎｋ、ＵＬ）多重ユーザ（Ｍｕｌｔｉ  Ｕｓｅｒ、ＭＵ）送信を行うようにトリガーできる。これについては、図６を介して説明する。
【００５９】
図６は、本発明の実施形態にかかる無線通信端末のＵＬ  ＭＵ送信を示す。
【００６０】
ベース無線通信端末は、複数の無線通信端末にトリガー情報を送信して、複数の無線通信端末のＵＬ  ＭＵ送信をトリガーできる。具体的にベース無線通信端末は、複数の無線通信端末にトリガー情報を送信して、複数の無線通信端末が同時に即刻な応答フレームを送信するようにトリガーできる。このとき、即刻な応答は、同じＴＸＯＰ（Ｔｒａｎｓｍｉｓｓｉｏｎ  Ｏｐｐｏｒｔｕｎｉｔｙ）内でトリガー情報を受信した時から予め指定された時間内に応答フレームを送信することを表すことができる。このとき、一定時間は、８０２．１１標準で定義するＳＩＦＳ（Ｓｈｏｒｔ  Ｉｎｔｅｒ−Ｆｒａｍｅ  Ｓｐａｃｅ）でありうる。ベース無線通信端末は、トリガーフレームを使用して、トリガー情報を送信できる。また、ベース無線通信端末は、ＭＡＣヘッダを使用してトリガー情報を送信できる。
【００６１】
複数の無線通信端末は、トリガー情報に対する応答フレームをトリガー基盤（ｔｒｉｇｇｅｒ  ｂａｓｅｄ、ＴＢ）ＰＰＤＵを使用して送信できる。このとき、複数の無線通信端末は、トリガー情報を受信した時から一定時間後にトリガー基盤ＰＰＤＵを送信できる。また、複数の無線通信端末は、ＵＬ  ＯＦＤＭＡまたはＵＬ  ＭＵ−ＭＩＭＯのうち、少なくともいずれか一つを使用して、トリガー基盤ＰＰＤＵを送信できる。トリガー情報のトリガータイプがＭＵ−ＲＴＳ（Ｒｅｑｕｅｓｔ  Ｔｏ  Ｓｅｎｄ）フレームを介して送信される場合、複数の無線通信端末は、ｎｏｎ−ＨＴ  ＰＰＤＵを使用して、ＭＵ−ＲＴＳフレームに対する応答フレームを送信できる。
【００６２】
図６の実施形態において、ＡＰは、第１ステーションＳＴＡ１、第２ステーションＳＴＡ２、第３ステーションＳＴＡ３及び第４ステーションＳＴＡ４にトリガーフレームを送信する。第１ステーションＳＴＡ１、第２ステーションＳＴＡ２、第３ステーションＳＴＡ３及び第４ステーションＳＴＡ４トリガーフレームを受信する。第１ステーションＳＴＡ１、第２ステーションＳＴＡ２、第３ステーションＳＴＡ３及び第４ステーションＳＴＡ４は、トリガーフレームを受信した時からＳＩＦＳが経過した時にトリガー基盤ＰＰＤＵ（ＨＥ  ｔｒｉｇｇｅｒ−ｂａｓｅｄ  ＰＰＤＵ）を送信する。ＡＰは、トリガー基盤ＰＰＤＵ（ＨＥ  ｔｒｉｇｇｅｒ−ｂａｓｅｄ  ＰＰＤＵ）を受信し、第１ステーションＳＴＡ１、第２ステーションＳＴＡ２、第３ステーションＳＴＡ３及び第４ステーションＳＴＡ４にＡＣＫを送信する。
【００６３】
上述のようにベース無線通信端末は、トリガーフレームまたはＭＡＣヘッダを使用して、トリガー情報を送信できる。具体的にベース無線通信端末は、ＭＡＣヘッダのＵＬ  ＭＵ  Ｒｅｓｐｏｎｓｅ  Ｓｃｈｅｄｕｌｉｎｇ（ＵＭＲＳ）Ａ−Ｃｏｎｔｒｏｌサブフィールドを使用して、トリガー情報を送信できる。具体的な実施形態においてＵＭＲＳ  Ａ−Ｃｏｎｔｒｏｌサブフィールドを含むＭＡＣフレームを受信した無線通信端末は、ＵＭＲＳ  Ａ−Ｃｏｎｔｒｏｌサブフィールドに対する応答として、トリガー基盤ＰＰＤＵを送信する。また、トリガーフレームのＵｓｅｒ  Ｉｎｆｏフィールドが指示する無線通信端末は、トリガーフレームに対する応答として、トリガー基盤ＰＰＤＵを送信できる。トリガーフレームの具体的なフォーマットについては、図７を利用して具体的に説明する。
【００６４】
図７は、本発明の実施形態にかかるトリガーフレームの具体的なフォーマットを示す。
【００６５】
トリガーフレームは、Ｆｒａｍｅ  Ｃｏｎｔｒｏｌフィールド、Ｄｕｒａｔｉｏｎフィールド、ＲＡフィールド、ＴＡフィールド、Ｃｏｍｍｏｎ  Ｉｎｆｏフィールド、Ｕｓｅｒ  Ｉｎｆｏフィールド、Ｐａｄｄｉｎｇフィールド及びＦＣＳフィールドのうち、少なくともいずれか一つを含むことができる。トリガーフレームは、トリガータイプに応じて要請する応答が変わることができる。また、トリガーフレームが含むフィールドは、トリガータイプに応じて変わることができる。
【００６６】
ＲＡフィールドは、トリガーフレームの受信者アドレスを示す。トリガーフレームが一つの無線通信端末の送信をトリガーする場合、ＲＡフィールドは、該当無線通信端末は、ＭＡＣアドレスを指示できる。トリガーフレームが二つ以上の無線通信端末の送信をトリガーする場合、ＲＡフィールドは、ブロードキャスト（ｂｒｏａｄｃａｓｔ）アドレスを指示できる。トリガーフレームのトリガータイプがＧＣＲ  ＭＵ−ＢＡＲである場合、ＲＡフィールドは、トリガーフレームがトリガーする複数の無線通信端末に該当するグループアドレスを指示できる。
【００６７】
ＴＡフィールドは、トリガーフレームの送信者アドレスを表す。トリガーフレームを送信する無線通信端末がｍｕｌｔｉｐｌｅ  ＢＳＳＩＤを使用しない場合、ＴＡフィールドは、トリガーフレームを送信する無線通信端末のＭＡＣアドレスを指示できる。また、トリガーフレームを送信する無線通信端末がｍｕｌｔｉｐｌｅ  ＢＳＳＩＤを使用し、トリガーフレームがｍｕｌｔｉｐｌｅ  ＢＳＳＩＤ ｓｅｔの複数の無線通信端末をトリガーする場合、ＴＡフィールドは、トリガーフレームを送信する無線通信端末が属したｍｕｌｔｉｐｌｅ  ＢＳＳＩＤ ｓｅｔの トランスミッティド（ｔｒａｎｓｍｉｔｔｅｄ）ＢＳＳＩＤを指示できる。このとき、トランスミッティドＢＳＳＩＤは、多重ＢＳＳＩＤ ｓｅｔに含まれる他のＢＳＳに対した情報までシグナリングできるＢＳＳを表す。多重ＢＳＳＩＤセットに含まれるＢＳＳのうち、トランスミッティドＢＳＳＩＤに該当しないＢＳＳの識別子は、ノントランスミッティド（Ｎｏｎｔｒａｎｓｍｉｔｔｅｄ）ＢＳＳＩＤである。具体的にトランスミッティドＢＳＳＩＤに該当するＢＳＳを運営するベース無線通信端末は、ｍｕｌｔｉｐｌｅ  ＢＳＳＩＤエレメント使用してノントランスミッティドＢＳＳＩＤに該当するＢＳＳに対した情報をシグナリングできる。トランスミッティドＢＳＳＩＤに該当するＢＳＳから送信されるマネジメントフレームは、Ｍｕｌｔｉｐｌｅ  ＢＳＳＩＤエレメントを含むことができる。このとき、マネジメントフレームは、ビーコンフレームとプローブ応答フレームを含むことができる。また、トランスミッティドＢＳＳＩＤは、多重ＢＳＳＩＤセットごとに一つずつ存在できる。これについては、図１１を介して具体的に説明する。
【００６８】
Ｃｏｍｍｏｎ  Ｉｎｆｏフィールドは、トリガーフレームに対する応答を送信するために、トリガーフレームがトリガーする少なくとも一つの無線通信端末に共通に必要な情報を指示する。Ｕｓｅｒ  Ｉｎｆｏフィールドは、トリガーフレームに対する応答を送信するために、トリガーフレームが指示する複数の無線通信端末の各々に必要な情報を個別的に指示する。具体的にトリガーフレームは、複数のＵｓｅｒ  Ｉｎｆｏフィールドを含むことができる。ＣｏｍｍｏｎフィールドとＵｓｅｒ  Ｉｎｆｏフィールドの具体的なフォーマットについては、図８を介して説明する。
【００６９】
Ｐａｄｄｉｎｇフィールドは、パディングビットを含む。具体的にＰａｄｄｉｎｇフィールドは、トリガーフレームに対する応答フレームを送信する無線通信端末が応答フレーム送信を準備することができる時間を確保するのに役立つことができる。したがって、Ｐａｄｄｉｎｇフィールドの長さは、トリガーフレームに対する応答フレームを送信する無線通信端末の能力（ｃａｐａｂｉｌｉｔｙ）によって決定されることができる。また、トリガーフレームは、Ｐａｄｄｉｎｇフィールドを含まなくても良い。Ｐａｄｄｉｎｇフィールドは、予め指定された値でＰａｄｄｉｎｇフィールドの開始を指示できる。このとき、予め指定された値は、０ｘＦＦＦでありうる。また、予め指定された値を含むＰａｄｄｉｎｇフィールドを除いたＰａｄｄｉｎｇフィールドの残りのフィールドは、予め指定された値以外の値または予め指定された値を含むことができる。
トリガーフレームの具体的なフォーマットは、図７の実施形態のとおりである。
図８は、本発明の実施形態にかかるトリガーフレームのＣｏｍｍｏｎ  ＩｎｆｏフィールドとＵｓｅｒ  Ｉｎｆｏフィールドの具体的なフォーマットを示す。
【００７０】
具体的に本発明の実施形態にかかるＣｏｍｍｏｎ  ＩｎｆｏフィールドのフォーマットとＵｓｅｒ  Ｉｎｆｏフィールドのフォーマット各々は、図８（ａ）と図８（ｂ）のとおりでありうる。Ｕｓｅｒ  Ｉｎｆｏフィールドは、トリガーフレームがトリガーする無線通信端末を指示できる。具体的にＵｓｅｒ  Ｉｎｆｏフィールドが無線通信端末のＡＩＤ（Ａｓｓｏｃｉａｔｉｏｎ  Ｉｄｅｎｔｉｆｉｅｒ）または、ＡＩＤの一部を含む場合、ＡＩＤに該当する無線通信端末は、トリガーフレームが該当無線通信端末をトリガーすると判断できる。具体的な実施形態においてＵｓｅｒ  ＩｎｆｏフィールドのＡＩＤ１２サブフィールドは、トリガーフレームがトリガーする無線通信端末のＡＩＤのＬＳＢｓ（Ｌｅａｓｔ  Ｓｉｇｎｉｆｉｃａｎｔ  Ｂｉｔｓ）１２個を指示できる。
【００７１】
また、Ｕｓｅｒ  Ｉｎｆｏフィールドは、トリガーフレームがトリガーする無線通信端末に割り当てられた資源単位（Ｒｅｓｏｕｒｃｅ  Ｕｎｉｔ、ＲＵ）を表すことができる。ＲＵは、周波数帯域の大きさに応じて、上向き送信及び下向き送信のために使用することができる複数のサブキャリアをグルーピングしたことを表すことができる。このとき、上向き送信及び下向き送信では、ＯＦＤＭ、ＯＦＤＭＡ及びＭＵ−ＭＩＭＯのうち、少なくともいずれか一つが使用されることができる。また、グルーピングをサブチャネル化（ｓｕｂｃｈａｎｎｅｌｉｚａｔｉｏｎ）と称することができる。具体的な実施形態においてＲＵ  Ａｌｌｏｃａｔｉｏｎサブフィールドは、ＡＩＤ１２サブフィールドが指示する無線通信端末に割り当てられたＲＵを指示できる。
【００７２】
ベース無線通信端末は、トリガーフレームを使用して、任意の無線通信端末の上向き送信をトリガーできる。具体的にベース無線通信端末は、指定されたＲＵに対したランダムアクセスをトリガーできる。このとき、ベース無線通信端末は、トリガーフレームのＵｓｅｒ  Ｉｎｆｏフィールドが特定無線通信端末のＡＩＤの代わりに予め指定された値を指示するように設定できる。具体的な実施形態においてベース無線通信端末は、トリガーフレームのＵｓｅｒ  ＩｎｆｏフィールドのＡＩＤ１２サブフィールドを予め指定された値で設定できる。また、トリガーフレームのＵｓｅｒ  Ｉｎｆｏフィールドが特定無線通信端末のＡＩＤの代わりに予め指定された値を指示する場合、トリガーフレームを受信した無線通信端末は、該当Ｕｓｅｒ  Ｉｎｆｏフィールドが指示するＲＵにランダムアクセスできる。具体的な実施形態において無線通信端末が受信したトリガーフレームのＵｓｅｒ  ＩｎｆｏフィールドのＡＩＤ１２サブフィールドが予め指定された値を指示する場合、無線通信端末は、該当Ｕｓｅｒ  ＩｎｆｏフィールドのＲＵ  Ａｌｌｏｃａｔｉｏｎサブフィールドが指示するＲＵにランダムアクセスできる。予め指定された値は、０でありうる。また、予め指定された値は、２０４５でありうる。無線通信端末がトリガーフレームに基づいてランダムアクセスする具体的な動作について、図９を介して説明する。
【００７３】
図９は、本発明の実施形態にかかる無線通信端末のランダムアクセス動作を示す。
【００７４】
無線通信端末は、次のような動作を介してＯＦＤＭＡランダムアクセス動作を行うことができる。無線通信端末は、ＯＦＤＭＡコンテンションウィンドウ（ＯＦＤＭＡ  ｃｏｎｔｅｎｔｉｏｎ  ｗｉｎｄｏｗ、ＯＣＷ）内で任意の整数を選択する。具体的に無線通信端末は、０からＯＣＷと同じであるか、または小さな範囲内で任意の整数を選択できる。このとき、ＯＣＷは、正の整数であるＯＣＷ最小値（ＯＣＷｍｉｎ）と同じであるか、または大きく、ＯＣＷ最大値（ＯＣＷｍａｘ）と同じであるか、または小さくありうる。無線通信端末は、選択した数をＯＦＤＭＡランダムアクセスバックオフ（ＯＦＤＭＡ  ｒａｎｄｏｍ  ａｃｃｅｓｓ  ｂａｃｋｏｆｆ、ＯＢＯ）カウンタとして設定する。無線通信端末は、トリガーフレームを受信しトリガーフレームがランダムアクセスを指示するＲＵに基づいて、ＯＢＯカウンタを減らすことができる。具体的に、無線通信端末は、トリガーフレームを受信しトリガーフレームがランダムアクセスを指示するＲＵの個数分だけＯＢＯカウンタを減らすことができる。ＯＢＯカウンタが０であるか、またはＯＢＯカウンタが０になった場合、無線通信端末は、ランダムアクセスで指示されたＲＵのうち、いずれか一つを任意に選択して、選択したＲＵを介した送信を試みることができる。このとき、無線通信端末は、選択したＲＵがアイドルであるかどうかを判断し、選択したＲＵがアイドル（ｉｄｌｅ）である場合に、選択したＲＵを介してベース無線通信端末にベース無線通信端末に対して保留中である（ｐｅｎｄｉｎｇ）フレームを送信できる。また、無線通信端末が該当ＲＵが物理的キャリア感知（ｐｈｙｓｉｃａｌ  ｃａｒｒｉｅｒ  ｓｅｎｓｅ）と仮想キャリア感知（ｖｉｒｔｕａｌ  ｃａｒｒｉｅｒ  ｓｅｎｓｅ）のうち、いずれか一つでも使用中（ｂｕｓｙ）であると判断した場合、無線通信端末は、該当ＲＵが使用中であると判断できる。物理的キャリア感知は、ＣＣＡ（Ｃｌｅａｒ  Ｃｈａｎｎｅｌ  Ａｓｓｅｓｓｍｅｎｔ）を含むことができる。また、物理的キャリア感知は、エネルギー感知（Ｅｎｅｒｇｙ  Ｄｅｔｅｃｔ、ＥＤ）を含むことができる。無線通信端末が選択したＲＵが使用中であると判断した場合、無線通信端末は、ベース無線通信に対して保留中であるフレームを送信せずに、ＯＢＯカウンタを０に維持できる。
【００７５】
無線通信端末は、無線通信端末と結合された（ａｓｓｏｃｉａｔｅｄ）ベース無線通信端末がシグナリングするＯＢＯ関連パラメータ値に応じてＯＣＷｍｉｎとＯＣＷｍａｘを設定できる。また、無線通信端末が初めてランダムアクセスを試みるか、無線通信端末がベース無線通信端末がシグナリングするＯＢＯ関連パラメータを受信するか、または無線通信端末がランダムアクセスを介した送信が成功した時に無線通信端末は、ＯＢＯ手順を初期化できる。このとき、ＯＢＯ手順の初期化は、ＯＢＯカウンタの初期化とＯＣＷの初期化のうち、少なくともいずれか一つを含むことができる。また、無線通信端末がＯＣＷを初期化する時、無線通信端末は、ＯＣＷをＯＣＷｍｉｎに設定できる。無線通信端末のランダムアクセスを介した送信が失敗した場合、無線通信端末は、ＯＣＷの値を（２ｘＯＣＷ＋１）にアップデートできる。このとき、無線通信端末は、アップデートされたＯＣＷ内で任意の整数を選択し、選択した任意の整数をＯＢＯカウンタとして設定する。また、ＯＣＷの値がＯＣＷｍａｘに到達した場合、無線通信端末のランダムアクセスを介した送信が失敗した場合にも、無線通信端末は、ＯＣＷをＯＣＷｍａｘに維持できる。
【００７６】
図９の実施形態において、第１ステーションＳＴＡ１のＯＢＯカウンタは５で、第２ステーションＳＴＡ２のＯＢＯカウンタは１である。ＡＰは、第１ＲＵ（ＲＵ１）と第２ＲＵ（ＲＵ２）に対するランダムアクセスをトリガーするトリガーフレームを送信する。ランダムアクセスに割り当てられたＲＵの個数が２個であるから、第１ステーションＳＴＡ１は、ＯＢＯカウンタを２だけ減らして３に設定し、第２ステーションＳＴＡ２は、ＯＢＯカウンタを０に設定する。第２ステーションＳＴＡ２のＯＢＯカウンタが０になったので、第２ステーションＳＴＡ２は、ランダムアクセスに割り当てられた第１ＲＵ（ＲＵ１）と第２ＲＵ（ＲＵ２）のうち、いずれか一つを任意に選択して送信を試みる。第２ステーションＳＴＡ２がトリガーフレームを受信した時からＳＩＦＳ後に、第２ステーションＳＴＡ２は、任意に選択したＲＵを介してＡＰにトリガー基盤ＰＰＤＵを送信する。ＡＰは、第２ステーションＳＴＡ２からトリガー基盤ＰＰＤＵを受信する。ＡＰがトリガー基盤ＰＰＤＵを受信した時からＳＩＦＳ後に、ＡＰは、第２ステーションに第２ステーションが送信したフレームに対するＡＣＫを送信する。
【００７７】
ＡＰに対した送信が成功した第２ステーションＳＴＡ２は、ＯＣＷをＯＣＷｍｉｎに設定し、設定したＯＣＷ内で任意数を選択する。このとき、第２ステーションＳＴＡ２は６を選択し、６をＯＢＯカウンタとして設定する。ＡＰは、第１ＲＵ（ＲＵ１）、第２ＲＵ（ＲＵ２）及び第３ＲＵ（ＲＵ３）に対するランダムアクセスをトリガーするトリガーフレームを送信する。ランダムアクセスに割り当てられたＲＵの個数が３個であるから、第１ステーションＳＴＡ１は、ＯＢＯカウンタを３だけ減らして０に設定し、第２ステーションＳＴＡ２は、ＯＢＯカウンタを３だけ減らして、ＯＢＯカウンタを３に設定する。第１ステーションＳＴＡ１のＯＢＯカウンタが０になったので、第１ステーションＳＴＡ１は、トリガーフレームがランダムアクセスに割り当てられた第１ＲＵ（ＲＵ１）、第２ＲＵ（ＲＵ２）及び第３ＲＵ（ＲＵ３）のうち、いずれか一つを任意に選択して送信を試みる。第１ステーションＳＴＡ１がトリガーフレームを受信した時からＳＩＦＳ後に、第１ステーションＳＴＡ１は、任意に選択したＲＵを介してＡＰにトリガー基盤ＰＰＤＵを送信する。ＡＰは、第１ステーションＳＴＡ１からトリガー基盤ＰＰＤＵを受信する。ＡＰがトリガー基盤ＰＰＤＵを受信した時からＳＩＦＳ後に、ＡＰは、第１ステーションに第１ステーションが送信したフレームに対するＡＣＫを送信する。
【００７８】
上述のように無線通信端末は、無線通信端末と結合された（ａｓｓｏｃｉａｔｅｄ）ベース無線通信端末がシグナリングするＯＢＯ関連パラメータ値に応じてＯＣＷｍｉｎとＯＣＷｍａｘを設定できる。具体的に無線通信端末は、無線通信端末と結合された（ａｓｓｏｃｉａｔｅｄ）ベース無線通信端末からＯＢＯ関連パラメータ値を含むエレメントを受信することができる。このとき、エレメントは、ＵＯＲＡ（ＵＬ  ＯＦＤＭＡ−ｂａｓｅｄ  Ｒａｎｄｏｍ  Ａｃｃｅｓｓ）パラメータセットエレメントと称されることができる。ＵＯＲＡパラメータセットエレメントの具体的なフォーマットについては、図１０を介して説明する。
【００７９】
図１０は、本発明の実施形態にかかるＵＯＲＡパラメータセットエレメントの具体的なフォーマットを示す。
【００８０】
ＵＯＲＡパラメータセットエレメントは、Ｅｌｅｍｅｎｔ  ＩＤフィールド、Ｌｅｎｇｔｈフィールド、Ｅｌｅｍｅｎｔ  ＩＤ  Ｅｘｔｅｎｓｉｏｎフィールド及びＯＣＷ  Ｒａｎｇｅフィールドを含むことができる。Ｅｌｅｍｅｎｔ  ＩＤフィールドは、ＵＯＲＡパラメータセットエレメントを識別するエレメント識別子を指示する。Ｌｅｎｇｔｈフィールドは、ＵＯＲＡエレメントの長さを指示する。Ｅｌｅｍｅｎｔ  ＩＤ  Ｅｘｔｅｎｓｉｏｎフィールドは、エレメント識別子と共に組合わせられて、ＵＯＲＡパラメータセットエレメントの拡張識別子（ｅｘｔｅｎｄｅｄ  ＩＤ）を作るエクステンション識別子（ｅｘｔｅｎｔｉｏｎ  ＩＤ）を表す。ＯＣＷ  Ｒａｎｇｅフィールドは、ＯＣＷの範囲に関する情報を表す。
【００８１】
ＯＣＷ  Ｒａｎｇｅフィールドは、ＯＣＷｍｉｎとＯＣＷｍａｘに関する情報を含むことができる。具体的にＯＣＷ  Ｒａｎｇｅフィールドは、ＥＯＣＷｍｉｎフィールド、ＥＯＣＷｍａｘフィールド及びＲｅｓｅｒｖｅｄフィールドを含むことができる。このとき、無線通信端末は、ＥＯＣＷｍｉｎフィールドが指示する値に応じてＯＣＷｍｉｎを設定できる。具体的な実施形態において、無線通信端末は、ＯＣＷｍｉｎを２ＥＯＣＷｍｉｎ-１に設定できる。また、無線通信端末は、ＥＯＣＷｍａｘフィールドが指示する値に応じてＯＣＷｍａｘを設定できる。具体的な実施形態において、無線通信端末は、ＯＣＷｍａｘを２ＥＯＣＷｍａｘ-１に設定できる。
【００８２】
無線通信端末は、最も最近に受信したＵＯＲＡパラメータセットエレメントに応じてＯＣＷｍｉｎとＯＣＷｍａｘを設定できる。また、無線通信端末は、送信しようとするトラフィックのアクセスカテゴリー（Ａｃｃｅｓｓ  Ｃａｔｅｇｏｒｙ、ＡＣ）と関係無しで、最も最近に受信したＵＯＲＡパラメータセットエレメントに応じてＯＣＷｍｉｎとＯＣＷｍａｘを設定できる。ベース無線通信端末は、ビーコン（Ｂｅａｃｏｎ）フレームを使用して、ＵＯＲＡパラメータセットエレメントを送信できる。また、ベース無線通信端末は、プローブ応答（Ｐｒｏｂｅ  Ｒｅｓｐｏｎｓｅ）フレームを使用して、ＵＯＲＡパラメータセットエレメントを送信できる。
【００８３】
ＵＯＲＡパラメータセットエレメントの具体的なフォーマットは、図１０の通りでありうる。
【００８４】
一つのネットワーク内に複数の物理的アクセスポイントが存在する場合、複数のアクセスポイントが送信するマネジメント（ｍａｎａｇｅｍｅｎｔ）フレームにより、データ送信のためのフレームがチャネルを占有できる時間が極めて短くなることができる。したがって、ネットワークが一つのベース無線通信端末が複数のＢＳＳを運営できる。これについては、図１１を介して説明する。
【００８５】
図１１は、本発明の実施形態にかかるｍｕｌｔｉｐｌｅ  ＢＳＳＩＤエレメントの具体的なフォーマットを示す。
【００８６】
ベース無線通信端末は、一つのマネジメントフレームを送信して複数のＢＳＳに関する情報をシグナリングできる。具体的にベース無線通信端末は、一つのマネジメントフレームを送信して、多重（ｍｕｌｔｉｐｌｅ）ＢＳＳＩＤセットに含まれた複数のベーシックサービス識別子（ＢＳＳ  Ｉｄｅｎｔｉｆｉｅｒ、ＢＳＳＩＤ）に該当するＢＳＳ各々に関する情報をシグナリングできる。多重ＢＳＳＩＤセットは、一つのグループに分類される複数のＢＳＳ各々に該当するＢＳＳＩＤの集合（ｓｅｔ）である。ベーシック無線通信端末が多重ＢＳＳＩＤセットを利用する場合、無線通信端末は、一つのマネジメントフレームを送信して複数のＢＳＳに関する情報をシグナリングするから、データフレームがチャネルを占有できる時間を増やすことができる。具体的な実施形態において、無線通信端末は、多重ＢＳＳＩＤセットを代表するレファレンスＢＳＳＩＤをマネジメントフレームが表すＢＳＳ情報として設定し、マネジメントフレームに多重ＢＳＳＩＤセットに関する情報を挿入できる。多重ＢＳＳＩＤセットに関する情報は、多重ＢＳＳＩＤセットに含まれた複数のＢＳＳＩＤの最大個数と関連した情報を含むことができる。このとき、レファレンスＢＳＳＩＤは、多重ＢＳＳＩＤセットに含まれたＢＳＳＩＤを識別する時にレファレンスになるＢＳＳＩＤでありうる。具体的に多重ＢＳＳＩＤセットに関する情報は、図１１のｍｕｌｔｉｐｌｅ  ＢＳＳＩＤエレメントでありうる。このとき、多重ＢＳＳＩＤセットに関する情報は、サブエレメントを含むことができる。
【００８７】
多重ＢＳＳＩＤエレメントは、Ｅｌｅｍｅｎｔ  ＩＤフィールドを含むことができる。Ｅｌｅｍｅｎｔ  ＩＤフィールドは、多重ＢＳＳＩＤエレメントを表す識別子である。また、多重ＢＳＳＩＤエレメントは、Ｌｅｎｇｔｈフィールドを含むことができる。Ｌｅｎｇｔｈフィールドは、多重ＢＳＳＩＤエレメントの長さを表すフィールドである。また、多重ＢＳＳＩＤエレメントは、Ｍａｘ  ＢＳＳＩＤ  ｉｎｄｉｃａｔｏｒフィールドを表すことができる。このとき、Ｍａｘ  ＢＳＳＩＤ  ｉｎｄｉｃａｔｏｒフィールドは、多重ＢＳＳＩＤセットが含むことができる最大ＢＳＳＩＤ個数と関連した情報を表す。具体的にＭａｘ  ＢＳＳＩＤ  ｉｎｄｉｃａｔｏｒフィールドが表す値がｎである場合、多重ＢＳＳＩＤセットが含むことができる最大ＢＳＳＩＤの個数は、２ｎ個でありうる。このとき、最大ＢＳＳＩＤの個数は、レファレンスＢＳＳＩＤを含む個数である。
【００８８】
また、多重ＢＳＳＩＤエレメントは、Ｏｐｔｉｏｎａｌ  Ｓｕｂｅｌｅｍｅｎｔｓフィールドを含むことができる。Ｏｐｔｉｏｎａｌ  Ｓｕｂｅｌｅｍｅｎｔｓは、ノントランスミッティド（Ｎｏｎｔｒａｎｓｍｉｔｔｅｄ）ＢＳＳＩＤが表すＢＳＳに関する情報を含むことができる。ノントランスミッティドＢＳＳＩＤは、レファレンスＢＳＳＩＤ以外に多重ＢＳＳＩＤセットに含まれたＢＳＳＩＤを表す。具体的にＯｐｔｉｏｎａｌ  Ｓｕｂｅｌｅｍｅｎｔｓフィールドは、ノントランスミッティドＢＳＳＩＤが表すＢＳＳに関する情報であるノントランスミッティドＢＳＳＩＤプロファイル（ｐｒｏｆｉｌｅ）を含むことができる。Ｏｐｔｉｏｎａｌ  Ｓｕｂｅｌｅｍｅｎｔｓフィールドは、一部ノントランスミッティドＢＳＳＩＤが表すＢＳＳに関する情報だけを含むことができる。このとき、無線通信端末は、ビーコンフレームまたはプローブ応答フレームに基づいて、残りのノントランスミッティドＢＳＳＩＤが表すＢＳＳに関する情報を獲得できる。
【００８９】
ノントランスミッティドＢＳＳＩＤが表すＢＳＳに関する情報は、ノントランスミッティドＢＳＳＩＤ  Ｃａｐａｂｉｌｉｔｙエレメント及びビーコンフレームボディーに含まれることができるエレメントでありうる。具体的にビーコンフレームボディーに含まれることができるエレメントは、ＳＳＩＤ、ｍｕｌｔｉｐｌｅ  ＢＳＳＩＤ−ｉｎｄｅｘサブエレメント、ＦＭＤ  Ｄｅｓｃｒｉｐｔｏｒエレメントのうち、少なくともいずれか一つでありうる。また、ノントランスミッティドＢＳＳＩＤが表すＢＳＳに関する情報のうち、レファレンスＢＳＳＩＤが表すＢＳＳの情報と同じ情報は省略されることができる。具体的にノントランスミッティドＢＳＳＩＤが表すＢＳＳのＴｉｍｅｓｔａｍｐ  ａｎｄ  Ｂｅａｃｏｎ  Ｉｎｔｅｒｖａｌフィールド、ＤＳＳＳ  Ｐａｒａｍｅｔｅｒ  Ｓｅｔ、ＩＢＳＳ  Ｐａｒａｍｅｔｅｒ  Ｓｅｔ、Ｃｏｕｎｔｒｙ、Ｃｈａｎｎｅｌ  Ｓｗｉｔｃｈ  Ａｎｎｏｕｎｃｅｍｅｎｔ、Ｅｘｔｅｎｄｅｄ  Ｃｈａｎｎｅｌ  Ｓｗｉｔｃｈ  Ａｎｎｏｕｎｃｅｍｅｎｔ、Ｗｉｄｅ  Ｂａｎｄｗｉｄｔｈ  Ｃｈａｎｎｅｌ  Ｓｗｉｔｃｈ、Ｔｒａｎｓｍｉｔ  Ｐｏｗｅｒ  Ｅｎｖｅｌｏｐｅ、Ｓｕｐｐｏｒｔｅｄ  Ｏｐｅｒａｔｉｎｇ  Ｃｌａｓｓｅｓ、ＩＢＳＳ  ＤＦＳ、ＥＲＰ  Ｉｎｆｏｒｍａｔｉｏｎ、ＨＴ  Ｃａｐａｂｉｌｉｔｉｅｓ、ＨＴ  Ｏｐｅｒａｔｉｏｎ、ＶＨＴ  Ｃａｐａｂｉｌｉｔｉｅｓ、およびＶＨＴ  Ｏｐｅｒａｔｉｏｎエレメントのうち、少なくともいずれか一つは、レファレンスＢＳＳＩＤが表すＢＳＳと同一でありうる。
また、Ｏｐｔｉｏｎａｌサブエレメントフィールドは、ｖｅｎｄｏｒ  ｓｐｅｃｉｆｉｃエレメントを含むことができる。
【００９０】
多重ＢＳＳＩＤセットに関する情報を含むマネジメントフレームを受信する無線通信端末は、マネジメントフレームから多重ＢＳＳＩＤセットに関する情報を獲得できる。このとき、無線通信端末は、多重ＢＳＳＩＤセットに関する情報とレファレンスＢＳＳＩＤに基づいて、多重ＢＳＳＩＤセットに含まれたＢＳＳＩＤを獲得できる。具体的に無線通信端末は、多重ＢＳＳＩＤセットに含まれたＢＳＳＩＤを次の式を介して獲得できる。
ＢＳＳＩＤ（ｉ）＝ＢＳＳＩＤ＿Ａ｜ＢＳＳＩＤ＿Ｂ
【００９１】
このとき、ＢＳＳＩＤ＿Ａは、（４８-ｎ）個の最上位ビット（Ｍｏｓｔ  Ｓｉｇｎｉｆｉｃａｎｔ  Ｂｉｔ、ＭＳＢ）値がレファレンスＢＳＳＩＤの（４８-ｎ）個のＭＳＢ値と同一で、ｎ個の最下位ビット（Ｌｅａｓｔ  ＳｉｇｎｉｆｉｃａｎｔＢｉｔ、ＬＳＢ）値が０であるＢＳＳＩＤである。また、ＢＳＳＩＤ＿Ｂは、（４８-ｎ）個のＭＳＢの値が０で、ｎ個のＬＳＢ値がレファレンスＢＳＳＩＤのｎ個のＬＳＢとｉの合計を２ｎで割り算する時に余り（ｍｏｄ）であるＢＳＳＩＤである。
【００９２】
また、ベース無線通信端末は、Ｏｐｅｒａｔｉｏｎエレメントを使用して、多重ＢＳＳＩＤセットに関する情報をシグナリングできる。Ｏｐｅｒａｔｉｏｎエレメントは、ＭａｘＢＳＳＩＤ  ＩｎｄｉｃａｔｏｒフィールドとＴｘ  ＢＳＳＩＤ  Ｉｎｄｉｃａｔｏｒフィールドを含むことができる。ＭａｘＢＳＳＩＤ  Ｉｎｄｉｃａｔｏｒフィールドは、ｍｕｌｔｉｐｌｅ  ＢＳＳＩＤエレメントのＭＡＸ  ＢＳＳＩＤ  Ｉｎｄｉｃａｔｏｒフィールドと同じ情報を表すことができる。したがって、無線通信端末は、ｍｕｌｔｉｐｌｅ  ＢＳＳＩＤエレメントのＭＡＸ  ＢＳＳＩＤ  Ｉｎｄｉｃａｔｏｒフィールドを使用して、マネジメントフレームが送信されたＢＳＳのＢＳＳＩＤを獲得する方法と同じ方法でＭａｘＢＳＳＩＤ  Ｉｎｄｉｃａｔｏｒフィールドを使用して、マネジメントフレームが送信されたＢＳＳのＢＳＳＩＤを獲得できる。Ｔｘ  ＢＳＳＩＤ  Ｉｎｄｉｃａｔｏｒフィールドは、Ｏｐｅｒａｔｉｏｎエレメントを含むマネジメントフレームが送信されたＢＳＳがノントランスミッティドＢＳＳＩＤに該当するかどうかを表す。具体的にＴｘ  ＢＳＳＩＤ  Ｉｎｄｉｃａｔｏｒフィールドが１である場合、Ｏｐｅｒａｔｉｏｎエレメントを含むマネジメントフレームが送信されたＢＳＳは、トランスミッティドＢＳＳＩＤに該当する。Ｔｘ  ＢＳＳＩＤ  Ｉｎｄｉｃａｔｏｒフィールドが０である場合、Ｏｐｅｒａｔｉｏｎエレメントを含むマネジメントフレームが送信されたＢＳＳは、ノントランスミッティドＢＳＳＩＤに該当する。
【００９３】
また、無線通信端末は、マネジメントフレームのＣａｐａｂｉｌｉｔｉｅｓ  ｅｌｅｍｅｎｔを使用して、多重ＢＳＳＩＤセットと関連した能力（ｃａｐａｂｉｌｉｔｙ）に関する情報をシグナリングできる。具体的に無線通信端末は、マネジメントフレームのＣａｐａｂｉｌｉｔｉｅｓ  ｅｌｅｍｅｎｔを使用して、Ｒｘ  Ｃｏｎｔｒｏｌ  Ｆｒａｍｅ  ｔｏ  ＭｕｌｔｉＢＳＳフィールドを送信できる。Ｒｘ  Ｃｏｎｔｒｏｌ  Ｆｒａｍｅ  ｔｏ  ＭｕｌｔｉＢＳＳフィールドは、無線通信端末がノントランスミッティドＢＳＳＩＤに該当するＢＳＳに結合されたとき、トランスミッティドＢＳＳＩＤから送信されたフレームを受信することができるかどうかを表すことができる。具体的にＲｘ  Ｃｏｎｔｒｏｌ  Ｆｒａｍｅ  ｔｏ  ＭｕｌｔｉＢＳＳフィールドは、無線通信端末がノントランスミッティドＢＳＳＩＤに該当するＢＳＳに結合されたとき、トランスミッティドＢＳＳＩＤから送信されたコントロールフレームを受信することができるかどうかを表すことができる。
【００９４】
無線通信端末が含まれたＢＳＳが多重ＢＳＳＩＤセットに該当する場合、無線通信端末のＯＦＤＭＡランダムアクセス動作が問題になる。多重ＢＳＳＩＤセットに含まれたＢＳＳは、形式的に異なるＢＳＳであるが、多重ＢＳＳＩＤセットを使用する目的により特定無線通信端末の動作では、多重ＢＳＳＩＤセットに含まれたＢＳＳは、同じＢＳＳ（Ｉｎｔｒａ−ＢＳＳ）として取り扱われることができるためである。また、トランスミッティドＢＳＳＩＤから送信されるトリガーフレームは、ノントランスミッティドＢＳＳＩＤに該当するＢＳＳに含まれた無線通信端末の上向き送信をトリガーできるためである。具体的にＯＢＯ関連パラメータ設定、ＯＢＯ手順初期化、ＯＢＯカウンタ減少動作、ランダムアクセスするＲＵ選択と関連した無線通信端末の動作が問題になる。
【００９５】
無線通信端末のＢＳＳが多重ＢＳＳＩＤセットに含まれ、無線通信端末がノントランスミッティドＢＳＳＩＤに該当するＢＳＳに結合された場合、無線通信端末は、トランスミッティドＢＳＳＩＤが送信するＵＯＲＡパラメータセットに基づいて、ＯＢＯ関連パラメータを設定できる。無線通信端末のＢＳＳが多重ＢＳＳＩＤセットに含まれ、無線通信端末がノントランスミッティドＢＳＳＩＤに該当するＢＳＳに結合された場合、無線通信端末は、トランスミッティドＢＳＳＩＤが送信するＵＯＲＡパラメータセットに応じてＯＣＷｍｉｎ、ＯＣＷｍａｘをアップデートできる。このような実施形態においてＵＯＲＡパラメータセットは、ノントランスミッティドＢＳＳＩＤ  Ｐｒｏｆｉｌｅに含まれたものでなくても良い。また、ＵＯＲＡパラメータセットは、多重ＢＳＳＩＤセットに含まれた少なくとも一つの他のＢＳＳにも共通に適用されるものでありうる。したがって、無線通信端末のＢＳＳが多重ＢＳＳＩＤセットに含まれ、無線通信端末がノントランスミッティドＢＳＳＩＤに該当するＢＳＳに結合された場合、無線通信端末は、トランスミッティドＢＳＳＩＤにより送信されるＵＯＲＡパラメータセットに応じてＯＢＯ関連パラメータを設定できる。また、無線通信端末のＢＳＳが多重ＢＳＳＩＤセットに含まれ、無線通信端末がノントランスミッティドＢＳＳＩＤに該当するＢＳＳに結合された場合、無線通信端末が結合されたＢＳＳに該当するノントランスミッティドＢＳＳＩＤ  ＰｒｏｆｉｌｅサブエレメントがＵＯＲＡパラメータセットエレメントを含まないことができる。このようにノントランスミッティドＢＳＳＩＤ  ＰｒｏｆｉｌｅサブエレメントがＵＯＲＡパラメータセットエレメントを含まない場合、無線通信端末は、トランスミッティドＢＳＳＩＤにより送信されるＵＯＲＡパラメータセットに応じて、ＯＢＯ関連パラメータを設定できる。
【００９６】
ベース無線通信端末がトランスミッティドＢＳＳＩＤに該当するＢＳＳからマネジメントフレームを送信する時、ベース無線通信端末は、トランスミッティドＢＳＳＩＤにより送信されるＵＯＲＡパラメータセットを使用して、多重ＢＳＳＩＤセットに該当する複数のＢＳＳの無線通信端末が使用するＯＢＯ関連パラメータをシグナリングできる。また、ベース無線通信端末がトランスミッティドＢＳＳＩＤに該当するＢＳＳからマネジメントフレームを送信する時、ベース無線通信端末は、ノントランスミッティドＢＳＳＩＤ  Ｐｒｏｆｉｌｅサブエレメントを使用して、ノントランスミッティドＢＳＳＩＤに該当するＢＳＳの無線通信端末に多重ＢＳＳＩＤセットの他のＢＳＳと別にＯＢＯ関連パラメータをシグナリングできる。このような実施形態を介してベース無線通信端末は、多重ＢＳＳＩＤセットに該当するＢＳＳに含まれた複数の無線通信端末にＯＢＯ関連パラメータを效率的にシグナリングできる。
【００９７】
上述のように無線通信端末がベース無線通信端末からＯＢＯ関連パラメータに対する情報をシグナリングされるとき、無線通信端末は、ＯＢＯ手順を初期化できる。したがって、無線通信端末のＢＳＳが多重ＢＳＳＩＤセットに含まれ、無線通信端末がノントランスミッティドＢＳＳＩＤに該当するＢＳＳに結合された場合、無線通信端末がトランスミッティドＢＳＳＩＤが送信するＵＯＲＡパラメータセットを受信したとき、無線通信端末は、ＯＢＯ手順を初期化できる。無線通信端末のＢＳＳが多重ＢＳＳＩＤセットに含まれ、無線通信端末がノントランスミッティドＢＳＳＩＤに該当するＢＳＳに結合された場合、無線通信端末は、トランスミッティドＢＳＳＩＤにより送信されるＵＯＲＡパラメータセットを受信した時に、無線通信端末は、ＯＢＯ手順を初期化できる。また、無線通信端末のＢＳＳが多重ＢＳＳＩＤセットに含まれ、無線通信端末がノントランスミッティドＢＳＳＩＤに該当するＢＳＳに結合された場合、無線通信端末が結合されたＢＳＳに該当するノントランスミッティドＢＳＳＩＤ  ＰｒｏｆｉｌｅサブエレメントがＵＯＲＡパラメータセットエレメントを含まないことができる。このとき、無線通信端末は、ＯＢＯ手順を初期化できる。具体的な実施形態において無線通信端末がＯＢＯ手順を初期化する時、無線通信端末は、ＯＣＷをＯＣＷｍｉｎに設定し、ＯＢＯカウンタをＯＣＷ内で任意に選択できる。
【００９８】
トリガーフレームの送信者アドレス（Ｔｒａｎｓｍｉｔｔｅｒ  Ａｄｄｒｅｓｓ、ＴＡ）が無線通信端末が結合されたＢＳＳのＢＳＳＩＤである場合、無線通信端末は、トリガーフレームが指示するＲＵに基づいて、ＯＢＯカウンタを減らすことができる。したがって、無線通信端末のＢＳＳが多重ＢＳＳＩＤセットに含まれる場合にも、無線通信端末は、トリガーフレームの送信者アドレス（Ｔｒａｎｓｍｉｔｔｅｒ  Ａｄｄｒｅｓｓ、ＴＡ）が無線通信端末が結合されたＢＳＳのＢＳＳＩＤである場合に、トリガーフレームが指示するＲＵに基づいて、ＯＢＯカウンタを減らすことができる。具体的に無線通信端末のＢＳＳが多重ＢＳＳＩＤセットに含まれ、トリガーフレームの送信者アドレスがトランスミッティドＢＳＳＩＤである場合、ノントランスミッティドＢＳＳＩＤを有するＢＳＳに結合された無線通信端末は、該当トリガーフレームが指示するＲＵに基づいて減らすことができない。また、無線通信端末のＢＳＳが多重ＢＳＳＩＤセットに含まれ、トリガーフレームの送信者アドレスがノントランスミッティドＢＳＳＩＤである場合、トランスミッティドＢＳＳＩＤを有するＢＳＳに結合された無線通信端末は、該当トリガーフレームが指示するＲＵに基づいて減らすことができない。
【００９９】
さらに他の具体的な実施形態において、トリガーフレームの送信者アドレスがトランスミッティドＢＳＳＩＤである場合、ノントランスミッティドＢＳＳＩＤを有するＢＳＳに結合された無線通信端末がトリガーフレームに基づいてＯＢＯカウンタを減らすのを許容することができる。ただし、このような実施形態では、トランスミッティドＢＳＳＩＤを有するＢＳＳに結合された無線通信端末との公平性が問題になることができる。また、トリガーフレームの受信者アドレスが多重ＢＳＳＩＤセットに含まれるＢＳＳＩＤである場合、多重ＢＳＳＩＤセットに含まれたＢＳＳに結合された無線通信端末がトリガーフレームに基づいて、ＯＢＯカウンタを減らすのを許容することができる。このような実施形態において、トランスミッティドＢＳＳＩＤに該当するＢＳＳに結合された無線通信端末は、該当無線通信端末をトリガーできないトリガーフレームに基づいて、ＯＢＯカウンタを減少させることができるから、多重ＢＳＳＩＤセットに該当するＢＳＳと結合されない無線通信端末のランダムアクセス動作と公平性が問題になることができる。また、トリガーフレームの送信者アドレスがトランスミッティドＢＳＳＩＤで、トリガーフレームがノントランスミッティドＢＳＳＩＤに結合された無線通信端末に対する送信をトリガーする場合においてのみノントランスミッティドＢＳＳＩＤに結合された無線通信端末がトリガーフレームに基づいて、ＯＢＯカウンタを減少させるのを許容することができる。送信者アドレスがトランスミッティドＢＳＳＩＤであるトリガーフレームがノントランスミッティドＢＳＳＩＤに結合された無線通信端末に対する送信をトリガーするかどうかを確認するためには、無線通信端末は、Ｕｓｅｒ  Ｉｎｆｏフィールドをデコードしなければならない。したがって、このような実施形態は、無線通信端末のランダムアクセス動作の複雑度を上げることができる。
【０１００】
ＯＢＯ関連パラメータ設定、ＯＢＯ手順初期化、ＯＢＯカウンタ減少動作、ランダムアクセスするＲＵ選択と関連した無線通信端末の具体的な動作については、図１２を介して具体的に説明する。
【０１０１】
図１２ないし図１３は、多重ＢＳＳＩＤセットに結合された本発明の一実施形態にかかる無線通信端末のランダムアクセス動作を示す。
【０１０２】
図１２の実施形態において、第１ステーションＳＴＡ１は、多重ＢＳＳＩＤセットのトランスミッティドＢＳＳＩＤに該当するＢＳＳに結合される。第２ステーションＳＴＡ２は、多重ＢＳＳＩＤセットのノントランスミッティドＢＳＳＩＤに該当するＢＳＳに結合される。第１ステーションＳＴＡ１と第２ステーションＳＴＡ２は、トランスミッティドＢＳＳＩＤから送信されたビーコンフレームを受信する。このとき、第１ステーションＳＴＡ１と第２ステーションＳＴＡ２は、ビーコンフレームが含むＵＯＲＡパラメータセットエレメントに応じてＯＣＷｍｉｎとＯＣＷｍａｘをアップデートする。具体的な実施形態において、ビーコンフレームのＵＯＲＡパラメータセットは、トランスミッティドＢＳＳＩＤにより公示（ａｄｖｅｒｔｉｓｅｄ）され、ノントランスミッティドＢＳＳＩＤ  Ｐｒｏｆｉｌｅサブエレメントに含まれないために、第２ステーションＳＴＡ２は、ＵＯＲＡパラメータセットエレメントに応じてＯＣＷｍｉｎとＯＣＷｍａｘをアップデートできる。
【０１０３】
また、第１ステーションＳＴＡ１と第２ステーションＳＴＡ２は、ＯＢＯ関連パラメータに関する情報をベース無線通信端末から受信したので、ＯＢＯ手順を初期化する。具体的に第１ステーションＳＴＡ１と第２ステーションＳＴＡ２は、ＯＣＷ内でＯＢＯカウンタを任意に選択する。第１ステーションＳＴＡ１は３を選択し、第２ステーションＳＴＡ２は５を選択する。
【０１０４】
第１ステーションＳＴＡ１と第２ステーションＳＴＡ２は、トランスミッティドＢＳＳＩＤを送信者アドレス（ＴＡ）として有するトリガーフレームを受信する。このとき、トリガーフレームは、ランダムアクセスのために割り当てられたＲＵ２個を指示する。図１２の実施形態では、多重ＢＳＳＩＤセットに含まれたＢＳＳに結合された無線通信端末が多重ＢＳＳＩＤセットに含まれたいずれか一つのＢＳＳＩＤを送信者アドレスとして有するトリガーフレームに基づいて、ＯＢＯカウンタを減らすことができると仮定する。したがって、第１ステーションＳＴＡ１は、トリガーフレームに応じてＯＢＯカウンタを２だけ減らして、ＯＢＯカウンタを１に設定し、ノントランスミッティドＢＳＳＩＤに該当するＢＳＳに結合された第２ステーションＳＴＡ２は、トリガーフレームに応じてＯＢＯカウンタを２だけ減らして、ＯＢＯカウンタを３に設定する。
【０１０５】
第１ステーションＳＴＡ１と第２ステーションＳＴＡ２は、ノントランスミッティドＢＳＳＩＤを送信者アドレス（ＴＡ）として有するトリガーフレームを受信する。このとき、トリガーフレームは、ランダムアクセスのために割り当てられたＲＵ２個を指示する。第１ステーションＳＴＡ１は、トリガーフレームに応じてＯＢＯカウンタを２だけ減らして、ＯＢＯカウンタを０に設定し、トリガーフレームがランダムアクセスのために割り当てられたことを指示するＲＵ２個のうち、いずれか一つを任意に選択して送信を試みる。ノントランスミッティドＢＳＳＩＤに該当するＢＳＳに結合された第２ステーションＳＴＡ２は、トリガーフレームに応じてＯＢＯカウンタを２だけ減らして、ＯＢＯカウンタを１に設定する。
【０１０６】
第１ステーションＳＴＡ１と第２ステーションＳＴＡ２がＵＯＲＡパラメータセットエレメントを含まないビーコンフレームを受信した場合、第１ステーションＳＴＡ１と第２ステーションＳＴＡ２は、従来のＯＢＯ手順をそのまま維持する。第１ステーションＳＴＡ１と第２ステーションＳＴＡ２は、トランスミッティドＢＳＳＩＤから送信されたビーコンフレームを受信する。このとき、ビーコンフレームは、ＵＯＲＡパラメータセットエレメントを含む。したがって、第１ステーションＳＴＡ１と第２ステーションＳＴＡ２は、ビーコンフレームが含むＵＯＲＡパラメータセットエレメントに応じてＯＣＷｍｉｎとＯＣＷｍａｘをアップデートし、ＯＢＯ手順を初期化する。
【０１０７】
図１２において説明したＯＢＯカウンタ減少動作は、上述のように無線通信端末のランダムアクセス動作を複雑にすることができ、他の無線通信端末との公平性が問題になることができる。したがって、図１３のように無線通信端末のＢＳＳが多重ＢＳＳＩＤセットに含まれる場合にも、無線通信端末は、トリガーフレームの送信者アドレス（Ｔｒａｎｓｍｉｔｔｅｒ  Ａｄｄｒｅｓｓ、ＴＡ）が無線通信端末が結合されたＢＳＳのＢＳＳＩＤである場合に、トリガーフレームが指示するＲＵに基づいてＯＢＯカウンタを減らすことができる。
【０１０８】
図１３の実施形態において図１２の実施形態と同じ動作及び状況については、説明を省略する。第１ステーションＳＴＡ１と第２ステーションＳＴＡ２は、トランスミッティドＢＳＳＩＤを送信者アドレス（ＴＡ）として有するトリガーフレームを受信する。このとき、トリガーフレームは、ランダムアクセスのために割り当てられたＲＵ２個を指示する。トランスミッティドＢＳＳＩＤに該当するＢＳＳに結合された第１ステーションＳＴＡ１は、トリガーフレームに応じてＯＢＯカウンタを２だけ減らして、ＯＢＯカウンタを１に設定する。第２ステーションＳＴＡ２は、ノントランスミッティドＢＳＳＩＤに該当するＢＳＳに結合されているので、ＯＢＯカウンタを５に維持する。
【０１０９】
また、第１ステーションＳＴＡ１と第２ステーションＳＴＡ２は、ノントランスミッティドＢＳＳＩＤを送信者アドレス（ＴＡ）として有するトリガーフレームを受信する。このとき、トリガーフレームは、ランダムアクセスのために割り当てられたＲＵ２個を指示する。第１ステーションＳＴＡ１は、トランスミッティドＢＳＳＩＤに該当するＢＳＳに結合されているので、ＯＢＯカウンタを１に維持する。ノントランスミッティドＢＳＳＩＤに該当するＢＳＳに結合された第２ステーションＳＴＡ２は、ＯＢＯカウンタを２だけ減らして、ＯＢＯカウンタを３に設定する。
【０１１０】
トリガーフレームがランダムアクセスをトリガーする場合でも、無線通信端末の能力（ｃａｐａｂｉｌｉｔｙ）がトリガーフレームが指示する上向き送信条件を支援しない場合、ＯＢＯカウンタが０に到達しても、無線通信端末は、ランダムアクセスできない。例えば、無線通信端末がトリガーフレームがランダムアクセスに割り当てられたＲＵで指示するＲＵの周波数帯域幅に対する送信を支援しない場合、該当無線通信端末は、該当ＲＵに対したランダムアクセスを行うことができない。したがって、無線通信端末の能力（ｃａｐａｂｉｌｉｔｙ）を考慮したランダムアクセス動作が必要である。
【０１１１】
無線通信端末がトリガーフレームを受信したとき、無線通信端末は、無線通信端末の能力（ｃａｐａｂｉｌｉｔｙ）に応じてＯＢＯカウンタを減らすことができる。具体的に無線通信端末がトリガーフレームを受信したとき、無線通信端末は、ランダムアクセスに割り当てられたＲＵと無線通信端末の能力（ｃａｐａｂｉｌｉｔｙ）に基づいて、ＯＢＯカウンタを減らすことができる。具体的な実施形態において無線通信端末は、ランダムアクセスに割り当てられたＲＵのうち、無線通信端末が無線通信端末の能力に応じてトリガー基盤ＰＰＤＵを送信できるＲＵの個数分だけＯＢＯカウンタを減らすことができる。上述のように、ランダムアクセスに割り当てられたＲＵは、トリガーフレームにより指示されることができる。また、無線通信端末は、ＲＵを介してトリガー基盤ＰＰＤＵを送信できるかどうかをトリガーフレームが指示する送信条件に基づいて判断できる。
【０１１２】
また、ＯＢＯカウンタが０に到達した場合、無線通信端末は、無線通信端末の能力に応じてＲＵを選択できる。具体的な実施形態において、ＯＢＯカウンタが０に到達した場合、無線通信端末は、ランダムアクセスに割り当てられ、無線通信端末が無線通信端末の能力に応じてトリガー基盤ＰＰＤＵを送信できるＲＵのうち、いずれか一つのＲＵを任意に選択できる。
【０１１３】
ＯＢＯカウンタが０に到達したとき、無線通信端末は、ランダムアクセスを保留しＯＢＯカウンタを維持できる。具体的にトリガーフレームが指示する応答長分だけのデータが無線通信端末にバッファリングしていない場合、無線通信端末は、ランダムアクセスを保留しＯＢＯカウンタを０に維持できる。このとき、無線通信端末は、ランダムアクセスをトリガーする次のトリガーフレームに対する応答としてランダムアクセスを行うことができる。また、ランダムアクセスに割り当てられたＲＵのうち、無線通信端末が無線通信端末の能力に応じてトリガー基盤ＰＰＤＵを送信できるＲＵがない場合、無線通信端末は、ＯＢＯカウンタを０に維持できる。このとき、無線通信端末は、ランダムアクセスをトリガーする次のトリガーフレームに対する応答としてランダムアクセスを行うことができる。
【０１１４】
また、無線通信端末の能力は、送信できる帯域幅、モジュレーション及びコーディングスキーム（Ｍｏｄｕｌａｔｉｏｎ  ＆  Ｃｏｄｉｎｇ  Ｓｃｈｅｍｅ、ＭＣＳ）、ＤＣＭ（Ｄｕａｌ  Ｃａｒｒｉｅｒ  Ｍｏｄｕｌａｔｉｏｎ）、空間ストリーム（ｓｐａｔｉａｌ  ｓｔｒｅａｍ個数）個数、ＧＩ（Ｇｕａｒｄ  Ｉｎｔｅｒｖａｌ）の長さ、ＬＴＦ（Ｌｏｎｇ  Ｔｒａｉｎｉｎｇ  Ｆｉｅｌｄ）タイプ、ＳＴＢＣ（ｓｐａｃｅ−ｔｉｍｅ  ｂｌｏｃｋ  ｃｏｄｉｎｇ）、送信パワー、パディング（Ｐａｄｄｉｎｇ）フィールドの長さのうち、少なくともいずれか一つと関連した無線通信端末の能力を含むことができる。パディングフィールドの長さは、トリガー基盤ＰＰＤＵに含まれるパディングフィールドの長さを表すことができる。無線通信端末の具体的な動作については、図１４ないし図２１を介して説明する。
【０１１５】
図１４は、本発明の実施形態にかかる２０ＭＨｚ帯域幅を有するＰＰＤＵを送信する時に使用できるＲＵの種類とサブキャリアインデックスを示す。図１５は、本発明の実施形態にかかる４０ＭＨｚ帯域幅を有するＰＰＤＵを送信する時に使用できるＲＵの種類とサブキャリアインデックスを示す。図１６は、本発明の実施形態にかかる８０ＭＨｚ帯域幅を有するＰＰＤＵを送信する時に使用できるＲＵの種類とサブキャリアインデックスを示す。
【０１１６】
上述のように、ＲＵは、周波数帯域の大きさに応じて上向き送信及び下向き送信のために使用できる複数のサブキャリアをグルーピングしたことを表すことができる。
【０１１７】
本発明の実施形態にかかる無線通信端末は、２６個のサブキャリアを使用するＲＵ（２６−ｔｏｎｅ  ＲＵ）、５２個のサブキャリアを使用するＲＵ（５２−ｔｏｎｅ  ＲＵ）、１０６個のサブキャリアを使用するＲＵ（１０６−ｔｏｎｅ  ＲＵ）、２４２個のサブキャリアを使用するＲＵ（２４２−ｔｏｎｅ  ＲＵ）、４８４個のサブキャリアを使用するＲＵ（４８４−ｔｏｎｅ  ＲＵ）、９９６個のサブキャリアを使用するＲＵ（９９６−ｔｏｎｅ  ＲＵ）、及び１９９２個のサブキャリアを使用するＲＵ（２＊９９６−ｔｏｎｅ  ＲＵ）のうち、少なくともいずれか一つを使用して、上向き送信または下向き送信を行うことができる。具体的に無線通信端末は、指定されたＲＵを使用して、ＨＥ  ＭＵ  ＰＰＤＵまたはＨＥ  ｔｒｉｇｇｅｒ−ｂａｓｅｄ  ＰＰＤＵをＯＦＤＭＡに送信できる。このとき、ＰＰＤＵの周波数帯域幅が２０ＭＨｚ、４０ＭＨｚ、８０ＭＨｚ、１６０ＭＨｚ及び８０＋８０ＭＨｚのうち、いずれか一つである場合、無線通信端末は、２６−ｔｏｎｅ  ＲＵ、５２−ｔｏｎｅ  ＲＵ、１０６−ｔｏｎｅ  ＲＵ及び２４２−ｔｏｎｅ  ＲＵのうち、いずれか一つを使用して、ＰＰＤＵを送信できる。また、ＰＰＤＵの周波数帯域幅が４０ＭＨｚ、８０ＭＨｚ、１６０ＭＨｚ及び８０＋８０ＭＨｚのうち、いずれか一つである場合、無線通信端末は、４８４−ｔｏｎｅ  ＲＵを使用して、ＰＰＤＵを送信できる。また、ＰＰＤＵの周波数帯域幅が８０ＭＨｚ、１６０ＭＨｚ及び８０＋８０ＭＨｚのうち、いずれか一つである場合、無線通信端末は、９９６−ｔｏｎｅ  ＲＵを使用することができる。また、ＰＰＤＵの周波数帯域幅が１６０ＭＨｚ及び８０＋８０ＭＨｚのうち、いずれか一つである場合、無線通信端末は、２＊９９６−ｔｏｎｅ  ＲＵを使用して、ＰＰＤＵを送信することができる。
【０１１８】
また、無線通信端末は、指定されたＲＵを使用して、ＨＥ  ＳＵ（Ｓｉｎｇｌｅ  Ｕｓｅｒ）ＰＰＤＵを送信できる。このとき、ＨＥ  ＳＵ  ＰＰＤＵの周波数帯域幅が２０ＭＨｚである場合、無線通信端末は、２４２−ｔｏｎｅ  ＲＵを使用して、ＨＥ  ＳＵ  ＰＰＤＵを送信できる。また、ＨＥ  ＳＵ  ＰＰＤＵの周波数帯域幅が４０ＭＨｚである場合、無線通信端末は、４８４−ｔｏｎｅ  ＲＵを使用して、ＨＥ  ＳＵ  ＰＰＤＵを送信できる。また、ＨＥ  ＳＵ  ＰＰＤＵの周波数帯域幅が８０ＭＨｚである場合、無線通信端末は、９９６−ｔｏｎｅ  ＲＵを使用して、ＨＥ  ＳＵ  ＰＰＤＵを送信できる。また、ＨＥ  ＳＵ  ＰＰＤＵの周波数帯域幅が１６０ＭＨｚまたは８０＋８０ＭＨｚである場合、無線通信端末は、２＊９９６−ｔｏｎｅ  ＲＵを使用して、ＨＥ  ＳＵ  ＰＰＤＵを送信できる。
【０１１９】
２６−ｔｏｎｅ  ＲＵは、データを送信する２４個のサブキャリアとパイロット信号を送信する２個のサブキャリアを含むことができる。２６−ｔｏｎｅ  ＲＵの具体的な位置は、図１４、図１５及び図１６に示された通りでありうる。無線通信端末が送信するＰＰＤＵの周波数帯域幅が１６０ＭＨｚまたは８０＋８０ＭＨｚ  ＰＰＤＵである場合、各８０ＭＨｚ周波数帯域を介して送信される２６−ｔｏｎｅ  ＲＵは、図１５に示された通りでありうる。５２−ｔｏｎｅ  ＲＵは、データを送信する４８個のサブキャリアとパイロット信号を送信する４個のサブキャリアを含むことができる。５２−ｔｏｎｅ  ＲＵの具体的な位置は、図１４、図１５及び図１６に示された通りでありうる。無線通信端末が送信するＰＰＤＵの周波数帯域幅が１６０ＭＨｚまたは８０＋８０ＭＨｚ  ＰＰＤＵである場合、各８０ＭＨｚ周波数帯域を介して送信される５２−ｔｏｎｅ  ＲＵは、図１５に示された通りでありうる。
【０１２０】
１０６−ｔｏｎｅ  ＲＵは、データを送信する１０２個のサブキャリアとパイロット信号を送信する４個のサブキャリアを含むことができる。１０６−ｔｏｎｅ  ＲＵの具体的な位置は、図１４、図１５及び図１６に示された通りでありうる。無線通信端末が送信するＰＰＤＵの周波数帯域幅が１６０ＭＨｚまたは８０＋８０ＭＨｚ  ＰＰＤＵを使用するときには、各８０ＭＨｚ周波数帯域を介して送信される１０６−ｔｏｎｅ  ＲＵは、図１５に示された通りでありうる。２４２−ｔｏｎｅ  ＲＵは、データを送信する２３４個のサブキャリアとパイロット信号を送信する８個のサブキャリアを含むことができる。２４２−ｔｏｎｅ  ＲＵの具体的な位置は、図１４、図１５及び図１６に示された通りでありうる。無線通信端末が送信するＰＰＤＵの周波数帯域幅が１６０ＭＨｚまたは８０＋８０ＭＨｚ  ＰＰＤＵである場合、各８０ＭＨｚ周波数帯域を介して送信される２４２−ｔｏｎｅ  ＲＵは、図１５に示された通りでありうる。
【０１２１】
４８４−ｔｏｎｅ  ＲＵは、データを送信する４６８個のサブキャリアとパイロット信号を送信する１６個のサブキャリアを含むことができる。４８４−ｔｏｎｅ  ＲＵの具体的な位置は、図１５、図１６に示したとおりでありうる。無線通信端末が送信するＰＰＤＵの周波数帯域幅が１６０ＭＨｚまたは８０＋８０ＭＨｚ  ＰＰＤＵである場合、各８０ＭＨｚ周波数帯域を介して送信される４８４−ｔｏｎｅ  ＲＵは、図１５に示された通りでありうる。９９６−ｔｏｎｅ  ＲＵは、データを送信する９８０個のサブキャリアとパイロット信号を送信する１６個のサブキャリアを含むことができる。９９６−ｔｏｎｅ  ＲＵの具体的な位置は、図１５に示された通りでありうる。無線通信端末が送信するＰＰＤＵの周波数帯域幅が１６０ＭＨｚまたは８０＋８０ＭＨｚ  ＰＰＤＵである場合、各８０ＭＨｚ周波数帯域を介して送信される９９６−ｔｏｎｅ  ＲＵは、図１５に示された通りでありうる。無線通信端末が１６０ＭＨｚまたは８０＋８０ＭＨｚ帯域幅を有するＰＰＤＵを送信する時、９９６−ｔｏｎｅ  ＲＵが含むサブキャリアは、各８０ＭＨｚ周波数帯域において［−１０１２：−５１５、−５０９：−１２］と［１２：５０９、５１５：１０１２］に位置する。このとき、［ｘ：ｙ」は、サブキャリアインデックスｘからｙまでを表す。したがって、無線通信端末は、２＊９９６−ｔｏｎｅ  ＲＵを使用する場合にも［−１０１２：−５１５、−５０９：−１２］と［１２：５０９、５１５：１０１２］のサブキャリアインデックスに位置するサブキャリアを使用することができる。
【０１２２】
無線通信端末が２０ＭＨｚの周波数帯域幅を有するＨＥ  ＭＵ  ＰＰＤＵまたはＨＥ  ｔｒｉｇｇｅｒ−ｂａｓｅｄ  ＰＰＤＵを送信し、ＰＰＤＵが２個以上のＲＵを含む場合、無線通信端末は、［−３：３］で７個のＤＣ（Ｄｉｒｅｃｔ  Ｃｕｒｒｅｎｔ）サブキャリアを送信できる。無線通信端末が２０ＭＨｚの周波数帯域幅を有するＨＥ  ＳＵ  ＰＰＤＵを２４２−ｔｏｎｅ  ＲＵを使用して送信する場合、無線通信端末は、［−１：１］に３個のＤＣサブキャリアを送信できる。無線通信端末が４０ＭＨｚの周波数帯域幅を有するＨＥ  ＳＵ  ＰＰＤＵを４８４−ｔｏｎｅ  ＲＵを使用して送信する場合、無線通信端末は、［−２：２］に５個のＤＣサブキャリアを送信できる。無線通信端末が８０ＭＨｚの周波数帯域幅を有するＨＥ  ＭＵ  ＰＰＤＵまたはＨＥ  ｔｒｉｇｇｅｒ−ｂａｓｅｄ  ＰＰＤＵを送信し、ＰＰＤＵが２個以上のＲＵを含む場合、無線通信端末は、［−３：３］に７個のＤＣサブキャリアを送信できる。無線通信端末が８０ＭＨｚの周波数帯域幅を有するＨＥ  ＳＵ  ＰＰＤＵを９９６−ｔｏｎｅ  ＲＵを使用して送信する場合、無線通信端末は、［−２：２］に５個のＤＣサブキャリアを送信できる。無線通信端末が１６０ＭＨｚまたは８０＋８０ＭＨｚ帯域幅を有するＰＰＤＵを送信する場合、無線通信端末は、各８０ＭＨｚ帯域で８０ＭＨｚの周波数帯域幅を有するＨＥ  ＳＵ  ＰＰＤＵを９９６−ｔｏｎｅ  ＲＵを使用して送信する場合と同じ位置にＤＣサブキャリアを送信できる。
【０１２３】
無線通信端末が２０ＭＨｚ周波数帯域幅を有するＰＰＤＵを送信する場合、無線通信端末は、［−１２８：−１２３］と［１２３：１２７］に１１個のガードサブキャリアを送信できる。無線通信端末が４０ＭＨｚ周波数帯域幅を有するＰＰＤＵを送信する場合、無線通信端末は、［−２５６：−２４５］と［２４５：２５５］に２３個のガードサブキャリアを送信できる。無線通信端末が８０ＭＨｚ周波数帯域幅を有するＰＰＤＵを送信する場合、無線通信端末は、［−５１２：−５０１］と［５０１：５１１］に２３個のガードキャリアを送信できる。無線通信端末が１６０ＭＨｚまたは８０＋８０ＭＨｚ周波数帯域幅を有するＰＰＤＵを送信する場合、無線通信端末は、８０ＭＨｚ周波数帯域幅を有するＰＰＤＵを送信する時に使用したガードサブキャリアを両端に送信できる。
【０１２４】
図１７は、本発明の実施形態にかかるトリガーフレームのＲＵ  ＡｌｌｏｃａｔｉｏｎサブフィールドでＲＵを指示するために使用されるエンコーディング値を示す。
【０１２５】
ＲＵ  Ａｌｌｏｃａｔｉｏｎサブフィールドは、トリガーフレームがトリガーする無線通信端末が送信に使用するＲＵを指示する。ＲＵ  Ａｌｌｏｃａｔｉｏｎサブフィールドは、８ビットフィールドでありうる。このとき、ＲＵ  Ａｌｌｏｃａｔｉｏｎサブフィールドの１ビット、例えばＢ１２は、ＲＵ  Ａｌｌｏｃａｔｉｏｎサブフィールドが指示するＲＵが主（ｐｒｉｍａｒｙ）８０ＭＨｚチャネルにあるかどうか、副（ｎｏｎ−ｐｒｉｍａｒｙ）８０ＭＨｚチャネルにあるかどうかを指示できる。主（ｐｒｉｍａｒｙ）チャネルは、周波数帯域拡張の基準になる周波数帯域を表す。また、主（ｐｒｉｍａｒｙ）チャネルは、周波数帯域拡張の基準になる２０ＭＨｚ周波数帯域幅を有する周波数帯域を含む連続的な周波数帯域を指すことができる。また、ＲＵが８０ＭＨｚ以下の周波数帯域幅を有する場合、ＲＵ  Ａｌｌｏｃａｔｉｏｎサブフィールドの７ビット、例えばＢ１９−Ｂ１３は、８０ＭＨｚ内でどんなＲＵを指示しているかを表す。また、ＲＵが８０ＭＨｚより大きな周波数帯域幅を有する場合、ＲＵ  Ａｌｌｏｃａｔｉｏｎサブフィールドの７ビット、例えばＢ１９−Ｂ１３は、ＲＵが８０ＭＨｚより大きな周波数帯域幅でどんなＲＵを指示しているかを表す。ＲＵ  Ａｌｌｏｃａｔｉｏｎフィールドの具体的な値は、図１７の通りでありうる。
【０１２６】
具体的に２０ＭＨｚ、４０ＭＨｚまたは８０ＭＨｚ周波数帯域幅を有するＰＰＤＵの場合、Ｂ１２は、０に設定されることができる。また、２＊９９６−ｔｏｎｅ  ＲＵの場合に、Ｂ１２は、１に設定されることができる。また、Ｂ１９−Ｂ１３は、次の通りに設定されることができる。
【０１２７】
−無線通信端末が２０ＭＨｚ周波数帯域幅を有するＰＰＤＵを送信する場合、無線通信端末は、Ｂ１９−Ｂ１３に図１４のＲＵインデックスを昇順に従って指定できる。Ｂ１９−Ｂ１３の値が０００００００である場合、ＲＵ  Ａｌｌｏｃａｔｉｏｎサブフィールドは、２６−ｔｏｎｅ  ＲＵ１を指示できる。Ｂ１９−Ｂ１３の値が０００１０００である場合、ＲＵ  Ａｌｌｏｃａｔｉｏｎサブフィールドは、２６−ｔｏｎｅ  ＲＵ９を指示できる。Ｂ１９−Ｂ１３の値として０００１００１から０１００１００は使用されないことができる。Ｂ１９−Ｂ１３の値が０１００１０１である場合、ＲＵ  Ａｌｌｏｃａｔｉｏｎサブフィールドは、５２−ｔｏｎｅ  ＲＵ１を指示できる。Ｂ１９−Ｂ１３の値が０１０１０００である場合、ＲＵ  Ａｌｌｏｃａｔｉｏｎサブフィールドは、５２−ｔｏｎｅ  ＲＵ４を指示できる。Ｂ１９−Ｂ１３の値として０１０１００１から０１１０１００は使用されないことができる。Ｂ１９−Ｂ１３の値が０１１０１０１である場合、ＲＵ  Ａｌｌｏｃａｔｉｏｎサブフィールドは、１０６−ｔｏｎｅ  ＲＵ１を指示できる。Ｂ１９−Ｂ１３の値が０１１０１１０である場合、ＲＵ  Ａｌｌｏｃａｔｉｏｎサブフィールドは、１０６−ｔｏｎｅ  ＲＵ２を指示できる。Ｂ１９−Ｂ１３の値として０１１０１１１から０１１１１００は使用されないことができる。Ｂ１９−Ｂ１３の値が０１１１１０１である場合、ＲＵ  Ａｌｌｏｃａｔｉｏｎサブフィールドは、２４２−ｔｏｎｅ  ＲＵ１を指示できる。Ｂ１９−Ｂ１３の値として０１１１１１０から１００００００は使用されないことができる。
【０１２８】
−無線通信端末が４０ＭＨｚ周波数帯域幅を有するＰＰＤＵを送信する場合、無線通信端末は、Ｂ１９−Ｂ１３に図１５のＲＵインデックスを昇順に従って指定できる。Ｂ１９−Ｂ１３の値が０００００００である場合、ＲＵ  Ａｌｌｏｃａｔｉｏｎサブフィールドは、２６−ｔｏｎｅ  ＲＵ１を指示できる。Ｂ１９−Ｂ１３の値が００１０００１である場合、ＲＵ  Ａｌｌｏｃａｔｉｏｎサブフィールドは、２６−ｔｏｎｅ  ＲＵ１８を指示できる。Ｂ１９−Ｂ１３の値として００１００１０から０１００１００は使用されないことができる。Ｂ１９−Ｂ１３の値が０１００１０１である場合、ＲＵ  Ａｌｌｏｃａｔｉｏｎサブフィールドは、５２−ｔｏｎｅ  ＲＵ１を指示できる。Ｂ１９−Ｂ１３の値が０１０１１００である場合、ＲＵ  Ａｌｌｏｃａｔｉｏｎサブフィールドは、５２−ｔｏｎｅ  ＲＵ８を指示できる。Ｂ１９−Ｂ１３の値として０１０１１０１から０１１０１００は使用されないことができる。Ｂ１９−Ｂ１３の値は、１０６−ｔｏｎｅ、２４２−ｔｏｎｅ及び４８４−ｔｏｎｅ  ＲＵに対しても２６−ｔｏｎｅ  ＲＵ及び５２−ｔｏｎｅ  ＲＵのような規則に従って指定されることができる。
【０１２９】
−無線通信端末が８０ＭＨｚ、１６０ＭＨｚ、８０＋８０ＭＨｚ周波数帯域幅を有するＰＰＤＵを送信する場合、無線通信端末は、Ｂ１９−Ｂ１３に図１２のＲＵインデックスを昇順に従って指定できる。Ｂ１９−Ｂ１３の値が０００００００である場合、ＲＵ  Ａｌｌｏｃａｔｉｏｎサブフィールドは、２６−ｔｏｎｅ  ＲＵ１を指示できる。Ｂ１９−Ｂ１３の値が０１００１００である場合、ＲＵ  Ａｌｌｏｃａｔｉｏｎサブフィールドは、２６−ｔｏｎｅ  ＲＵ３７を指示できる。Ｂ１９−Ｂ１３の値が０１００１０１である場合、ＲＵ  Ａｌｌｏｃａｔｉｏｎサブフィールドは、５２−ｔｏｎｅ  ＲＵ１を指示できる。Ｂ１９−Ｂ１３の値が０１１０１００である場合、ＲＵ  Ａｌｌｏｃａｔｉｏｎサブフィールドの値は、５２−ｔｏｎｅ  ＲＵ１６を指示できる。Ｂ１９−Ｂ１３の値は、１０６−ｔｏｎｅ、２４２−ｔｏｎｅ、４８４−ｔｏｎｅ、９９６−ｔｏｎｅ  ＲＵに対しても２６−ｔｏｎｅ  ＲＵ及び５２−ｔｏｎｅ  ＲＵのような規則に従って指定されることができる。無線通信端末が１６０ＭＨｚまたは８０＋８０ＭＨｚ  ＰＰＤＵを送信し、Ｂ１９−Ｂ１３の値が１０００１００である場合、ＲＵ  Ａｌｌｏｃａｔｉｏｎサブフィールドは、２＊９９６−ｔｏｎｅ  ＲＵを指示できる。
【０１３０】
無線通信端末は、一定大きさ以下の周波数帯域幅を有するＰＰＤＵ送受信のみを支援できる。例えば、無線通信端末は、２０ＭＨｚ周波数帯域幅を有するＰＰＤＵ送受信のみを支援できる。また、無線通信端末は、８０ＭＨｚ以下の周波数帯域幅を有するＰＰＤＵ送受信のみを支援できる。このように無線通信端末が一定大きさ以下の周波数帯域幅を有するＰＰＤＵ送受信のみを支援する場合、無線通信端末は、ランダムアクセスに割り当てられたＲＵのうち、一定大きさ以下の周波数帯域幅に含まれたＲＵの個数に基づいて、ＯＢＯカウンタを減らすことができる。このとき、ランダムアクセスに割り当てられたＲＵは、トリガーフレームにより指示されることができる。また、無線通信端末は、トリガーフレームを受信したとき、ＯＢＯカウンタを減らす。具体的に無線通信端末が一定大きさ以下の周波数帯域幅を有するＰＰＤＵ送受信のみを支援する場合、無線通信端末は、ランダムアクセスに割り当てられたＲＵのうち、一定大きさ以下の周波数帯域幅を有する主（ｐｒｉｍａｒｙ）チャネルに含まれたＲＵの個数に基づいて、ＯＢＯカウンタを減らすことができる。無線通信端末が一定時間内にチャネルをスイッチングし難くて副チャネルを支援できない場合もありうるためである。このとき、副チャネルは、主チャネルでないチャネルを指すことができる。例えば、無線通信端末が２０ＭＨｚ以下の周波数帯域幅を有するＰＰＤＵ送受信のみを支援する場合、無線通信端末は、ランダムアクセスに割り当てられたＲＵのうち、ＲＵ  ＡｌｌｏｃａｔｉｏｎサブフィールドのＢ１９−Ｂ１３値が０００００００から０００１０００であるか、０１００１０１から０１０１０００であるか、０１１０１０１から０１１０１１０であるか、または０１１１１０１のＲＵの個数に基づいて、ＯＢＯカウントを減らすことができる。さらに他の具体的な実施形態において無線通信端末が一定大きさ以下の周波数帯域幅を有するＰＰＤＵ送受信のみを支援する場合、無線通信端末は、ＲＵが主（ｐｒｉｍａｒｙ）チャネルに含まれるかに関わらず、ランダムアクセスに割り当てられたＲＵのうち、一定大きさ以下の周波数帯域幅に含まれたＲＵの個数に基づいて、ＯＢＯカウンタを減らすことができる。例えば、無線通信端末が２０ＭＨｚ以下の周波数帯域幅を有するＰＰＤＵ送受信のみを支援する場合、無線通信端末は、ランダムアクセスに割り当てられたＲＵのうち、ＲＵ  ＡｌｌｏｃａｔｉｏｎサブフィールドのＢ１９−Ｂ１３値が１００００００以下であるＲＵの個数に基づいて、ＯＢＯカウントを減らすことができる。
【０１３１】
また、ＯＢＯカウンタが０に到達し無線通信端末が一定大きさ以下の周波数帯域幅を有するＰＰＤＵ送受信のみを支援する場合、無線通信端末は、ランダムアクセスに割り当てられたＲＵで、かつ一定大きさ以下の周波数帯域幅に含まれたＲＵのうち、いずれか一つのＲＵを任意に選択できる。このとき、無線通信端末は、選択したＲＵを介して送信を試みることができる。ランダムアクセスに割り当てられたＲＵは、上述のようにトリガーフレームにより指示されることができる。ランダムアクセスに割り当てられたＲＵのうち、一定大きさ以下の周波数帯域幅がない場合、無線通信端末は、送信を試みないでＯＢＯカウンタを維持できる。このとき、無線通信端末は、次に送信されるトリガーフレームに対する応答としてランダムアクセスを試みることができる。このような実施形態において無線通信端末がＯＢＯカウンタを減らすときには、無線通信端末は、無線通信端末の能力を考慮しないことができる。具体的に無線通信端末は、一定大きさ以下の周波数帯域幅に含まれたＲＵであるかどうかに関わらず、ＯＢＯカウンタを減らし、ＯＢＯカウンタが０になったとき、無線通信端末は、ランダムアクセスに割り当てられたＲＵで、かつ一定大きさ以下の周波数帯域幅に含まれたＲＵのうち、いずれか一つのＲＵを任意に選択できる。
【０１３２】
また、具体的な実施形態において無線通信端末は、ランダムアクセスに割り当てられたＲＵで、かつ一定大きさ以下の帯域幅を有する主チャネルに含まれたＲＵのうち、いずれか一つのＲＵを任意に選択できる。無線通信端末が一定時間内にチャネルをスイッチングし難くて副チャネルを支援できない場合がありうるためである。例えば、無線通信端末が２０ＭＨｚ以下の周波数帯域幅を有するＰＰＤＵ送受信のみを支援する場合、無線通信端末は、ランダムアクセスに割り当てられたＲＵであり、かつ該当ＲＵに該当するＲＵ  ＡｌｌｏｃａｔｉｏｎサブフィールドのＢ１９−Ｂ１３値が０００００００から０００１０００であるか、０１００１０１から０１０１０００であるか、０１１０１０１から０１１０１１０であるか、または０１１１１０１のＲＵのうち、いずれか一つを任意に選択できる。さらに他の具体的な実施形態において、無線通信端末が一定大きさ以下の周波数帯域幅を有するＰＰＤＵ送受信のみを支援する場合、無線通信端末は、ＲＵが主（ｐｒｉｍａｒｙ）チャネルに含まれるかに関わらず、ランダムアクセスに割り当てられ、一定大きさ以下の周波数帯域幅に含まれたＲＵのうち、いずれか一つを任意に選択できる。例えば、無線通信端末が２０ＭＨｚ以下の周波数帯域幅を有するＰＰＤＵ送受信のみを支援する場合、無線通信端末は、ランダムアクセスに割り当てられたＲＵであり、かつ該当ＲＵに該当するＲＵ  ＡｌｌｏｃａｔｉｏｎサブフィールドのＢ１９−Ｂ１３値が１００００００以下であるＲＵのうち、いずれか一つを任意に選択できる。
【０１３３】
図１８ないし図１９は、２０ＭＨｚ周波数帯域幅を有するＰＰＤＵのみを支援する無線通信端末が本発明の実施形態によってランダムアクセスを行う動作を示す。
【０１３４】
図１８ないし図２１の実施形態において無線通信端末は、無線通信端末が支援できる周波数帯域幅に基づいて、ＯＢＯカウンタを減らす。図１８と図２０の実施形態において無線通信端末は、ランダムアクセスに割り当てられたＲＵが一定大きさ以下の周波数帯域幅を有する主チャネルに含まれた場合、該当ＲＵに基づいてＯＢＯカウントを減らす。
【０１３５】
図１８の実施形態において、第１ステーションＳＴＡ１は、２０ＭＨｚ以下の周波数帯域のみを支援する。第２ステーションＳＴＡ２は、２０ＭＨｚ以上の周波数帯域を支援する。第１ステーションＳＴＡ１と第２ステーションＳＴＡ２は、第１ＡＰ（ＡＰ１）からビーコンフレームを受信する。第１ステーションＳＴＡ１と第２ステーションＳＴＡ２は、ビーコンフレームからＵＯＲＡパラメータセットエレメントを獲得し、ＯＢＯ手順を初期化する。具体的に第１ステーションＳＴＡ１は、ＵＯＲＡパラメータセットエレメントに応じてＯＣＷｍｉｎとＯＣＷｍａｘを設定し、ＯＣＷを初期化する。第１ステーションＳＴＡ１は、ＯＣＷ内で任意に１０を選択し、ＯＢＯカウンタを１０に設定する。また、第２ステーションＳＴＡ２は、ＵＯＲＡパラメータセットエレメントに応じてＯＣＷｍｉｎとＯＣＷｍａｘを設定し、ＯＣＷを初期化する。第２ステーションＳＴＡ２は、ＯＣＷ内で任意に１２を選択し、ＯＢＯカウンタを１２に設定する。
【０１３６】
第１ステーションＳＴＡ１と第２ステーションＳＴＡ２は、第１ＡＰ（ＡＰ１）からトリガーフレームを受信する。このとき、トリガーフレームは、ランダムアクセスのために割り当てられたＲＵに二つのＲＵを指示する。一個のＲＵは、２０ＭＨｚ周波数帯域幅を有する主チャネルに含まれ、残りの一個のＲＵは、２０ＭＨｚ周波数帯域幅を有する主チャネルに含まれない。第１ステーションＳＴＡ１が２０ＭＨｚ以下の周波数帯域幅のみを支援するので、第１ステーションＳＴＡ１は、ＯＢＯカウンタを１だけ減らして、ＯＢＯカウンタを９に設定する。第２ステーションＳＴＡ２が２０ＭＨｚ以上の周波数帯域幅も支援するので、第２ステーションＳＴＡ２は、ＯＢＯカウンタを２だけ減らして、ＯＢＯカウンタを１０に設定する。
【０１３７】
図１９の実施形態において図１８の実施形態のように第１ステーションＳＴＡ１は、２０ＭＨｚ以下の周波数帯域のみを支援し、第２ステーションＳＴＡ２は、２０ＭＨｚ以上の周波数帯域を支援する。図１８の実施形態と同じ第１ステーションＳＴＡ１と第２ステーションＳＴＡ２の動作については、説明を省略する。
【０１３８】
第１ステーションＳＴＡ１と第２ステーションＳＴＡ２は、第１ＡＰ（ＡＰ１）からトリガーフレームを受信する。このとき、トリガーフレームは、ランダムアクセスのために割り当てられたＲＵに二つのＲＵを指示する。一個のＲＵは、２０ＭＨｚと同じであるか、または小さな周波数帯域幅を有し、残りの一個のＲＵは、２０ＭＨｚより大きな周波数帯域幅を有する。第１ステーションＳＴＡ１が２０ＭＨｚ以下の周波数帯域幅のみを支援するので、第１ステーションＳＴＡ１は、ＯＢＯカウンタを１だけ減らして、ＯＢＯカウンタを９に設定する。第２ステーションＳＴＡ２が２０ＭＨｚ以上の周波数帯域幅も支援するので、第２ステーションＳＴＡ２は、ＯＢＯカウンタを２だけ減らして、ＯＢＯカウンタを１０に設定する。
【０１３９】
図２０ないし図２１は、８０ＭＨｚ以下の周波数帯域幅を有するＰＰＤＵのみを支援する無線通信端末が本発明の実施形態によってランダムアクセスを行う動作を示す。
【０１４０】
図２０の実施形態において第１ステーションＳＴＡ１は、８０ＭＨｚ以下の周波数帯域のみを支援し、第２ステーションＳＴＡ２は、８０ＭＨｚ以上の周波数帯域（１６０ＭＨｚ、８０＋８０ＭＨｚ）を支援する。図１８ないし図１９の実施形態と同じ第１ステーションＳＴＡ１と第２ステーションＳＴＡ２の動作については、説明を省略する。
【０１４１】
第１ステーションＳＴＡ１と第２ステーションＳＴＡ２は、第１ＡＰ（ＡＰ１）からトリガーフレームを受信する。このとき、トリガーフレームは、ランダムアクセスのために割り当てられたＲＵに二つのＲＵを指示する。一個のＲＵは、８０ＭＨｚ周波数帯域幅を有する主チャネルに含まれ、残りの一個のＲＵは、８０ＭＨｚ周波数帯域幅を有する主チャネルに含まれない。第１ステーションＳＴＡ１が８０ＭＨｚ以下の周波数帯域幅のみを支援するので、第１ステーションＳＴＡ１は、ＯＢＯカウンタを１だけ減らして、ＯＢＯカウンタを９に設定する。第２ステーションＳＴＡ２が８０ＭＨｚ以上の周波数帯域幅も支援するので、第２ステーションＳＴＡ２は、ＯＢＯカウンタを２だけ減らして、ＯＢＯカウンタを１０に設定する。
【０１４２】
図２１の実施形態において図２０の実施形態のように第１ステーションＳＴＡ１は、８０ＭＨｚ以下の周波数帯域のみを支援し、第２ステーションＳＴＡ２は、８０ＭＨｚ以上の周波数帯域（１６０ＭＨｚ、８０＋８０ＭＨｚ）を支援する。図１８ないし図２０の実施形態と同じ第１ステーションＳＴＡ１と第２ステーションＳＴＡ２の動作については、説明を省略する。
【０１４３】
第１ステーションＳＴＡ１と第２ステーションＳＴＡ２は、第１ＡＰ（ＡＰ１）からトリガーフレームを受信する。このとき、トリガーフレームは、ランダムアクセスのために割り当てられたＲＵに二つのＲＵを指示する。一個のＲＵは、８０ＭＨｚと同じであるか、または小さな周波数帯域幅を有し、残りの一個のＲＵは、８０ＭＨｚより大きな周波数帯域幅を有する。第１ステーションＳＴＡ１が８０ＭＨｚ以下の周波数帯域幅のみを支援するので、第１ステーションＳＴＡ１は、ＯＢＯカウンタを１だけ減らして、ＯＢＯカウンタを９に設定する。第２ステーションＳＴＡ２が２０ＭＨｚ以上の周波数帯域幅も支援するので、第２ステーションＳＴＡ２は、ＯＢＯカウンタを２だけ減らして、ＯＢＯカウンタを１０に設定する。
【０１４４】
上述の無線通信端末のランダムアクセス動作において無線通信端末は、無線通信端末と結合されたベース無線通信端末からＯＢＯ関連パラメータに関する情報を受信して、受信した情報に応じてＯＢＯ関連パラメータを設定した。具体的に無線通信端末と結合されたベース無線通信端末からＵＯＲＡパラメータセットエレメントを受信して、ＵＯＲＡパラメータセットエレメントに基づいてＯＢＯ関連パラメータを設定した。ベース無線通信端末と結合されない（ｕｎａｓｓｏｃｉａｔｅｄ）無線通信端末は、ベース無線通信端末が送信するトリガーフレームに基づいて、ランダムアクセスを行うことができる。このような場合、結合されない無線通信端末がＯＢＯ関連パラメータを設定する方法とＯＢＯ手順を初期化する方法が問題になる。これについては、図２２ないし図２５を介して具体的に説明する。本明細書において別の説明がない場合、結合されない無線通信端末は、いかなるベース無線通信端末とも結合されない無線通信端末を表すことができる。
【０１４５】
図２２は、本発明の実施形態にかかる結合されない（ｕｎａｓｓｏｃｉａｔｅｄ）無線通信端末のランダムアクセス動作を示す。
【０１４６】
無線通信端末が無線通信端末と結合されないベース無線通信端末から、無線通信端末のランダムアクセスをトリガーするトリガーフレームを受信する場合、無線通信端末は、該当ベース無線通信端末が送信したＯＢＯ関連パラメータに関する情報に基づいて、ＯＢＯ手順を始めることができる。具体的に無線通信端末は、無線通信端末と結合されないベース無線通信端末からＵＯＲＡパラメータセットエレメントを受信することができる。このとき、無線通信端末が該当ベース無線通信端末から無線通信端末のランダムアクセスをトリガーするトリガーフレームを受信する場合、無線通信端末は、ＵＯＲＡパラメータセットエレメントに応じてＯＣＷｍｉｎ及びＯＣＷｍａｘを設定し、ＯＢＯ手順を始めることができる。
【０１４７】
無線通信端末がＵＯＲＡパラメータセットエレメントを送信したベース無線通信端末と異なる無線通信端末から無線通信端末のランダムアクセスをトリガーするトリガーフレームを受信する場合、無線通信端末は、受信したＵＯＲＡパラメータセットエレメントに応じてＯＢＯ関連手順を行わなくても良い。具体的に無線通信端末がＵＯＲＡパラメータセットエレメントを送信したベース無線通信端末と異なる 無線通信端末から無線通信端末のランダムアクセスをトリガーするトリガーフレームを受信する場合、無線通信端末は、トリガーフレームに基づいて、ＯＢＯカウンタを減らさなくても良い。このために無線通信端末は、ＵＯＲＡパラメータセットエレメントを送信したベース無線通信端末の識別子とトリガーフレームを送信したベース無線通信端末の識別子とを比較できる。このとき、ベース無線通信端末の識別子は、ＭＡＣアドレスまたはＢＳＳＩＤでありうる。上述の実施形態においてランダムアクセスをトリガーするトリガーフレームは、結合されない無線通信端末のランダムアクセスをトリガーするトリガーフレームでありうる。
【０１４８】
また、無線通信端末がＵＯＲＡパラメータセットエレメントを送信したベース無線通信端末と異なる無線通信端末から新しいＵＯＲＡパラメータセットエレメントを受信する場合、無線通信端末は、新しく受信したＵＯＲＡパラメータセットエレメントに基づいて、ＯＢＯ手順を初期化しなくても良い。このとき、ＯＢＯ手順の初期化は、ＯＢＯカウンタ初期化及びＯＣＷ初期化のうち、少なくともいずれか一つを含む。また、無線通信端末がＵＯＲＡパラメータセットエレメントを送信したベース無線通信端末と異なる無線通信端末から新しいＵＯＲＡパラメータセットエレメントを受信する場合、無線通信端末は、新しく受信したＵＯＲＡパラメータセットエレメントに基づいて、ＯＢＯ関連パラメータを設定しなくても良い。このとき、ＯＢＯ関連パラメータの設定は、ＯＣＷｍｉｎ設定及びＯＣＷｍａｘ設定のうち、少なくともいずれか一つを含むことができる。このために無線通信端末は、ＵＯＲＡパラメータセットエレメントを送信したベース無線通信端末の識別子と新しいＵＯＲＡパラメータセットエレメントを送信したベース無線通信端末の識別子とを比較できる。このとき、ベース無線通信端末の識別子は、ＭＡＣアドレスまたはＢＳＳＩＤでありうる。このような実施形態を介して結合されない無線通信端末がＯＢＯ手順を初期化し続けるか、または他の無線通信端末と公平性を破壊しながらランダムアクセスを行うのを防止できる。
【０１４９】
図２２の実施形態において、第１ステーションＳＴＡ１は、いかなるベース無線通信端末とも結合されない無線通信端末である。第１ステーションＳＴＡ１は、第１ＡＰ（ＡＰ１）からビーコンフレームを受信し、受信したビーコンフレームからＵＯＲＡパラメータセットエレメントを獲得する。第１ステーションＳＴＡ１は、獲得したＵＯＲＡパラメータセットエレメントに応じてＯＢＯ関連パラメータを設定し、ＯＢＯ手順を初期化する。具体的に第１ステーションＳＴＡ１は、獲得したＵＯＲＡパラメータセットエレメントに応じてＯＣＷｍｉｎとＯＣＷｍａｘを設定し、ＯＣＷ内で任意の整数を選択する。このとき、任意に選択した整数は、１０で、第１ステーションＳＴＡ１は、ＯＢＯカウンタを１０に設定する。
【０１５０】
第１ステーションＳＴＡ１は、第１ＡＰ（ＡＰ１）からランダムアクセスに割り当てられた二つのＲＵを指示するトリガーフレームを受信する。このとき、第１ステーションＳＴＡ１は、ＯＢＯカウントを２だけ減らして、ＯＢＯカウントを８に設定する。
【０１５１】
第１ステーションＳＴＡ１は、第２ＡＰ（ＡＰ２）からランダムアクセスに割り当てられた二つのＲＵを指示するトリガーフレームを受信する。ＯＢＯ関連パラメータを設定するのに使用されたＵＯＲＡパラメータセットエレメントを送信した第１ＡＰ（ＡＰ１）と第２ＡＰ（ＡＰ２）が互いに異なる識別子を有するので、第１ステーションＳＴＡ１は、ＯＢＯカウンタをそのまま維持する。
【０１５２】
第１ステーションＳＴＡ１は、第２ＡＰ（ＡＰ２）からからビーコンフレームを受信し、受信したビーコンフレームは、ＵＯＲＡパラメータセットエレメントを含む。ＯＢＯ関連パラメータを設定するのに使用されたＵＯＲＡパラメータセットエレメントを送信した第１ＡＰ（ＡＰ１）と第２ＡＰ（ＡＰ２）が互いに異なる識別子を有するので、第１ステーションＳＴＡ１は、ＯＢＯ関連パラメータをアップデートしない。
【０１５３】
第１ステーションＳＴＡ１は、第１ＡＰ（ＡＰ１）からビーコンフレームを受信し、受信したビーコンフレームからＵＯＲＡパラメータセットエレメントを獲得する。第１ステーションＳＴＡ１がＯＢＯ関連パラメータを設定するのに使用されたＵＯＲＡパラメータセットエレメントを送信した第１ＡＰ（ＡＰ１）から再度ＵＯＲＡパラメータセットエレメントを受信したことであるので、第１ステーションＳＴＡ１は、新しく受信したＵＯＲＡパラメータセットエレメントに応じてＯＢＯ関連パラメータをアップデートする。
【０１５４】
図２２を介して説明した実施形態による場合、結合されない無線通信端末が初めてＵＯＲＡパラメータセットエレメントを受信したベース無線通信端末以外のベース無線通信端末がトリガーするランダムアクセスに参加することができない。したがって、これを解決するための方法が必要である。
【０１５５】
図２３は、本発明の実施形態にかかる結合されない（ｕｎａｓｓｏｃｉａｔｅｄ）無線通信端末のランダムアクセス動作を示す。
【０１５６】
結合されない無線通信端末が第１ベース無線通信端末に対するＯＢＯ手順を行なう中に第２ベース無線通信端末に対するＯＢＯ手順を行う場合、結合されない無線通信端末は、ＯＢＯ手順を初期化できる。具体的に結合されない無線通信端末は、ベース無線通信端末別にＯＢＯ関連パラメータ及びＯＢＯ手順を維持できる。具体的な実施形態において、結合されない無線通信端末は、ベース無線通信端末別にＯＢＯ関連パラメータを設定できる。具体的に結合されない無線通信端末は、各ベース無線通信端末から受信したＯＢＯ関連パラメータに関する情報に基づいて、各ベース無線通信端末別にＯＢＯ関連パラメータを設定できる。具体的な実施形態において無線通信端末がいずれか一つのベース無線通信端末からＵＯＲＡパラメータセットエレメントを受信した場合、無線通信端末は、該当ＵＯＲＡパラメータセットエレメントのためのＯＢＯ関連パラメータをアップデートできる。このとき、ＯＢＯ関連パラメータは、ＯＣＷｍｉｎとＯＣＷｍａｘのうち、少なくともいずれか一つでありうる。
【０１５７】
また、結合されない無線通信端末は、ベース無線通信端末別にＯＢＯ手順を初期化できる。具体的に結合されない無線通信端末は、ベース無線通信端末別にＯＢＯカウンタを維持できる。具体的な実施形態において、結合されない無線通信端末がいずれか一つのベース無線通信端末からランダムアクセスをトリガーするトリガーフレームを受信した場合、結合されない無線通信端末は、該当トリガーフレームが指示する、ランダムアクセスのためのＲＵの個数に基づいて、該当ベース無線通信端末のためのＯＢＯカウンタを減らすことができる。
【０１５８】
図２３の実施形態において、第１ステーションＳＴＡ１は、いかなるベース無線通信端末とも結合されない無線通信端末である。第１ステーションＳＴＡ１は、第１ＡＰ（ＡＰ１）からビーコンフレームを受信し、受信したビーコンフレームからＵＯＲＡパラメータセットエレメントを獲得する。第１ステーションＳＴＡ１は、獲得したＵＯＲＡパラメータセットエレメントに応じて第１ＡＰ（ＡＰ１）のためのＯＢＯ関連パラメータ（Ｓｅｔ１）を設定し、ＯＢＯ手順を初期化する。具体的に第１ステーションＳＴＡ１は、獲得したＵＯＲＡパラメータセットエレメントに応じて第１ＡＰ（ＡＰ１）のためのＯＣＷｍｉｎとＯＣＷｍａｘを設定し、第１ＡＰ（ＡＰ１）ＯＣＷ内で任意の整数を選択する。このとき、任意に選択した整数は、１０で、第１ステーションＳＴＡ１は、第１ＡＰ（ＡＰ１）のためのＯＢＯカウンタを１０に設定する。
【０１５９】
第１ステーションＳＴＡ１は、第１ＡＰ（ＡＰ１）からランダムアクセスに割り当てられた二つのＲＵを指示するトリガーフレームを受信する。このとき、第１ステーションＳＴＡ１は、第１ＡＰ（ＡＰ１）のためのＯＢＯカウントを２だけ減らして、第１ＡＰ（ＡＰ１）のためのＯＢＯカウントを８に設定する。
【０１６０】
第１ステーションＳＴＡ１は、第２ＡＰ（ＡＰ２）からビーコンフレームを受信し、受信したビーコンフレームからＵＯＲＡパラメータセットエレメントを獲得する。ＯＢＯ関連パラメータを設定するのに使用されたＵＯＲＡパラメータセットエレメントを送信した第１ＡＰ（ＡＰ１）と第２ＡＰ（ＡＰ２）が互いに異なる識別子を有するので、第１ステーションＳＴＡ１は、獲得したＵＯＲＡパラメータセットエレメントに応じて第２ＡＰ（ＡＰ２）のためのＯＢＯ関連パラメータ（Ｓｅｔ２）を設定し、第２ＡＰ（ＡＰ２）のためのＯＢＯ手順を初期化する。具体的に第１ステーションＳＴＡ１は、獲得したＵＯＲＡパラメータセットエレメントに応じて第２ＡＰ（ＡＰ２）のためのＯＣＷｍｉｎとＯＣＷｍａｘを設定し、第２ＡＰ（ＡＰ２）のためのＯＣＷ内で任意の整数を選択する。このとき、任意に選択した整数は１２で、第１ステーションＳＴＡ１は、第２ＡＰ（ＡＰ２）のためのＯＢＯカウンタを１２に設定する。このとき、第１ステーションＳＴＡ１は、第１ＡＰ（ＡＰ１）のためのＯＢＯ関連パラメータをアップデートせず、ＯＢＯ手順を初期化しない。
【０１６１】
第１ステーションＳＴＡ１は、第２ＡＰ（ＡＰ２）からランダムアクセスに割り当てられた二つのＲＵを指示するトリガーフレームを受信する。このとき、第１ステーションＳＴＡ１は、第２ＡＰ（ＡＰ２）のためのＯＢＯカウントを２だけ減らして、第２ＡＰ（ＡＰ２）のためのＯＢＯカウントを１０に設定する。このとき、第１ステーションＳＴＡ１は、第１ＡＰ（ＡＰ１）のためのＯＢＯカウンタは、そのまま８に維持する。
【０１６２】
図２２ないし図２３の実施形態による場合、無線通信端末は、ベース無線通信端末からＯＢＯ関連パラメータに関する情報を受信しない場合、ランダムアクセスに参加できない。したがって、このような問題を解決するための無線通信端末の動作が必要である。
【０１６３】
図２４は、本発明の実施形態にかかる結合されない（ｕｎａｓｓｏｃｉａｔｅｄ）無線通信端末のランダムアクセス動作を示す。
【０１６４】
結合されない無線通信端末は、ＯＢＯ関連パラメータ別に予め指定されたデフォルト値を使用して、ランダムアクセスを行うことができる。具体的に結合されない無線通信端末は、ＯＣＷｍｉｎにＯＣＷｍｉｎのデフォルト値として予め指定された値を設定できる。また、結合されない無線通信端末は、ＯＣＷｍａｘにＯＣＷｍａｘのデフォルト値として予め指定された値を設定できる。このとき、ＯＣＷｍｉｎのデフォルト値として予め指定された値は、ベース無線通信端末により指定される値でないことができる。また、ＯＣＷｍａｘのデフォルト値として予め指定された値は、ベース無線通信端末により指定される値でないことができる。具体的に結合されない無線通信端末がベース無線通信端末からＯＢＯ関連パラメータに関する情報を受信しない場合、結合されない無線通信端末は、ＯＢＯ関連パラメータ別に予め指定されたデフォルト値を使用することができる。このとき、結合されない無線通信端末がベース無線通信端末からＯＢＯ関連パラメータに関する情報を受信した場合、結合されない無線通信端末は、ＯＢＯ関連パラメータに関する情報に応じてＯＢＯ関連パラメータを設定できる。
【０１６５】
具体的な実施形態において、結合されない無線通信端末がＯＢＯ関連パラメータ別に予め指定されたデフォルト値を使用する場合、結合されない無線通信端末は、ベース無線通信端末からＯＢＯ関連パラメータに関する情報を受信する場合にも、ＯＢＯ関連パラメータをＯＢＯ関連パラメータに関する情報に応じて設定しなくても良い。また、具体的な実施形態において、結合されない無線通信端末がＯＢＯ関連パラメータ別に予め指定されたデフォルト値を使用し、第１ベース無線通信端末に対するランダムアクセスを行う中に第２ベース無線通信端末にランダムアクセスを行う場合、結合されない無線通信端末は、ＯＢＯ手順を初期化しなくても良い。例えば、結合されない無線通信端末がＯＢＯ関連パラメータ別に予め指定されたデフォルト値を使用し、第１ベース無線通信端末に対するランダムアクセスを行う中に第２ベース無線通信端末にランダムアクセスを行う場合、結合されない無線通信端末は、第１ベース無線通信端末に対するＯＢＯ手順において使用していたＯＢＯカウンタ値を第２ベース無線通信端末にランダムアクセスにおいても使用することができる。
【０１６６】
図２４の実施形態において、第１ステーションＳＴＡ１は、ベース無線通信端末からＵＯＲＡパラメータセットエレメントを受信していない状態でＯＣＷｍｉｎをＯＣＷｍｉｎのデフォルト値として設定し、ＯＣＷｍａｘをＯＣＷｍａｘ値として設定する。このとき、第１ステーションＳＴＡ１は、ＯＢＯ手順を初期化し、ＯＣＷ内で任意の整数として１０を選択する。第１ステーションＳＴＡ１は、任意に選択された１０をＯＢＯカウントとして設定する。
【０１６７】
第１ステーションＳＴＡ１は、第１ＡＰ（ＡＰ１）からビーコンフレームを受信し、ビーコンフレームからＵＯＲＡパラメータセットエレメントを獲得する。第１ステーションＳＴＡ１は、ＯＢＯ手順を初期化せずに、ＯＢＯ関連パラメータの値をそのまま維持する。
【０１６８】
第１ステーションＳＴＡ１は、第１ＡＰ（ＡＰ１）からランダムアクセスに割り当てられた二つのＲＵを指示するトリガーフレームを受信する。このとき、第１ステーションＳＴＡ１は、ＯＢＯカウントを２だけ減らして、ＯＢＯカウントを８に設定する。
【０１６９】
また、第１ステーションＳＴＡ１は、第２ＡＰ（ＡＰ２）からランダムアクセスに割り当てられた二つのＲＵを指示するトリガーフレームを受信する。このとき、第１ステーションＳＴＡ１は、ＯＢＯカウントを２だけ減らして、ＯＢＯカウントを６に設定する。
【０１７０】
図２５は、本発明の実施形態にかかる結合されない（ｕｎａｓｓｏｃｉａｔｅｄ）無線通信端末のランダムアクセス動作を示す。
【０１７１】
結合されない無線通信端末は、ベース無線通信端末にランダムアクセスして、マネジメントフレームを送信できる。具体的に結合されない無線通信端末は、ベース無線通信端末にランダムアクセスして、プローブ要請フレーム、認証（ａｕｔｈｅｎｔｉｃａｔｉｏｎ）要請フレーム、結合（ａｓｓｏｃｉａｔｉｏｎ）要請フレームのうち、少なくともいずれか一つを送信できる。無線通信端末がトリガーフレームに対する応答としてトリガー基盤ＰＰＤＵを送信する場合、無線通信端末は、ＭＡＣパッディング規則に従ってＡ−ＭＰＤＵ（Ａｇｇｒｅｇａｔｅ−ＭＡＣ  Ｐｒｏｔｏｃｏｌ  Ｄａｔａ  Ｕｎｉｔ）形態で送信しなければならない。ただし、プローブ要請フレーム、認証（ａｕｔｈｅｎｔｉｃａｔｉｏｎ）要請フレーム、結合（ａｓｓｏｃｉａｔｉｏｎ）要請フレームは、即刻な応答を要請しないＭＭＰＤＵ（ＭＡＣ  Ｍａｎａｇｅｍｅｎｔ  Ｐｒｏｔｏｃｏｌ  Ｄａｔａ  Ｕｎｉｔ）であるから、Ａ−ＭＰＤＵを使用する送信が許容されなくても良い。このとき、即刻な応答は、一つのＴＸＯＰ（ｔｒａｎｓｍｉｓｓｉｏｎ  ｏｐｐｏｒｔｕｎｉｔｙ）内で一定期間内に応答を送信することを表すことができる。一定期間は、ＳＩＦＳでありうる。結合されない無線通信端末のランダムアクセスを介した送信のために、Ａ−ＭＰＤＵにＭＭＰＤＵを集合して送信することが許容されることができる。このとき、ＭＭＰＤＵは、プローブ要請フレーム、認証（ａｕｔｈｅｎｔｉｃａｔｉｏｎ）要請フレーム、結合（ａｓｓｏｃｉａｔｉｏｎ）要請フレーム及び再結合（ｒｅａｓｓｏｃｉａｔｉｏｎ）要請フレームのうち、少なくともいずれか一つを含むことができる。具体的にＡ−ＭＰＤＵのコンテンツに関するコンテキストのうち、即刻な応答を要請しないデータを含むコンテキスト（ｔｈｅ  ｄａｔａ  ｅｎａｂｌｅｄ  ｎｏ  ｉｍｍｅｄｉａｔｅ  ｒｅｓｐｏｎｓｅ  ｃｏｎｔｅｘｔ）にＭＭＰＤＵの送信を含めることができる。具体的な実施形態において、Ａ−ＭＰＤＵのコンテンツに関するコンテキストのうち、即刻な応答を要請しないデータを含むコンテキスト（ｔｈｅ  ｄａｔａ  ｅｎａｂｌｅｄ  ｎｏ  ｉｍｍｅｄｉａｔｅ  ｒｅｓｐｏｎｓｅ  ｃｏｎｔｅｘｔ）で結合されることができるＭＰＤＵの種類でプローブ要請フレーム、認証（ａｕｔｈｅｎｔｉｃａｔｉｏｎ）要請フレーム、結合（ａｓｓｏｃｉａｔｉｏｎ）要請フレームを規定できる。さらに他の具体的な実施形態において、Ａ−ＭＰＤＵのコンテンツに関するコンテキストが定義されることができる。具体的に結合手順のためのコンテキストが設定され、結合手順のためのコンテキストで定義するＡ−ＭＰＤＵは、即刻な応答を要求せず、ＱｏＳ  ＮｕｌｌフレームまたはＡｃｔｉｏｎ  Ｎｏ  ＡＣＫフレームをＭＭＰＤＵと集合（ａｇｇｒｅｇａｔｅ）できることを規定できる。例えば、結合手順のためのコンテキストで定義するＡ−ＭＰＤＵは、即刻な応答を要求せず、ＱｏＳ  ＮｕｌｌフレームまたはＡｃｔｉｏｎ  Ｎｏ  ＡＣＫフレームをプローブ要請フレーム、認証（ａｕｔｈｅｎｔｉｃａｔｉｏｎ）要請フレームまたは結合（ａｓｓｏｃｉａｔｉｏｎ）要請フレームとの集合が許容されることを規定できる。
【０１７２】
図２５の実施形態において、結合されない第１ステーションＳＴＡ１は、ＡＰからビーコンフレームを受信する。第１ステーションＳＴＡ１は、ビーコンフレームからＵＯＲＡパラメータセットエレメントを獲得し、獲得したＵＯＲＡパラメータセットエレメントに応じてＯＢＯ手順を初期化する。第１ステーションＳＴＡ１は、ＯＢＯカウンタを３に設定する。第１ステーションＳＴＡ１は、ＡＰからランダムアクセスに割り当てられた４個のＲＵを指示するトリガーフレームを受信する。第１ステーションＳＴＡ１は、トリガーフレームに基づいて、ＯＢＯカウンタを０に減らす。したがって、第１ステーションＳＴＡ１は、ランダムアクセスに割り当てられたＲＵを介してＡＰにプローブ要請フレームまたは結合要請フレームが集合されたＡ−ＭＰＤＵを含むトリガー基盤ＰＰＤＵ（ＨＥ  ＴＲＩＧ  ＰＰＤＵ）を送信する。ＡＰは、複数のステーションに対する多重ステーションブロックＡｃｋ（Ｍｕｌｔｉ−ＳＴＡ  ＢｌｏｃｋＡｃｋ、Ｍ−ＢＡ）を送信する。
【０１７３】
ランダムアクセスを行う無線通信端末がトリガーフレームにより上向き送信がスケジューリングされた（ｓｃｈｅｄｕｌｅｄ）場合、無線通信端末の動作について図２６を介して説明する。
【０１７４】
図２６は、本発明の実施形態にかかる無線通信端末がトリガーフレームにより上向き送信がスケジューリングされた場合、無線通信端末のランダムアクセス動作を示す。
【０１７５】
ランダムアクセスを行う無線通信端末がトリガーフレームにより上向き送信がスケジューリングされた場合、該当無線通信端末が該当トリガーフレームが指示するランダムアクセスに割り当てられたＲＵに基づいて、ＯＢＯカウンタを減らすことができるかどうかが問題になる。ランダムアクセスを行う無線通信端末がトリガーフレームにより上向き送信がスケジューリングされた場合にも、該当トリガーフレームが指示するランダムアクセスに割り当てられたＲＵに基づいて、ＯＢＯカウンタを減らすようにする場合、該当無線通信端末は、他の無線通信端末に比べて過度な優先権を有することができる。したがって、無線通信端末間の公平性を破壊することができる。ランダムアクセスを行う無線通信端末がトリガーフレームにより上向き送信がスケジューリングされた場合、該当無線通信端末は、トリガーフレームが指示するランダムアクセスに割り当てられたＲＵの個数と関係なしでＯＢＯカウンタを維持できる。
【０１７６】
トリガーフレームは、トリガーフレームにより上向き送信がスケジューリングされた無線通信端末が上向き送信を行う時に、キャリアセンシングが必要であることを指示できる。このとき、キャリアセンシング結果、上向き送信に使用するＲＵが使用中であると判断された場合、該当無線通信端末は、上向き送信を試みないことができる。具体的にトリガーフレームは、ＣＳ  ｒｅｑｕｉｒｅｄフィールドを使用して、トリガーフレームに上向き送信がスケジューリングされた無線通信端末が上向き送信を行う時にキャリアセンシングが必要であることを指示できる。また、キャリアセンシングは、エネルギー感知（Ｅｎｇｅｒ  Ｄｅｔｅｃｔ、ＥＤ）を含むことができる。キャリアセンシングにより上向き送信に使用するＲＵが使用中であると判断された場合、トリガーフレームにより上向き送信がスケジューリングされた無線通信端末のランダムアクセス動作が問題になる。該当無線通信端末は、トリガーフレームにより上向き送信が指示されたが、上向き送信を行うことができなかったためである。
【０１７７】
トリガーフレームがランダムアクセスを行う無線通信端末の上向き送信をスケジューリングし、該当上向き送信がキャリアセンシングが必要であることを指示する場合、ランダムアクセスを行う無線通信端末は、次の通りに動作できる。キャリアセンシングにより上向き送信に使用するＲＵが使用中であると判断された場合、ランダムアクセスを行う無線通信端末は、トリガーフレームが指示するランダムアクセスに割り当てられたＲＵに基づいて、ＯＢＯカウンタを減らすことができる。具体的にランダムアクセスを行う無線通信端末は、トリガーフレームが指示するランダムアクセスに割り当てられたＲＵの個数分だけＯＢＯカウンタを減らすことができる。また、キャリアセンシングにより上向き送信に使用するＲＵが使用中であると判断された場合、ＯＢＯカウンタが０であるか、またはＯＢＯカウンタが０に到達しても、ランダムアクセスを行う無線通信端末は、ＯＢＯカウンタを０に維持し上向き送信を試みないことができる。さらに他の具体的な実施形態において、キャリアセンシングにより上向き送信に使用するＲＵが使用中であると判断され、ＯＢＯカウンタが０であるか、またはＯＢＯカウンタが０に到達した場合、ランダムアクセスを行う無線通信端末は、ランダムアクセスに割り当てられたＲＵのうち、いずれか一つを任意に選択して、上向き送信を試みることができる。
【０１７８】
図２６の実施形態において、第１ステーションＳＴＡ１は、ＡＰからビーコンフレームを受信する。第１ステーションＳＴＡ１は、ビーコンフレームからＵＯＲＡパラメータセットエレメントを獲得し、獲得したＵＯＲＡパラメータセットエレメントに応じてＯＢＯ手順を初期化する。第１ステーションＳＴＡ１は、ＯＢＯカウンタを３に設定する。第１ステーションＳＴＡ１は、ＡＰからランダムアクセスに割り当てられた４個のＲＵを指示し、第１ステーションＳＴＡ１の上向き送信をスケジューリングするトリガーフレームを受信する。第１ステーションＳＴＡ１は、トリガーフレームが第１ステーションＳＴＡ１の上向き送信をスケジューリングするから、ＯＢＯカウンタをそのまま維持する。また、第１ステーションＳＴＡ１は、ＡＰにトリガーフレームの指示する情報に応じてトリガー基盤ＰＰＤＵ（ＨＥ  ＴＲＩＧ  ＰＰＤＵ）を送信する。ＡＰは、複数のステーションに対する多重ステーションブロックＡｃｋ（Ｍｕｌｔｉ−ＳＴＡ  ＢｌｏｃｋＡｃｋ、Ｍ−ＢＡ）を送信する。
【０１７９】
上述の実施形態において無線通信端末がビーコンフレームからＯＢＯカウンタに関する情報を獲得できることを説明した。このように無線通信端末は、ビーコンフレームからＢＳＳに関する情報を獲得できる。また、ベース無線通信端末は、ＢＳＳに対した情報をシグナリングするために、ビーコンフレームを周期的に送信できる。ビーコンフレームに対する具体的な送信方法については、図２７ないし図３５を介して説明する。
【０１８０】
図２７は、本発明の実施形態にかかるレガシーＰＰＤＵフォーマットを示す。
【０１８１】
レガシー無線通信端末が送信できるレガシーＰＰＤＵの種類は、Ｎｏｎ−ＨＴ  ＰＰＤＵ、ＨＴ−ｍｉｘｅｄ  ＰＰＤＵ、ＨＴ−ｇｒｅｅｎｆｉｅｌｄ  ＰＰＤＵ及びＶＨＴ  ＰＰＤＵのうち、少なくともいずれか一つを含むことができる。
【０１８２】
図２７（ａ）は、Ｎｏｎ−ＨＴ  ＰＰＤＵのフォーマットを示す。Ｎｏｎ−ＨＴ  ＰＰＤＵフォーマットは、比較的短いトレーニング信号を含むＳｈｏｒｔ  Ｔｒａｉｎｉｎｇフィールド、比較的長いトレーニング信号を含むＬｏｎｇ  Ｔｒａｉｎｉｎｇフィールド、シグナリング情報を含むＳｉｇｎａｌフィールド及びＰＰＤＵのペイロードを含むＤａｔａフィールドを含む。図２７（ｂ）は、ＨＴ−ｍｉｘｅｄ  ＰＰＤＵのフォーマットを示す。ＨＴ−ｍｉｘｅｄ  ＰＰＤＵは、ＨＴ−ｍｉｘｅｄ  ＰＰＤＵを支援しないレガシー無線通信端末のために、Ｌ−ＳＴＦ、Ｌ−ＬＴＦ及びＬ−ＳＩＧフィールドを含む。また、ＨＴ−ｍｉｘｅｄ  ＰＰＤＵは、シグナリング情報を含むＨＴ−ＳＩＧフィールドと比較的短いトレーニング信号を含むＨＴ−ＳＴＦを含み、比較的長いトレーニング信号を含むＨＴ−ＬＴＦを少なくとも一つ含み、ＰＰＤＵのペイロードを含むＤａｔａフィールドを含む。図２７（ｃ）は、ＨＴ−ｇｒｅｅｎｆｉｅｌｄ  ＰＰＤＵのフォーマットを示す。ＨＴ−ｇｒｅｅｎｆｉｅｌｄ  ＰＰＤＵは、比較的短いトレーニング信号を含むＨＴ−ＧＦ−ＳＴＦとシグナリング情報を含むＨＴ−ＳＩＧフィールド、比較的長いトレーニング信号を含むＨＴ−ＬＴＦを少なくとも一つ含み、ＰＰＤＵのペイロードを含むＤａｔａフィールドを含む。図２７（ｄ）は、ＶＨＴ  ＰＰＤＵのフォーマットを示す。ＶＨＴ  ＰＰＤＵは、ＶＨＴ  ＰＰＤＵを支援しないレガシー無線通信端末のために、Ｌ−ＳＴＦ、Ｌ−ＬＴＦ及びＬ−ＳＩＧフィールドを含む。また、ＶＨＴ  ＰＰＤＵは、シグナリング情報を含むＶＨＴ−ＳＩＧ−Ａフィールドと比較的短いトレーニング信号を含むＶＨＴ−ＳＴＦを含み、比較的長いトレーニング信号を含むＶＨＴ−ＬＴＦを少なくとも一つ含み、ＰＰＤＵのペイロードを含むＤａｔａフィールドを含む。また、ＶＨＴ  ＰＰＤＵは、追加的な情報のシグナリングのために、ＶＨＴ−ＳＩＧ−Ｂフィールドを含むことができる。
【０１８３】
図２８は、本発明の実施形態にかかるノン−レガシーＰＰＤＵフォーマットを示す。
【０１８４】
本発明の実施形態にかかる無線通信端末は、一つ以上のノン−レガシーＰＰＤＵフォーマットを支援できる。また、本発明の実施形態にかかる無線通信端末は、ＰＰＤＵを送信する用途及び目的によって、複数のノン−レガシーＰＰＤＵフォーマットのうち、いずれか一つを選択して使用することができる。具体的に無線通信端末は、ＨＥ  ＳＵ  ＰＰＤＵ、ＨＥ  ＭＵ  ＰＰＤＵ、ＨＥ  ｅｘｔｅｎｄｅｄ  ｒａｎｇｅ  ＳＵ  ＰＰＤＵ及びＨＥ  ｔｒｉｇｇｅｒ−ｂａｓｅｄ  ＰＰＤＵのうち、少なくとも一つを支援できる。ノン−レガシーＰＰＤＵのＨＥ−ＳＩＧ−Ａフィールド、ＨＥ−ＳＩＧ−Ｂフィールドは、Ｐｒｅ−ＨＥ  ｍｏｄｕｌａｔｅｄフィールドと称されることができる。また、ノン−レガシーＰＰＤＵのＨＥ−ＳＴＦ、ＨＥ−ＬＴＦ、Ｄａｔｅフィールドは、ＨＥ  ｍｏｄｕｌａｔｅｄフィールドと称されることができる。Ｐｒｅ−ＨＥ  ｍｏｄｕｌａｔｅｄ  ｆｉｅｌｄとＨＥ  ｍｏｄｕｌａｔｅｄ  ｆｉｅｌｄｓは、他のヌーマロロジー（ｎｕｍｅｒｏｌｏｇｙ）でモジュレーションされることができる。
【０１８５】
図２８（ａ）は、ＨＥ  ＳＵ  ＰＰＤＵのフォーマットを示す。無線通信端末は、ＨＥ  ＳＵ  ＰＰＤＵを単一ユーザ（Ｓｉｎｇｌｅ  Ｕｓｅｒ、ＳＵ）送信に使用することができる。ＨＥ  ＳＵ  ＰＰＤＵは、レガシー無線通信端末のためのＬ−ＳＴＦ、Ｌ−ＬＴＦ及びＬ−ＳＩＧフィールドを含むことができる。また、ＨＥ  ＳＵ  ＰＰＤＵは、ノン−レガシーＰＰＤＵをシグナリングするためのＲＬ−ＳＩＧ、シグナリング情報を含むＨＥ−ＳＩＧ−Ａフィールドと比較的短いトレーニング信号を含むＨＥ−ＳＴＦを含み、比較的長いトレーニング信号を含むＨＥ−ＬＴＦを少なくとも一つ含み、ＰＰＤＵのペイロードを含むＤａｔａフィールドを含む。また、ＨＥ  ＳＵ  ＰＰＤＵは、プロセシング時間を確保するためのＰＥ（Ｐａｃｋｅｔ  Ｅｘｔｅｎｓｉｏｎ）フィールドを含むことができる。ＰＥフィールドのデューレーションは、ＴＸＶＥＣＴＯＲ  ｐａｒａｍｅｔｅｒ  ＰＥ＿ＤＵＲＡＴＩＯＮにより決定されることができる。ＨＥ  ＳＵ  ＰＰＤＵは、一つのＰＳＤＵを伝達（ｄｅｌｉｖｅｒ）できる。
【０１８６】
図２８（ｂ）は、ＨＥ  ＭＵ  ＰＰＤＵのフォーマットを示す。無線通信端末は、ＨＥ  ＭＵ  ＰＰＤＵを一名以上のユーザに対する送信に使用することができる。このとき、無線通信端末は、トリガーに対する応答としてＨＥ  ＭＵ  ＰＰＤＵを使用しなくても良い。ＨＥ  ＭＵ  ＰＰＤＵは、ＨＥ  ＳＵ  ＰＰＤＵと類似のフォーマットを有し、ＨＥ  ＳＵ  ＰＰＤＵに比べてＨＥ−ＳＩＧ−Ｂフィールドをさらに含むことができる。ＨＥ−ＳＩＧ−Ｂフィールドは、多重ユーザ（ＭｕｌｔｉＵｓｅｒ、ＭＵ）送信のための情報を含む。ＨＥ  ＭＵ  ＰＰＤＵは、一つ以上のＰＳＤＵを伝達できる。
【０１８７】
図２８（ｃ）は、ＨＥ  ｔｒｉｇｇｅｒ−ｂａｓｅｄ  ＰＰＤＵのフォーマットを示す。上述の実施形態においてトリガー基盤ＰＰＤＵは、ＨＥ  ｔｒｉｇｇｅｒ−ｂａｓｅｄ  ＰＰＤＵを指すことができる。無線通信端末は、トリガーフレームまたはＵＬ  ＭＵ  Ｒｅｓｐｏｎｓｅ  Ｓｃｈｅｄｕｌｉｎｇ  Ａ−Ｃｏｎｔｒｏｌフィールドに対する応答のために、ＨＥ  ｔｒｉｇｇｅｒ−ｂａｓｅｄ  ＰＰＤＵを使用することができる。ＨＥ  ｔｒｉｇｇｅｒ−ｂａｓｅｄ  ＰＰＤＵは、ＨＥ  ＳＵ  ＰＰＤＵフォーマットに比べて、長いデューレーションを有するＨＥ−ＳＴＦを含むことができる。
【０１８８】
図２８（ｄ）は、ＨＥ  ｅｘｔｅｎｄｅｄ  ｒａｎｇｅ  ＳＵ  ＰＰＤＵのフォーマットを示す。無線通信端末は、広域（ｅｘｔｅｎｄｅｄ  ｒａｎｇｅ）送信のために、ＨＥ  ｅｘｔｅｎｄｅｄ  ｒａｎｇｅ  ＳＵ  ＰＰＤＵを使用することができる。ＨＥ  ｅｘｔｅｎｄｅｄ  ｒａｎｇｅ  ＳＵ  ＰＰＤＵは、ＨＥ  ＳＵ  ＰＰＤＵと類似のフォーマットを有し、ＨＥ  ｅｘｔｅｎｄｅｄ  ｒａｎｇｅ  ＳＵ  ＰＰＤＵのＨＥ−ＳＩＧ−ＡフィールドのデューレーションがＨＥ  ＳＵ  ＰＰＤＵのＨＥ−ＳＩＧ−Ａフィールドのデューレーションの２倍である。無線通信端末は、４個のシンボルを使用して送信できる。例えば、４個のシンボルをＨＥ  ｅｘｔｅｎｄｅｄ  ｒａｎｇｅ  ＳＵ  ＰＰＤＵのＨＥ−ＳＩＧ−Ａフィールドを送信できる。ＨＥ−ＳＩＧ−Ａフィールドを送信するのに使用される４個のシンボルは、時間領域で繰り返されるシンボルでありうる。ＨＥ−ＳＩＧ−Ａフィールドを送信する４個のシンボルを時間順にＨＥ−ＳＩＧ−Ａ１、ＨＥ−ＳＩＧ−Ａ２、ＨＥ−ＳＩＧ−Ａ３、ＨＥ−ＳＩＧ−Ａ４と称する。このとき、ＨＥ−ＳＩＧ−Ａ１課ＨＥ−ＳＩＧ−Ａ２が同じ信号を送信し、ＨＥ−ＳＩＧ−Ａ３とＨＥ−ＳＩＧ−Ａ４が同じ信号を送信できる。また、無線通信端末は、ＨＥ  ｅｘｔｅｎｄｅｄ  ｒａｎｇｅ  ＳＵ  ＰＰＤＵを送信する時、他のノン−レガシーＰＰＤＵのＬ−ＳＴＦ、Ｌ−ＬＴＦを送信する時より送信パワーを３ｄＢだけブーストすることができる。また、無線通信端末は、Ｌ−ＳＩＧフィールドとＲＬ−ＳＩＧフィールドの４個の追加（ｅｘｔｒａ）トン（サブキャリアインデックスｋ＝−２８、−２７、２７、２８）を送信する時に他のノン−レガシーＰＰＤＵのＬ−ＳＴＦ、Ｌ−ＬＴＦを送信する時より送信パワーを３ｄＢだけブーストすることができる。このような動作を介して無線通信端末は、ＨＥ  ｅｘｔｅｎｄｅｄ  ｒａｎｇｅ  ＳＵ  ＰＰＤＵの受信確率を高めることができる。
【０１８９】
図２９は、本発明の実施形態にかかるＨＥ  ｅｘｔｅｎｄｅｄ  ｒａｎｇｅ  ＳＵ  ＰＰＤＵの送信カバレッジ（ｃｏｖｅｒａｇｅ）とレガシーＰＰＤＵの送信カバレッジを示す。
【０１９０】
図２８で説明したように、ＨＥ  ｅｘｔｅｎｄｅｄ  ｒａｎｇｅ  ＳＵ  ＰＰＤＵを送信する時、無線通信端末は、長距離送信のための多様な動作を行う。したがって、ＨＥ  ｅｘｔｅｎｄｅｄ  ｒａｎｇｅ  ＳＵ  ＰＰＤＵの送信カバレッジは、レガシーＰＰＤＵの送信カバレッジより広い。これによってＨＥ  ｅｘｔｅｎｄｅｄ  ｒａｎｇｅ  ＳＵ  ＰＰＤＵを受信することができる無線通信端末であっても、レガシーＰＰＤＵフォーマットを受信することができないことがある。例えば、図２９において示す状況でレガシーＰＰＤＵ（ｎｏｎ−ＨＥ  ＰＰＤＵ）の送信カバレッジよりＨＥ  ｅｘｔｅｎｄｅｄ  ｒａｎｇｅ  ＳＵ  ＰＰＤＵの送信カバレッジが広い。したがって、第１ステーションＳＴＡ１は、レガシーＰＰＤＵ（ｎｏｎ−ＨＥ  ＰＰＤＵ）とＨＥ  ｅｘｔｅｎｄｅｄ  ｒａｎｇｅ  ＳＵ  ＰＰＤＵともを受信することができる。第２ステーションＳＴＡ２は、レガシーＰＰＤＵ（ｎｏｎ−ＨＥ  ＰＰＤＵ）を受信することができず、ＨＥ  ｅｘｔｅｎｄｅｄ  ｒａｎｇｅ  ＳＵ  ＰＰＤＵだけを受信することができる。レガシーＰＰＤＵフォーマットを介して送信される情報がある場合、レガシーＰＰＤＵフォーマットのカバレッジの外に位置した無線通信端末が該当情報を利用できない。無線通信端末は、ビーコンフレームの場合、レガシーＰＰＤＵフォーマットを使用して送信する。レガシーＰＰＤＵフォーマットのカバレッジの外に位置した無線通信端末は、ＨＥ  ｅｘｔｅｎｄｅｄ  ｒａｎｇｅ  ＳＵ  ＰＰＤＵを使用して、ベース無線通信端末と通信できるにも関わらずＢＳＳ情報を受信できないから、該当ベース無線通信端末と通信できない状況が発生できる。したがって、ベース無線通信端末は、デュアルビーコンフレームを送信できる。これについては、図３０を介して説明する。
【０１９１】
図３０は、本発明の実施形態にかかるベース無線通信端末のデュアルビーコン送信動作を示す。
【０１９２】
ベース無線通信端末は、複数のＰＰＤＵフォーマットを使用して、ビーコンフレームを送信できる。具体的にベース無線通信端末は、送信カバレッジが異なる二つのＰＰＤＵフォーマットを使用して、ビーコンフレームを送信できる。無線通信端末は、レガシーＰＰＤＵフォーマットを使用してビーコンフレームを送信し、広帯域送信のためのＰＰＤＵフォーマットを使用して、ビーコンフレームを送信できる。このとき、広帯域送信のためのＰＰＤＵフォーマットは、上述のＨＥ  ｅｘｔｅｎｄｅｄ  ｒａｎｇｅ  ＳＵ  ＰＰＤＵでありうる。このような動作を介してベース無線通信端末は、ベース無線通信端末周辺の無線通信端末がビーコンフレームを受信する可能性を高めることができる。説明の便宜のために、ベース無線通信端末が送信カバレッジが異なる二つのＰＰＤＵフォーマットを使用してビーコンフレームを送信することをデュアルビーコンと称する。
【０１９３】
ベース無線通信端末は、一定の周期に基づいてビーコンフレームを送信できる。このとき、ベース無線通信端末がビーコンフレームの送信を試みる時点をＴＢＴＴ（ｔａｒｇｅｔ  ｂｅａｃｏｎ  ｔｒａｎｓｍｉｓｓｉｏｎ  ｔｉｍｅ）と称することができる。ＴＢＴＴは、一定の時間間隔で続くことができる。このとき、一定の時間間隔をビーコンインターバル（Ｂｅａｃｏｎ  Ｉｎｔｅｒｖａｌ）と称することができる。ベース無線通信端末がビーコンフレームを送信しようとするチャネルが使用中（ｂｕｓｙ）である場合、ベース無線通信端末は、予定された時間より後にビーコンフレーム送信を再度試みることができる。例えば、ベース無線通信端末がビーコンフレームを送信しようとするチャネルがＰＩＦＳの間にアイドル（ｉｄｌｅ）状態である場合、ベース無線通信端末は、ビーコンフレームを送信できる。
【０１９４】
ベース無線通信端末は、ビーコンフレームを含むレガシーＰＰＤＵの送信をＴＢＴＴに試み、ＴＢＴＴから一定時間後にビーコンフレームを含む広帯域送信のためのＰＰＤＵの送信を試みることができる。このとき、一定時間は、ＴＢＴＴ間の時間間隔の半分でありうる。例えば、レガシーＰＰＤＵに含まれたビーコンフレームのＴＢＴＴは、ＴＳＦ（ｔｉｍｉｎｇ  ｓｙｎｃｈｒｏｎｉｚａｔｉｏｎ  ｆｕｎｃｔｉｏｎ）ｖａｌｕｅ  ０で、レガシーＰＰＤＵに含まれたビーコンフレームのＴＢＴＴは、ビーコンインターバルごとに繰り返されることができる。広帯域送信のためのＰＰＤＵに含まれたビーコンフレームのＴＢＴＴは、ＴＳＦ  ｖａｌｕｅ  ０からビーコンインターバルの半分だけ経過した時点でありうる。また、広帯域送信のためのＰＰＤＵに含まれたビーコンフレームのＴＢＴＴもやはり、ビーコンインターバルごとに繰り返されることができる。
【０１９５】
ベース無線通信端末は、Ｏｐｅｒａｔｉｏｎエレメントを使用して、デュアルビーコン使用有無をシグナリングできる。このとき、Ｏｐｅｒａｔｉｏｎエレメントは、ＨＥ  Ｏｐｅｒａｔｉｏｎエレメントでありうる。また、互いに異なるＰＰＤＵフォーマットを介して送信されるビーコンフレームの各々は、互いに異なる種類のシグナリング情報を含むことができる。具体的に互いに異なるＰＰＤＵフォーマットを介して送信されるビーコンフレームの各々は、互いに異なる種類のエレメントを含むことができる。
【０１９６】
図３０の実施形態において、ベース無線通信端末は、ビーコンフレームを含むレガシーＰＰＤＵのためのＴＢＴＴにビーコンフレームを含むレガシーＰＰＤＵの送信を試みる。ベース無線通信端末がビーコンフレームを含むレガシーＰＰＤＵを送信し、第１ステーションＳＴＡ１は、ビーコンフレームを含むレガシーＰＰＤＵを受信する。ベース無線通信端末から第１ステーションＳＴＡ１間の距離よりさらに遠くの距離にある第２ステーションＳＴＡ２は、ビーコンフレームを含むレガシーＰＰＤＵを受信できない。
【０１９７】
ビーコンフレームを含むレガシーＰＰＤＵのためのＴＢＴＴからビーコンフレームを含むレガシーＰＰＤＵのビーコンインターバルの半分だけ経過した時点にベース無線通信端末は、ビーコンフレームを含むＨＥ  ｅｘｔｅｎｄｅｄ  ｒａｎｇｅ  ＳＵ  ＰＰＤＵの送信を試みる。ベース無線通信端末がビーコンフレームを含むＨＥ  ｅｘｔｅｎｄｅｄ  ｒａｎｇｅ  ＳＵ  ＰＰＤＵを送信し、第１ステーションＳＴＡ１と第２ステーションＳＴＡ２ともがビーコンフレームを含むＨＥ  ｅｘｔｅｎｄｅｄ  ｒａｎｇｅ  ＳＵ  ＰＰＤＵを受信する。
【０１９８】
ビーコンフレームを含むレガシーＰＰＤＵのためのＴＢＴＴからビーコンインターバルだけ経過した時点においてベース無線通信端末は、ビーコンフレームを含むレガシーＰＰＤＵの送信を試みる。このときからビーコンインターバルの半分だけ経過した時点においてベース無線通信端末は、ビーコンフレームを含むＨＥ  ｅｘｔｅｎｄｅｄ  ｒａｎｇｅ  ＳＵ  ＰＰＤＵの送信を試みる。
【０１９９】
ベース無線通信端末は、上述のＴＢＴＴを利用して特定時点に関する情報をシグナリングできる。例えば、ベース無線通信端末は、ＢＳＳを表す識別子であるＢＳＳカラーの変更開始時点をＴＢＴＴを利用してシグナリングできる。これについては、図３１を介して具体的に説明する。
【０２００】
図３１は、本発明の実施形態にかかるＢＳＳ  Ｃｏｌｏｒ  Ｃｈａｎｇｅ  Ａｎｎｏｕｎｃｅｍｅｎｔエレメントのフォーマットを示す。
【０２０１】
ベース無線通信端末は、ＢＳＳカラーが変更され新しいＢＳＳカラーの値を知らせるために、ＢＳＳ  Ｃｏｌｏｒ  Ｃｈａｎｇｅ  Ａｎｎｏｕｎｃｅｍｅｎｔエレメントを含むビーコンフレームを送信できる。このとき、ＢＳＳ  Ｃｏｌｏｒ  Ｃｈａｎｇｅ  Ａｎｎｏｕｎｃｅｍｅｎｔエレメントは、ＢＳＳカラーが変更される時点を指示するフィールドを含むことができる。また、ＢＳＳ  Ｃｏｌｏｒ  Ｃｈａｎｇｅ  Ａｎｎｏｕｎｃｅｍｅｎｔエレメントは、変更されたＢＳＳ  Ｃｏｌｏｒの値を指示するフィールドを含むことができる。例えば、ＢＳＳ  Ｃｏｌｏｒ  Ｃｈａｎｇｅ  Ａｎｎｏｕｎｃｅｍｅｎｔエレメントは、Ｃｏｌｏｒ  Ｓｗｉｔｃｈ  Ｃｏｕｎｔｄｏｗｎフィールドを含むことができる。Ｃｏｌｏｒ  Ｓｗｉｔｃｈ  Ｃｏｕｎｔｄｏｗｎフィールドは、ＢＳＳカラー変更時点まで残ったＴＢＴＴの回数を表すことができる。ＢＳＳ  Ｃｏｌｏｒ  Ｃｈａｎｇｅ  Ａｎｎｏｕｎｃｅｍｅｎｔエレメントは、Ｎｅｗ  ＢＳＳ  Ｃｏｌｏｒ  Ｉｎｆｏｒｍａｔｉｏｎフィールドを含むことができる。Ｎｅｗ  ＢＳＳ  Ｃｏｌｏｒ  Ｉｎｆｏｒｍａｔｉｏｎフィールドは、該当ＢＳＳのＢＳＳカラーとして使用される新しいＢＳＳカラーの値を表すことができる。Ｎｅｗ  ＢＳＳ  Ｃｏｌｏｒ  Ｉｎｆｏｒｍａｔｉｏｎフィールドは、Ｎｅｗ  ＢＳＳ  Ｃｏｌｏｒサブフィールドを含み、Ｎｅｗ  ＢＳＳ  Ｃｏｌｏｒサブフィールド該当ＢＳＳのＢＳＳカラーとして使用される新しいＢＳＳカラーの値を表すことができる。ＢＳＳ  Ｃｏｌｏｒ  Ｃｈａｎｇｅ  Ａｎｎｏｕｎｃｅｍｅｎｔエレメントの具体的なフォーマットは、図３１のとおりである。
【０２０２】
説明の便宜のために、Ｃｏｌｏｒ  Ｓｗｉｔｃｈ  Ｃｏｕｎｔｄｏｗｎ値が０に到達し、ＢＳＳカラーが変更されるＴＢＴＴをＢＳＳ  Ｃｏｌｏｒ  ｃｈａｎｇｅ  ＴＢＴＴと称する。ＢＳＳ  Ｃｏｌｏｒ  ｃｈａｎｇｅ  ＴＢＴＴに到達するまでベース無線通信端末は、ＨＥ  Ｏｐｅｒａｔｉｏｎ  ｅｌｅｍｅｎｔのＢＳＳ  ＣｏｌｏｒサブフィールドにＢＳＳ変更前のＢＳＳカラー値を挿入する。また、ＢＳＳ  Ｃｏｌｏｒ  ｃｈａｎｇｅ  ＴＢＴＴに到達すると、ベース無線通信端末は、ＨＥ  Ｏｐｅｒａｔｉｏｎ  ｅｌｅｍｅｎｔのＢＳＳ  Ｃｏｌｏｒ  Ｄｉｓａｂｌｅｄサブフィールドを０に設定し、ＨＥ  Ｏｐｅｒａｔｉｏｎ  ｅｌｅｍｅｎｔのＢＳＳ  Ｃｏｌｏｒサブフィールドに変更されたＢＳＳカラー値を挿入し、変更されたＢＳＳカラーの値を使用し始める。また、ＢＳＳ  Ｃｏｌｏｒ  Ｃｈａｎｇｅ  Ａｎｎｏｕｎｃｅｍｅｎｔエレメントを受信する無線通信端末は、ＢＳＳ  Ｃｏｌｏｒ  ｃｈａｎｇｅ  ＴＢＴＴから変更されたＢＳＳカラー値を使用することができる。このとき、無線通信端末は、ＢＳＳ  Ｃｏｌｏｒ  Ｃｈａｎｇｅ  Ａｎｎｏｕｎｃｅｍｅｎｔエレメントから変更されたＢＳＳカラーの値を獲得する。
【０２０３】
ＢＳＳ内の無線通信端末が全部同じＢＳＳカラー値を使用するために、ベース無線通信端末と無線通信端末は、次のように動作できる。ＢＳＳ  Ｃｏｌｏｒ  Ｃｈａｎｇｅ  Ａｎｎｏｕｎｃｅｍｅｎｔ  ｅｌｅｍｅｎｔを送信したベース無線通信端末は、ＢＳＳ  Ｃｏｌｏｒ  ｃｈａｎｇｅ  ＴＢＴＴに到達するまで以前のＢＳＳカラー値を使用し、ＢＳＳ  Ｃｏｌｏｒ  ｃｈａｎｇｅ  ＴＢＴＴ以後に変更されたＢＳＳ  Ｃｏｌｏｒ値を使用することができる。また、ＢＳＳ  Ｃｏｌｏｒ  Ｃｈａｎｇｅ  Ａｎｎｏｕｎｃｅｍｅｎｔ  ｅｌｅｍｅｎｔを送信したベース無線通信端末がＢＳＳ  Ｃｏｌｏｒ  ｃｈａｎｇｅ  ＴＢＴＴに到達するまでＢＳＳ  Ｃｏｌｏｒ  Ｃｈａｎｇｅ  Ａｎｎｏｕｎｃｅｍｅｎｔ  ｅｌｅｍｅｎｔが指示するＢＳＳ  Ｃｏｌｏｒ  ｃｈａｎｇｅ  ＴＢＴＴを変更することが許容されないことがありうる。ベース無線通信端末がデュアルビーコンを使用する場合、無線通信端末が受信できるＰＰＤＵのフォーマットに応じて、ＢＳＳカラー変更時点を異なって判断できる。これについては、図３２を介して説明する。
【０２０４】
図３２は、本発明の実施形態にかかるベース無線通信端末がデュアルビーコンを使用する場合、ベース無線通信端末のＢＳＳカラー変更動作を示す。
【０２０５】
無線通信端末とベース無線通信端末の距離などによって、無線通信端末がデュアルビーコンに使用されるＰＰＤＵフォーマットのうち、いずれか一種類のＰＰＤＵフォーマットだけを受信することができる。このとき、デュアルビーコンに使用されるＰＰＤＵフォーマットのうち、いずれか一種類のＰＰＤＵフォーマットだけを受信する無線通信端末は、デュアルビーコンに使用されるＰＰＤＵフォーマット全部を受信する無線通信端末と異なってＢＳＳ  Ｃｏｌｏｒ  ｃｈａｎｇｅ  ＴＢＴＴを判断できる。具体的に無線通信端末は、無線通信端末が受信できないＰＰＤＵフォーマットに含まれたビーコンフレームの送信を認知できないから、ＢＳＳカラー変更まで残ったＴＢＴＴの個数を正確に判断することができない。また、デュアルビーコンに使用されるＰＰＤＵフォーマット全部を受信する無線通信端末は、ＢＳＳ  Ｃｏｌｏｒ  ｃｈａｎｇｅ  ＴＢＴＴを判断するにおいてＴＢＴＴの基準をどのように定めなければならないのか混同できる。例えば、デュアルビーコンに使用されるＰＰＤＵフォーマット全部を受信する無線通信端末は、Ｃｏｌｏｒ  Ｓｗｉｔｃｈ  Ｃｏｕｎｔｄｏｗｎフィールドが表す値がビーコンフレームを含むすべての種類のＰＰＤＵフォーマットのＴＢＴＴを表しているか、またはビーコンフレームを含む特定種類のＰＰＤＵフォーマットのＴＢＴＴだけを表しているかを判断するのが困難でありうる。
【０２０６】
図３２の実施形態において、ベース無線通信端末は、ビーコンフレームを含むレガシーＰＰＤＵのためのＴＢＴＴにビーコンフレームを含むレガシーＰＰＤＵの送信を試みる。ベース無線通信端末がビーコンフレームを含むレガシーＰＰＤＵを送信し、第１ステーションＳＴＡ１は、ビーコンフレームを含むレガシーＰＰＤＵを受信する。ベース無線通信端末から第１ステーションＳＴＡ１間の距離よりさらに遠くの距離にある第２ステーションＳＴＡ２は、ビーコンフレームを含むレガシーＰＰＤＵを受信することができない。
【０２０７】
ビーコンフレームを含むレガシーＰＰＤＵのためのＴＢＴＴからビーコンフレームを含むレガシーＰＰＤＵのビーコンインターバルの半分だけ経過した時点においてベース無線通信端末は、ビーコンフレームを含むＨＥ  ｅｘｔｅｎｄｅｄ  ｒａｎｇｅ  ＳＵ  ＰＰＤＵの送信を試みる。ベース無線通信端末がビーコンフレームを含むＨＥ  ｅｘｔｅｎｄｅｄ  ｒａｎｇｅ  ＳＵ  ＰＰＤＵを送信し、第１ステーションＳＴＡ１と第２ステーションＳＴＡ２ともがビーコンフレームを含むＨＥ  ｅｘｔｅｎｄｅｄ  ｒａｎｇｅ  ＳＵ  ＰＰＤＵを受信する。
【０２０８】
このとき、レガシーＰＰＤＵに含まれるビーコンフレームは、レガシーＰＰＤＵに含まれたビーコンフレームのＴＢＴＴに基づいてＢＳＳ  Ｃｏｌｏｒ  ｃｈａｎｇｅ  ＴＢＴＴをシグナリングする。レガシーＰＰＤＵに含まれるビーコンフレームは、ＢＳＳカラーが変更され、第１番目にビーコンフレームを含むレガシーＰＰＤＵが送信される第１時点（ＢＳＳ  Ｃｏｌｏｒ  ｃｈａｎｇｅ  ＴＢＴＴ  １）までの残ったＴＢＴＴカウントをシグナリングできる。広帯域送信のためのＰＰＤＵに含まれるビーコンフレームは、広帯域送信のためのＰＰＤＵに含まれたビーコンフレームのＴＢＴＴに基づいて、ＢＳＳ  Ｃｏｌｏｒ  ｃｈａｎｇｅ  ＴＢＴＴをシグナリングする。広帯域送信のためのＰＰＤＵに含まれるビーコンフレームは、ＢＳＳカラーが変更され、第１番目にビーコンフレームを含む広帯域送信のためのＰＰＤＵが送信される第２時点（ＢＳＳ  Ｃｏｌｏｒ  ｃｈａｎｇｅ  ＴＢＴＴ  ２）までの残ったＴＢＴＴカウントをシグナリングできる。第１ステーションＳＴＡ１は、ビーコンフレームを含む二種類のＰＰＤＵフォーマットを全部受信することができるので、第１時点（ＢＳＳ  Ｃｏｌｏｒ  ｃｈａｎｇｅ  ＴＢＴＴ  １）と第２時点（ＢＳＳ  Ｃｏｌｏｒ  ｃｈａｎｇｅ  ＴＢＴＴ  ２）のうち、どの時点においてＢＳＳカラーが変更されるかを判断できなくありうる。また、第２ステーションＳＴＡ２は、第１時点（ＢＳＳ  Ｃｏｌｏｒ  ｃｈａｎｇｅ  ＴＢＴＴ  １）に対する情報は受信できない。したがって、第１ステーションＳＴＡ１と第２ステーションＳＴＡ２のＢＳＳカラー変更時点が異なりうる。結局、互いに同じＢＳＳに含まれる無線通信端末でありながらも互いに異なるＢＳＳカラー値を使用して、干渉が発生できる。
【０２０９】
無線通信端末は、ＴＢＴＴに基づいてＢＳＳカラー変更動作以外の動作を行うことができる。例えば、無線通信端末は、ＴＢＴＴでランダムアクセスと関連してＵＯＲＡパラメータエレメントセットを受信し、ＵＯＲＡパラメータエレメントセット受信に伴う動作を行うことができる。ＵＯＲＡパラメータエレメントセット受信に伴う動作は、ＯＢＯ関連パラメータ設定及びＯＢＯ手順初期化のうち、少なくともいずれか一つを含むことができる。結局、ベース無線通信端末がデュアルビーコンを使用する場合、無線通信端末がランダムアクセスと関連してＵＯＲＡパラメータエレメントセットを受信し、ＵＯＲＡパラメータエレメントセット受信に伴う動作を行う時点が不明確になる問題も発生できる。また、ベース無線通信端末と相対的に近くに位置した無線通信端末は、相対的にベース無線通信端末と相対的に遠く位置した無線通信端末よりよくＵＯＲＡパラメータエレメントセットを受信することができる。これにより、ベース無線通信端末と相対的に近くに位置した無線通信端末は、相対的にベース無線通信端末と相対的に遠く位置した無線通信端末よりさらに頻繁にＯＢＯ手順を行うことができる。結局、ランダムアクセスに関する無線通信端末間の公平性が問題になることができる。説明の便宜のために、無線通信端末がＴＢＴＴに基づいて動作遂行時点が決定される動作をＴＢＴＴ基盤動作と称する。ベース無線通信端末がデュアルビーコンを使用する場合にも、無線通信端末がＴＢＴＴ基盤動作を問題なく行うことができる実施形態については、図３３ないし図３４を介して説明する。
図３３は、本発明のさらに他の実施形態にかかるベース無線通信端末がデュアルビーコンを使用する場合、ベース無線通信端末のＢＳＳカラー変更動作を示す。
【０２１０】
ベース無線通信端末がデュアルビーコンを使用する場合、無線通信端末は、いずれか一つのＰＰＤＵフォーマットに含まれたビーコンフレームのＴＢＴＴでＴＢＴＴ基盤動作を行い、他のＰＰＤＵフォーマットに含まれたビーコンフレームのＴＢＴＴでは、ＴＢＴＴ基盤動作を行わないことができる。具体的に無線通信端末は、レガシーＰＰＤＵに含まれたビーコンフレームのＴＢＴＴにＴＢＴＴ基盤動作を行い、広帯域送信のためのＰＰＤＵに含まれたビーコンフレームのＴＢＴＴにＴＢＴＴ基盤動作を行わないことができる。さらに他の具体的な実施形態において、具体的に無線通信端末は、レガシーＰＰＤＵに含まれたビーコンフレームのＴＢＴＴにＴＢＴＴ基盤動作を行わずに広帯域送信のためのＰＰＤＵに含まれたビーコンフレームのＴＢＴＴにＴＢＴＴ基盤動作を行うことができる。説明の便宜のために、無線通信端末がＴＢＴＴ基盤動作を行うＴＢＴＴに送信されるビーコンフレームを含むＰＰＤＵのフォーマットを基準ＰＰＤＵフォーマットと称する。基準ＰＰＤＵフォーマット以外のＰＰＤＵフォーマットに含まれるビーコンもＴＢＴＴ基準動作と関連した情報をシグナリングできる。このとき、基準ＰＰＤＵフォーマットに含まれたビーコンがシグナリングするＴＢＴＴ基準動作と関連した情報と基準ＰＰＤＵフォーマット以外のＰＰＤＵフォーマットに含まれるビーコンがシグナリングするＴＢＴＴ基準動作と関連した情報は、同じ情報を指示できる。
【０２１１】
このような実施形態において、ＢＳＳ  Ｃｏｌｏｒ  Ｃｈａｎｇｅ  Ａｎｎｏｕｎｃｅｍｅｎｔエレメントは、ＢＳＳ  Ｃｏｌｏｒ  Ｃｈａｎｇｅ  Ａｎｎｏｕｎｃｅｍｅｎｔエレメントが含まれるＰＰＤＵのフォーマットと関係無しで全部同じＢＳＳカラー変更時点を指示できる。また、Ｃｏｌｏｒ  Ｓｗｉｔｃｈ  Ｃｏｕｎｔｄｏｗｎフィールドは、ＢＳＳカラーが変更されるまで残ったビーコンフレームを含む基準ＰＰＤＵフォーマットが送信される回数を表すことができる。基準ＰＰＤＵフォーマット以外のＰＰＤＵフォーマットに含まれたＣｏｌｏｒ  Ｓｗｉｔｃｈ  Ｃｏｕｎｔｄｏｗｎフィールドが０である場合、Ｃｏｌｏｒ  Ｓｗｉｔｃｈ  Ｃｏｕｎｔｄｏｗｎフィールドは、ビーコンフレームを含む基準ＰＰＤＵフォーマットが送信される時、ＢＳＳカラーが変更されることを表すことができる。例えば、無線通信端末がレガシーＰＰＤＵに含まれたビーコンフレームのＴＢＴＴにＢＳＳカラーを変更する場合、Ｃｏｌｏｒ  Ｓｗｉｔｃｈ  Ｃｏｕｎｔｄｏｗｎフィールドは、ＢＳＳカラーが変更されるまで残ったビーコンフレームを含むレガシーＰＰＤＵが送信される回数を表すことができる。このとき、広帯域送信のためのＰＰＤＵに含まれたビーコンフレームのＣｏｌｏｒ  Ｓｗｉｔｃｈ  Ｃｏｕｎｔｄｏｗｎフィールドが０を指示する場合、無線通信端末は、該当ビーコンフレームの次に送信されるレガシーＰＰＤＵに含まれたビーコンフレームのＴＢＴＴにＢＳＳカラーが変更されると判断できる。また、レガシーＰＰＤＵに含まれたビーコンフレームのＣｏｌｏｒ  Ｓｗｉｔｃｈ  Ｃｏｕｎｔｄｏｗｎフィールドが０を指示する場合、無線通信端末は、該当ビーコンフレームのＴＢＴＴにＢＳＳカラーが変更されると判断できる。
【０２１２】
さらに他の具体的な実施形態において、無線通信端末が広帯域送信のためのＰＰＤＵに含まれたビーコンフレームのＴＢＴＴにＢＳＳカラーを変更する場合、Ｃｏｌｏｒ  Ｓｗｉｔｃｈ  Ｃｏｕｎｔｄｏｗｎフィールドは、ＢＳＳカラーが変更されるまで残ったビーコンフレームを含む広帯域送信のためのＰＰＤＵが送信される回数を表すことができる。このとき、レガシーＰＰＤＵに含まれたビーコンフレームのＣｏｌｏｒ  Ｓｗｉｔｃｈ  Ｃｏｕｎｔｄｏｗｎフィールドが０を指示する場合、無線通信端末は、該当ビーコンフレームの次に送信される広帯域送信のためのＰＰＤＵに含まれたビーコンフレームのＴＢＴＴにＢＳＳカラーが変更されると判断できる。また、広帯域送信のためのＰＰＤＵに含まれたビーコンフレームのＣｏｌｏｒ  Ｓｗｉｔｃｈ  Ｃｏｕｎｔｄｏｗｎフィールドが０を指示する場合、無線通信端末は、該当ビーコンフレームのＴＢＴＴにＢＳＳカラーが変更されると判断できる。
【０２１３】
図３３の実施形態において、レガシーＰＰＤＵ（ｎｏｎ−ＨＥ  ｆｏｒｍａｔ）に含まれたビーコンフレームのＴＢＴＴにＢＳＳカラーが変更される。したがって、ＨＥ  ｅｘｔｅｎｄｅｄ  ｒａｎｇｅ  ＳＵ  ＰＰＤＵに含まれたビーコンフレームとレガシーＰＰＤＵ（ｎｏｎ−ＨＥ  ｆｏｒｍａｔ）に含まれたビーコンフレームともが、レガシーＰＰＤＵ（ｎｏｎ−ＨＥ  ｆｏｒｍａｔ）に含まれたビーコンフレームのＴＢＴＴをＢＳＳカラー変更時点にシグナリングする。したがって、第１ステーションＳＴＡ１及び第２ステーションＳＴＡ２は、同じ時点に基づいてＢＳＳカラーを変更できる。ベース無線通信端末、第１ステーションＳＴＡ１及び第２ステーションＳＴＡ２の動作のうち、図３１の実施形態と同じ動作については、説明を省略する。
【０２１４】
さらに他の具体的な実施形態において無線通信端末は、広帯域送信のためのＰＰＤＵに含まれたビーコンフレームのＴＢＴＴにＵＯＲＡパラメータセットエレメントに基づいて、ＯＢＯ関連パラメータをアップデートし、レガシーＰＰＤＵに含まれたビーコンフレームのＴＢＴＴにＵＯＲＡパラメータセットエレメントに基づいて、ＯＢＯ関連パラメータをアップデートしないことができる。また、無線通信端末は、広帯域送信のためのＰＰＤＵに含まれたビーコンフレームのＴＢＴＴにＵＯＲＡパラメータセットエレメントに基づいて、ＯＢＯ手順を初期化し、レガシーＰＰＤＵに含まれたビーコンフレームのＴＢＴＴにＵＯＲＡパラメータセットエレメントに基づいて、ＯＢＯ手順を初期化しないことができる。
【０２１５】
図３４は、本発明のさらに他の実施形態にかかるベース無線通信端末がデュアルビーコンを使用する場合、ベース無線通信端末のＢＳＳカラー変更動作を示す。
【０２１６】
ベース無線通信端末がデュアルビーコンを使用する場合、ベース通信端末は、いずれか一つのＰＰＤＵフォーマットに含まれたビーコンフレームを介してＴＢＴＴ基盤動作と関連した情報をシグナリングし、他の種類のＰＰＤＵフォーマットに含まれたビーコンフレームを介しては、ＴＢＴＴ基盤動作と関連した情報をシグナリングしないことができる。具体的にベース無線通信端末は、レガシーＰＰＤＵに含まれたビーコンフレームを介してＴＢＴＴ基盤動作と関連した情報をシグナリングし、広帯域送信のためのＰＰＤＵに含まれたビーコンフレームを介しては、ＴＢＴＴ基盤動作と関連した情報をシグナリングしないことができる。また、このような実施形態でも図３３を介して説明した基準ＰＰＤＵフォーマットが指定されることができる。基準ＰＰＤＵフォーマットは、ＴＢＴＴ基盤動作と関連した情報をシグナリングするビーコンが含まれるＰＰＤＵフォーマットでありうる。また、ＴＢＴＴ基盤動作と関連した情報をシグナリングするビーコンが含まれるＰＰＤＵフォーマットは、他のＰＰＤＵのフォーマットより送信カバレッジが広いＰＰＤＵのフォーマットでありうる。ＴＢＴＴ基盤動作と関連した情報をシグナリングするビーコンが含まれるＰＰＤＵフォーマットの送信カバレッジが大きいほど、より多くの無線通信端末がＴＢＴＴ基盤動作と関連した情報を受信することができるためである。
【０２１７】
具体的な実施形態において、ベース無線通信端末は、広帯域送信のためのＰＰＤＵに含まれたビーコンフレームを介してＢＳＳ  Ｃｏｌｏｒ  Ｃｈａｎｇｅ  Ａｎｎｏｕｎｃｅｍｅｎｔエレメントをシグナリングし、レガシーＰＰＤＵに含まれたビーコンフレームを介してＢＳＳ  Ｃｏｌｏｒ  Ｃｈａｎｇｅ  Ａｎｎｏｕｎｃｅｍｅｎｔエレメントをシグナリングしないことができる。このような実施形態でも基準ＰＰＤＵフォーマットが指定されることができる。具体的に基準ＰＰＤＵフォーマットは、広帯域送信のためのＰＰＤＵでありうる。
【０２１８】
図３４の実施形態において、ベース無線通信端末は、ＨＥ  ｅｘｔｅｎｄｅｄ  ｒａｎｇｅ  ＳＵ  ＰＰＤＵに含まれたビーコンフレームを介してＢＳＳ  Ｃｏｌｏｒ  Ｃｈａｎｇｅ  Ａｎｎｏｕｎｃｅｍｅｎｔエレメントを送信しレガシーＰＰＤＵ（ｎｏｎ−ＨＥ  ｆｏｒｍａｔ）に含まれたビーコンフレームを介しては、ＢＳＳ  Ｃｏｌｏｒ  Ｃｈａｎｇｅ  Ａｎｎｏｕｎｃｅｍｅｎｔエレメントを送信しない。また、ＨＥ  ｅｘｔｅｎｄｅｄ  ｒａｎｇｅ  ＳＵ  ＰＰＤＵに含まれたビーコンフレームのＴＢＴＴに基づいてＢＳＳカラーが変更される。ベース無線通信端末、第１ステーションＳＴＡ１及び第２ステーションＳＴＡ２の動作のうち、図３１の実施形態と同じ動作については説明を省略する。
【０２１９】
さらに他の具体的な実施形態において、ベース無線通信端末は、広帯域送信のためのＰＰＤＵに含まれたビーコンフレームを介してＵＯＲＡパラメータセットエレメントを送信し、レガシーＰＰＤＵに含まれたビーコンフレームを介してはＵＯＲＡパラメータセットエレメントを送信しないことができる。
【０２２０】
ベース無線通信端末は、ＳＴＢＣを使用してビーコンフレームを送信できる。このとき、送信されるビーコンフレームをＳＴＢＣビーコンフレームと称することができる。ベース無線通信端末がＳＴＢＣビーコンフレームとＨＥ  ｅｘｔｅｎｄｅｄ  ｒａｎｇｅ  ＳＵ  ＰＰＤＵに含まれるビーコンフレームともを使用する場合、ＳＴＢＣビーコンフレームの送信時点とＨＥ  ｅｘｔｅｎｄｅｄ  ｒａｎｇｅ  ＳＵ  ＰＰＤＵの送信時点とが重なることができる。また、ビーコンフレームを受信した無線通信端末がどの時点にどんなビーコンフレームが送信されるかを判断するのは困難でありうる。したがって、ベース無線通信端末は、ＳＴＢＣビーコンフレームとＨＥ  ｅｘｔｅｎｄｅｄ  ｒａｎｇｅ  ＳＵ  ＰＰＤＵに含まれるビーコンフレームを共に運営しないことができる。例えば、ベース無線通信端末がＨＥ  ｅｘｔｅｎｄｅｄ  ｒａｎｇｅ  ＳＵ  ＰＰＤＵに含まれたビーコンフレームを使用する場合、ベース無線通信端末は、ＳＴＢＣビーコンフレームを使用しないことができる。また、ベース無線通信端末がＨＥ  ｅｘｔｅｎｄｅｄ  ｒａｎｇｅ  ＳＵ  ＰＰＤＵに含まれたビーコンフレームを使用し始める時、ベース無線通信端末は、ＳＴＢＣビーコンフレームの使用を中断できる。
【０２２１】
ベース無線通信端末は、ＳＴＢＣビーコンフレームを使用するかどうかをＨＴ  ＯｐｅｒａｔｉｏｎエレメントのＤｕａｌ  Ｂｅａｃｏｎフィールドで指示できる。また、ベース無線通信端末は、ＨＥ  ｅｘｔｅｎｄｅｄ  ｒａｎｇｅ  ＳＵ  ＰＰＤＵに含まれたビーコンフレームを使用するかどうかをＨＴ  ＯｐｅｒａｔｉｏｎエレメントのＤｕａｌ  Ｂｅａｃｏｎフィールドで指示できる。ＨＴ  ＯｐｅｒａｔｉｏｎエレメントのＤｕａｌ  ＢｅａｃｏｎフィールドがＳＴＢＣビーコンフレーム及びＨＥ  ｅｘｔｅｎｄｅｄ  ｒａｎｇｅ  ＳＵ  ＰＰＤＵに含まれたビーコンフレームのうち、いずれか一つのビーコンフレームを使用することでシグナリングする時、他のビーコンフレームは使用しないと表すことができる。例えば、ＨＥ  Ｏｐｅｒａｔｉｏｎ  ｅｌｅｍｅｎｔのＤｕａｌ  ＢｅａｃｏｎフィールドがＳＴＢＣビーコンフレームが使用されることを指示する場合、ＨＥ  Ｏｐｅｒａｔｉｏｎ  ｅｌｅｍｅｎｔのＤｕａｌ  Ｂｅａｃｏｎフィールドは、ＨＥ  ｅｘｔｅｎｄｅｄ  ｒａｎｇｅ  ＳＵ  ＰＰＤＵに含まれたビーコンフレームが使用されないことを表すことができる。したがって、ＨＥ  Ｏｐｅｒａｔｉｏｎ  ｅｌｅｍｅｎｔのＤｕａｌ  Ｂｅａｃｏｎフィールドが１である場合、ＨＥ  Ｏｐｅｒａｔｉｏｎ  ｅｌｅｍｅｎｔのＤｕａｌ  Ｂｅａｃｏｎフィールドは、ＳＴＢＣビーコンフレームが使用されないことを指示できる。
【０２２２】
無線通信端末は、ＰＰＤＵのＰＳＤＵ（Ｐｈｙｓｉｃａｌ  ｌａｙｅｒ  Ｓｅｒｖｉｃｅ  Ｄａｔａ  Ｕｎｉｔ）で一つのＭＰＤＵまたはＡ−ＭＰＤＵ（Ａｇｇｒｅｇａｔｅ−ＭＰＤＵ）を送信できる。このとき、無線通信端末は、複数のＭＰＤＵを結合して一つのＡ−ＭＰＤＵ（Ａｇｇｒｅｇａｔｅ−ＭＡＣ  Ｐｒｏｔｏｃｏｌ  Ｄａｔａ  Ｕｎｉｔ）を生成できる。無線通信端末は、複数のＭＰＤＵを複数個のＰＰＤＵで分けて送信する代わりに、Ａ−ＭＰＤＵを送信して送信効率を上げることができる。Ａ−ＭＰＤＵの具体的なフォーマットについては、図３５を介して説明する。
【０２２３】
図３５は、本発明の実施形態にかかるＡ−ＭＰＤＵのフォーマットを示す。
【０２２４】
Ａ−ＭＰＤＵは、一つ以上のＡ−ＭＰＤＵサブフレームのシーケンスとＥＯＦ  Ｐａｄｄｉｎｇを含むことができる。Ａ−ＭＰＤＵサブフレーム間の境界は、ＭＰＤＵ  ｄｅｌｉｍｉｔｅｒフィールドで区分されることができる。ＭＰＤＵ  ｄｅｌｉｍｉｔｅｒフィールド後にＭＰＤＵがついてくることができる。Ａ−ＭＰＤＵサブフレームが最後のＡ−ＭＰＤＵサブフレームでない場合、Ａ−ＭＰＤＵサブフレームは、Ｐａｄｄｉｎｇ  Ｏｃｔｅｔｓを含むことができる。無線通信端末は、各Ａ−ＭＰＤＵサブフレームの長さが４オクテットの倍数になるようにＰａｄｄｉｎｇ  Ｏｃｔｅｔｓを設定できる。最後のＡ−ＭＰＤＵサブフレームが含むＰａｄｄｉｎｇサブフィールドの長さは、０から３オクテットでありうる。
【０２２５】
ＭＰＤＵ  ｄｅｌｉｍｉｔｅｒフィールドの長さは、４オクテットでありうる。ＭＰＤＵ  ｄｅｌｉｍｉｔｅｒフィールドの具体的なフォーマットは、図３５に示された通りでありうる。このとき、ＭＰＤＵ  ｄｅｌｉｍｉｔｅｒフィールドは、ｎｏｎ−ＤＭＧ無線通信端末が送信するＭＰＤＵ  ｄｅｌｉｍｉｔｅｒフィールドのフォーマットでありうる。ＭＰＤＵ  ｄｅｌｉｍｉｔｅｒフィールドは、ＥＯＦサブフィールド、Ｒｅｓｅｒｖｅｄサブフィールド、ＭＰＤＵ  Ｌｅｎｇｔｈサブフィールド、ＣＲＣサブフィールド、Ｄｅｌｉｍｉｔｅｒ  Ｓｉｇｎａｔｕｒｅサブフィールドのうち、少なくともいずれか一つを含むことができる。ＥＯＦサブフィールドは、１ビットフィールドでありうる。無線通信端末は、Ａ−ＭＰＤＵサブフレームのＭＰＤＵ  Ｌｅｎｇｔｈサブフィールドを０に設定し、ＥＯＦサブフィールドを１に設定して、該当Ａ−ＭＰＤＵサブフレームがＥＯＦ  Ｐａｄｄｉｎｇサブフレームを表すことができる。また、無線通信端末は、ＥＯＦサブフィールドを１に設定し、ＭＰＤＵ  Ｌｅｎｇｔｈサブフィールドを０でない値に設定して、該当Ａ−ＭＰＤＵサブフレームがＶＨＴシングルＭＰＤＵまたはシングルＭＰＤＵ（Ｓ−ＭＰＤＵ）であることを表すことができる。ＶＨＴシングルＭＰＤＵまたはシングルＭＰＤＵは、該当Ａ−ＭＰＤＵで唯一のＭＰＤＵである。無線通信端末は、以外の場合、ＥＯＦフィールドを０に設定できる。ＭＰＤＵ  Ｌｅｎｇｔｈサブフィールドは、Ａ−ＭＰＤＵサブフレームが含むＭＰＤＵの長さをオクテット単位に表すことができる。Ａ−ＭＰＤＵサブフレームがＭＰＤＵを含まない場合、無線通信端末は、ＭＰＤＵ  Ｌｅｎｇｔｈフィールドを０に設定する。ＣＲＣサブフィールドは、ＭＰＤＵ  ｄｅｌｉｍｉｔｅｒフィールドに含まれた１６ビットに対するＣＲＣ値を含むことができる。ＣＲＣフィールドは、８ビットフィールドでありうる。Ｄｅｌｉｍｉｔｅｒ  Ｓｉｇｎａｔｕｒｅサブフィールドは、ＭＰＤＵ  ｄｅｌｉｍｉｔｅｒを識別するために設定された値を含むことができる。このとき、設定された値は、０ｘ４Ｅでありうる。
【０２２６】
ＥＯＦ  Ｐａｄｄｉｎｇフィールドの長さは、可変的でありうる。ＥＯＦ  Ｐａｄｄｉｎｇフィールドは、ＥＯＦ  ＰａｄｄｉｎｇサブフレームとＥＯＦ  Ｐａｄｄｉｎｇ  Ｏｃｔｅｔｓを含むことができる。ＥＯＦ  Ｐａｄｄｉｎｇフィールドは、選択的に（ｏｐｔｉｏｎａｌ）一つ以上のＥＯＦ  Ｐａｄｄｉｎｇサブフレームを含むことができる。ＭＰＤＵ  ｄｅｌｉｍｉｔｅｒフィールドは、ＭＰＤＵ  ＬｅｎｇｔｈフィールドとＥＯＦフィールドを含むことができる。無線通信端末は、Ａ−ＭＰＤＵサブフレームのＭＰＤＵ  Ｌｅｎｇｔｈサブフィールドを０に設定し、ＥＯＦサブフィールドを１に設定して、該当Ａ−ＭＰＤＵサブフレームがＥＯＦ  Ｐａｄｄｉｎｇサブフレームを表すことができる。ＥＯＦ  Ｐａｄｄｉｎｇ  Ｏｃｔｅｔｓサブフィールドの長さは、０から３オクテットでありうる。
【０２２７】
上述のように、無線通信端末は、ＥＯＦフィールドの値を介してＡ−ＭＰＤＵサブフレームに対する情報をシグナリングできる。このとき、無線通信端末は、次のような規則に従ってＡ−ＭＰＤＵを構成できる。
【０２２８】
−Ａ−ＭＰＤＵにおいてＥＯＦサブフィールドが０に設定されたＡ−ＭＰＤＵサブフレームは、ＥＯＦサブフィールドが１に設定されたＡ−ＭＰＤＵサブフレームの後方に位置しない。
【０２２９】
−Ａ−ＭＰＤＵにおいてＥＯＦサブフィールドが１に設定され、ＭＰＤＵ  Ｌｅｎｇｔｈサブフィールドが０に設定されたＡ−ＭＰＤＵサブフレームは、ＶＨＴシングルＭＰＤＵを含むＡ−ＭＰＤＵサブフレームの前方に位置しない。
【０２３０】
また、無線通信端末は、ＥＯＦサブフィールドに予め指定された値を設定してＡ−ＭＰＤＵが含むＭＰＤＵに対した即刻な応答を誘導（ｓｏｌｉｃｉｔ）できる。具体的にＰＰＤＵを送信する無線通信端末は、ＱｏＳデータフレームまたはＱｏＳ  ＮｕｌｌフレームのＡｃｋ  Ｐｏｌｉｃｙフィールドを設定するか、特定タイプのフレーム（例えば、Ａｃｔｉｏｎフレーム、ＢＡＲフレーム、ＭＵ−ＢＡＲフレーム）を送信するか、またはフレームがＡ−ＭＰＤＵもしくはｍｕｌｔｉ−ＴＩＤ  Ａ−ＭＰＤＵを送信する場合、ＥＯＦサブフィールドに予め指定された値を設定して即刻な応答を誘導できる。
【０２３１】
Ｍｕｌｔｉ−ＴＩＤ  Ａ−ＭＰＤＵは、互いに異なるＴＩＤ（ｔｒａｆｆｉｃ  ｉｄｅｎｔｉｆｉｅｒ）を有する複数のＭＰＤＵを結合して生成されたＭＰＤＵを表す。具体的にｍｕｌｔｉ−ＴＩＤ  Ａ−ＭＰＤＵは、互いに異なるＴＩＤを有する複数のＱｏＳ  Ｄａｔａフレームを含むＡ−ＭＰＤＵでありうる。無線通信端末は、Ｍｕｌｔｉ−ＴＩＤ  Ａ−ＭＰＤＵが含むＭＰＤＵ  ｄｅｌｉｍｉｔｅｒフィールドのサブフィールドの値を利用して、Ａ−ＭＰＤＵサブフレームが含むＭＰＤＵに対した特定形態の応答を誘導（ｓｏｌｉｃｉｔ）できる。具体的に無線通信端末がＭｕｌｔｉ−ＴＩＤ  Ａ−ＭＰＤＵを生成する時、無線通信端末は、ＭＰＤＵ  ｄｅｌｉｍｉｔｅｒフィールドのＭＰＤＵ  Ｌｅｎｇｔｈサブフィールドを０でない値に設定し、ＥＯＦサブフィールドの値を０に設定して、ＭＰＤＵ  ｄｅｌｉｍｉｔｅｒフィールドに該当するＡ−ＭＰＤＵサブフレームが含むＱｏＳデータフレームまたはアクションフレームに対する即刻なＡＣＫフレーム送信を誘導できる。また、無線通信端末は、ＥＯＦサブフィールドが１で、ＭＰＤＵ  Ｌｅｎｇｔｈフィールドが０でない値（ｎｏｎｚｅｒｏ）を有する複数の不連続的な（ｎｏｎｃｏｎｔｉｇｕｏｕｓ）ＭＰＤＵ  ｄｅｌｉｍｉｔｅｒフィールドを設定して、複数のＭＰＤＵ  ｄｅｌｉｍｉｔｅｒフィールドの各々が含むＭＰＤＵに対したＡＣＫを誘導（ｓｏｌｉｃｉｔ）できる。また、無線通信端末は、ＥＯＦサブフィールドが０でＭＰＤＵ  Ｌｅｎｇｔｈフィールドが０でない値（ｎｏｎｚｅｒｏ）を有する複数の不連続的な（ｎｏｎｃｏｎｔｉｇｕｏｕｓ）ＭＰＤＵ  ｄｅｌｉｍｉｔｅｒフィールドを設定して、複数のＭＰＤＵ  ｄｅｌｉｍｉｔｅｒフィールドの各々が含むＭＰＤＵに対したＢｌｏｃｋＡｃｋを誘導（ｓｏｌｉｃｉｔ）できる。無線通信端末は、ＥＯＦサブフィールドが１でＭＰＤＵ  Ｌｅｎｇｔｈサブフィールドが０でないＭＰＤＵ  ｄｅｌｉｍｉｔｅｒフィールドを含むＡ−ＭＰＤＵサブフレームとＥＯＦサブフィールドが０でＭＰＤＵ  Ｌｅｎｇｔｈサブフィールドが０でないＭＰＤＵ  ｄｅｌｉｍｉｔｅｒフィールドを含むＡ−ＭＰＤＵサブフレームを混合して、Ａ−ＭＰＤＵを集合（ａｇｇｒｅｇａｔｅ）できる。また、無線通信端末は、同じＴＩＤを有するＡ−ＭＰＤＵサブフレームを不連続的に集合して、Ｍｕｌｔｉ−ＴＩＤ  Ａ−ＭＰＤＵを生成できる。
【０２３２】
Ｍｕｌｔｉ−ＴＩＤ  Ａ−ＭＰＤＵを受信した無線通信端末は、Ｍｕｌｔｉ−ＴＩＤ  Ａ−ＭＰＤＵに対する応答としてＭｕｌｔｉ−ＳＴＡ  ＢｌｏｃｋＡｃｋを送信できる。このとき、Ｍｕｌｔｉ−ＳＴＡ  ＢｌｏｃｋＡｃｋは、次のＰｅｒ  ＳＴＡ  Ｉｎｆｏフィールドを含むことができる。
【０２３３】
−ＥＯＦサブフィールドの値が１で、０でない長さを有するＭＰＤＵ  Ｌｅｎｇｔｈフィールドに該当するＭＰＤＵの成功的な受信に対するＡＣＫを指示するＰｅｒ  ＳＴＡ  Ｉｎｆｏフィールド（このとき、ＭＰＤＵのＴＩＤ値は、ＱｏＳデータフレームまたはＱｏＳ  ＮｕｌｌフレームのＴＩＤを表すことができる。また、ＭＰＤＵのＴＩＤ値は、アクションフレームを表す１５でありうる。）
【０２３４】
−ＥＯＦサブフィールドの値が０で、０でない長さを有するＭＰＤＵ  Ｌｅｎｇｔｈフィールドに該当するＭＰＤＵの成功的な受信に対するＢｌｏｃｋＡｃｋを指示するＰｅｒ  ＳＴＡ  Ｉｎｆｏフィールド（このとき、ＭＰＤＵのＴＩＤ値は、ＱｏＳデータフレームのＴＩＤ値でありうる。）
【０２３５】
ＢｌｏｃｋＡｃｋの具体的なフォーマットについては、図３６を介して説明する。
【０２３６】
図３６は、本発明の実施形態にかかるＢｌｏｃｋＡｃｋの具体的なフォーマットを示す。
【０２３７】
ＢｌｏｃｋＡｃｋフレームは、Ｆｒａｍｅ  Ｃｏｎｔｒｏｌフィールド、Ｄｕｒａｔｉｏｎフィールド、ＲＡフィールド、ＴＡフィールド、ＢＡ  Ｃｏｎｔｒｏｌフィールド、ＢＡ  Ｉｎｆｏｒｍａｔｉｏｎフィールド及びＦＣＳフィールドのうち、少なくともいずれか一つを含むことができる。Ｆｒａｍｅ  Ｃｏｎｔｒｏｌフィールド、Ｄｕｒａｔｉｏｎフィールド、ＲＡフィールド及びＴＡフィールドは、ＭＡＣヘッダに該当する。ＢｌｏｃｋＡｃｋフレームがＭｕｌｔｉ−ＳＴＡ  ＢｌｏｃｋＡｃｋバリアント（ｖａｒｉａｎｔ）ではないとき、無線通信端末は、ＲＡフィールドをＢｌｏｃｋＡｃｋフレームを誘導するフレームのＴＡフィールドとして設定できる。また、ＢｌｏｃｋＡｃｋフレームがＭｕｌｔｉ−ＳＴＡ  ＢｌｏｃｋＡｃｋバリアントではないとき、無線通信端末は、ＲＡフィールドをＢｌｏｃｋＡｃｋフレームでＡＣＫされるデータ／マネジメントフレームを送信した無線通信端末のアドレスとして設定できる。
【０２３８】
ＢｌｏｃｋＡｃｋフレームがＭｕｌｔｉ−ＳＴＡ  ＢｌｏｃｋＡｃｋフレームがＭｕｌｔｉ−ＳＴＡ  ＢｌｏｃｋＡｃｋバリアントであり、Ｍｕｌｔｉ−ＳＴＡ  ＢｌｏｃｋＡｃｋバリアントが含むＰｅｒ  ＳＴＡ  ＩｎｆｏサブフィールドのＡＩＤサブフィールドの値が二つ以上である場合、無線通信端末は、ＲＡフィールドをブロードキャスト（ｂｒｏａｄｃａｓｔ）アドレスとして設定できる。ＢｌｏｃｋＡｃｋフレームがＭｕｌｔｉ−ＳＴＡ  ＢｌｏｃｋＡｃｋフレームがＭｕｌｔｉ−ＳＴＡ  ＢｌｏｃｋＡｃｋバリアントであり、Ｍｕｌｔｉ−ＳＴＡ  ＢｌｏｃｋＡｃｋバリアントが含むＰｅｒ  ＳＴＡ  ＩｎｆｏサブフィールドのＡＩＤサブフィールドの値が一つである場合、無線通信端末は、ＲＡフィールドをＢｌｏｃｋＡｃｋを要請した無線通信端末のアドレスとして設定するか、またはブロードキャスト（ｂｒｏａｄｃａｓｔ）アドレスとして設定できる。ＢｌｏｃｋＡｃｋフレームがＭｕｌｔｉ−ＳＴＡ  ＢｌｏｃｋＡｃｋフレームがＭｕｌｔｉ−ＳＴＡ  ＢｌｏｃｋＡｃｋバリアントであり、Ｍｕｌｔｉ−ＳＴＡ  ＢｌｏｃｋＡｃｋバリアントが含むＰｅｒ  ＳＴＡ  ＩｎｆｏサブフィールドのＡＩＤサブフィールドの値が一つである場合、無線通信端末は、ＲＡフィールドをＢｌｏｃｋＡｃｋを要請した無線通信端末のアドレスとして設定するか、またはＢｌｏｃｋＡｃｋフレームでＡＣＫされるデータ／マネジメントフレームを送信した無線通信端末のアドレスとして設定できる。また、Ｍｕｌｔｉ−ＳＴＡ  ＢｌｏｃｋＡｃｋバリアントが含むＰｅｒ  ＳＴＡ  ＩｎｆｏサブフィールドのＡＩＤサブフィールドの値が一つである場合は、Ｍｕｌｔｉ−ＳＴＡ  ＢｌｏｃｋＡｃｋバリアントが一個のＰｅｒ  ＳＴＡ  ＩｎｆｏサブフィールドのＡＩＤサブフィールドだけを含むか、または同じ値を有するＰｅｒ  ＳＴＡ  ＩｎｆｏサブフィールドのＡＩＤサブフィールドが複数でありうる。
【０２３９】
また、ＢＡ  Ｃｏｎｔｒｏｌフィールドは、図３６のようにＢＡ  Ａｃｋ  Ｐｏｌｉｃｙサブフィールド、ＢＡ  Ｔｙｐｅサブフィールド、ＴＩＤ＿ＩＮＦＯサブフィールド及びＲｅｓｅｒｖｅｄサブフィールドのうち、少なくともいずれか一つを含むことができる。ＢＡ  Ｔｙｐｅサブフィールドは、従来のＭｕｌｔｉ−ＴＩＤサブフィールド、Ｃｏｍｐｒｅｓｓｅｄ  Ｂｉｔｍａｐサブフィールド及びＧＣＲサブフィールドのうち、少なくともいずれか一つを含むことができる。具体的にＢＡ  ＴｙｐｅのＢ１は、従来のＭｕｌｔｉ−ＴＩＤサブフィールドのとおりでありうる。また、ＢＡ  ＴｙｐｅのＢ２は、従来のＣｏｍｐｒｅｓｓｅｄ  Ｂｉｔｍａｐサブフィールドのとおりでありうる。また、ＢＡ  ＴｙｐｅのＢ３は、従来のＧＣＲサブフィールドのとおりでありうる。
【０２４０】
具体的な実施形態において無線通信端末は、ＢＡ  Ｔｙｐｅサブフィールドを使用して、このＢｌｏｃｋＡｃｋフレームがどんな種類であるかをシグナリングすることができる。無線通信端末は、ＢＡ  Ｔｙｐｅサブフィールドを予め指定された値として設定して、ＢｌｏｃｋＡｃｋフレームがＭｕｌｔｉ−ＳＴＡ  ＢｌｏｃｋＡｃｋバリアントであることを表すことができる。例えば、無線通信端末は、ＢＡ  ＴｙｐｅサブフィールドのＢ１−Ｂ４を１１０１に設定して、ＢｌｏｃｋＡｃｋフレームがＭｕｌｔｉ−ＳＴＡ  ＢｌｏｃｋＡｃｋバリアントであることを指示できる。Ｍｕｌｔｉ−ＳＴＡ  ＢｌｏｃｋＡｃｋバリアントであるＢｌｏｃｋＡｃｋフレームは、Ｍｕｌｔｉ−ＳＴＡ  ＢｌｏｃｋＡｃｋフレームと呼ばれることができる。また、無線通信端末は、ＢＡ  Ｔｙｐｅサブフィールドを使用して、ＢｌｏｃｋＡｃｋフレームがＢａｓｉｃ  ＢｌｏｃｋＡｃｋであるか、Ｃｏｍｐｒｅｓｓｅｄ  ＢｌｏｃｋＡｃｋであるか、ＧＬＫ−ＧＣＲ  ＢｌｏｃｋＡｃｋであるか、ＧＣＲ  ＢｌｏｃｋＡｃｋであるか、Ｅｘｔｅｎｄｅｄ  Ｃｏｍｐｒｅｓｓｅｄ  ＢｌｏｃｋＡｃｋであるか、Ｍｕｌｔｉ−ＴＩＤ  ＢｌｏｃｋＡｃｋであるか、またはＭｕｌｔｉ−ＳＴＡ  ＢｌｏｃｋＡｃｋであるかを表すことができる。
【０２４１】
また、ＴＩＤ＿ＩＮＦＯサブフィールドが表す情報は、ＢｌｏｃｋＡｃｋ  ｆｒａｍｅ  ｖａｒｉａｎｔ  ｔｙｐｅによって変わることができる。具体的にＴＩＤ＿ＩＮＦＯサブフィールドが表す情報は、ＢｌｏｃｋＡｃｋ  ｆｒａｍｅの種類によって変わることができる。ＢｌｏｃｋＡｃｋフレームがＭｕｌｔｉ−ＳＴＡ  ＢｌｏｃｋＡｃｋである場合、ＴＩＤ＿ＩＮＦＯサブフィールドは、リザーブドフィールドでありうる。
【０２４２】
また、ＢＡ  Ｉｎｆｏｒｍａｔｉｏｎフィールドが表す情報は、ＢｌｏｃｋＡｃｋフレームバリアントタイプによって変わることができる。具体的にＢｌｏｃｋＡｃｋフレームがＭｕｌｔｉ−ＳＴＡ  ＢｌｏｃｋＡｃｋ  ｖａｒｉａｎｔの場合に、ＢＡ  Ｉｎｆｏｒｍａｔｉｏｎフィールドは、図３７のＰｅｒ  ＳＴＡ  Ｉｎｆｏサブフィールドを１個以上含むことができる。Ｐｅｒ  ＳＴＡ  Ｉｎｆｏサブフィールドの具体的なフォーマットについては、図３７を介して具体的に説明する。本明細書においてＭＰＤＵ／フレームを受信したということは、ＭＰＤＵまたはフレームを成功的に受信したことを意味することができる。具体的に受信したＭＰＤＵ／フレームに基づいて獲得したＦＣＳ（ｆｒａｍｅ  ｃｈｅｃｋ  ｓｅｑｕｅｎｃｅ）値とＦＣＳフィールドの値とが同じである場合、無線通信端末は、ＭＰＤＵ／フレームを成功的に受信したと判断できる。
【０２４３】
図３７は、本発明の実施形態にかかるＰｅｒ  ＳＴＡ  Ｉｎｆｏサブフィールドを示す。
【０２４４】
Ｍｕｌｔｉ−ＳＴＡ  ＢｌｏｃｋＡｃｋのＢＡ  Ｉｎｆｏｒｍａｔｉｏｎフィールドは、一つ以上のＰｅｒ  ＳＴＡ  Ｉｎｆｏフィールドを含むことができる。
【０２４５】
Ｐｅｒ  ＳＴＡ  Ｉｎｆｏサブフィールドは、Ｐｅｒ  ＡＩＤ  ＴＩＤ  Ｉｎｆｏサブフィールドを含むことができる。Ｐｅｒ  ＡＩＤ  ＴＩＤ  Ｉｎｆｏサブフィールドは、ＡＩＤサブフィールド、Ａｃｋ  Ｔｙｐｅサブフィールド及びＴＩＤサブフィールドのうち、少なくともいずれか一つを含むことができる。Ｍｕｌｔｉ−ＳＴＡ  ＢｌｏｃｋＡｃｋフレームがベース無線通信端末でない無線通信端末に送信されるように意図された（ｉｎｔｅｎｄｅｄ）場合、無線通信端末は、ＡＩＤサブフィールドを該当無線通信端末のＡＩＤの１１ＬＳＢｓとして設定できる。Ｍｕｌｔｉ−ＳＴＡ  ＢｌｏｃｋＡｃｋフレームがベース無線通信端末でない無線通信端末に送信されるように意図された場合、無線通信端末は、ＡＩＤサブフィールドを該当無線通信端末のＡＩＤとして設定できる。Ｍｕｌｔｉ−ＳＴＡ  ＢｌｏｃｋＡｃｋフレームがベース無線通信端末に送信されるように意図された場合、無線通信端末は、ＡＩＤサブフィールドを０に設定できる。
【０２４６】
一つのＭｕｌｔｉ−ＳＴＡ  ＢｌｏｃｋＡｃｋフレームは、同じＡＩＤサブフィールド値を有する複数のＰｅｒ  ＳＴＡ  Ｉｎｆｏサブフィールドを含むことができる。このとき、複数のＰｅｒ  ＳＴＡ  ＩｎｆｏサブフィールドのＴＩＤサブフィールド値は、互いに異なりうる。
【０２４７】
ＴＩＤサブフィールドは、Ｐｅｒ  ＡＩＤ  ＴＩＤ  ＩｎｆｏサブフィールドがＡＣＫするフレームのＴＩＤを指示する。Ｍｕｌｔｉ−ＳＴＡ  ＢｌｏｃｋＡｃｋ  ｖａｒｉａｎｔのＰｅｒ  ＡＩＤ  ＴＩＤ  ＩｎｆｏサブフィールドがマネジメントフレームをＡＣＫする場合、無線通信端末は、ＴＩＤサブフィールドを１５に設定できる。
【０２４８】
また、Ａｃｋ  Ｔｙｐｅサブフィールドは、Ａｃｋ  Ｔｙｐｅサブフィールドに該当するＰｅｒ  ＳＴＡ  ＩｎｆｏサブフィールドでＢｌｏｃｋ  Ａｃｋ  Ｓｔａｒｔｉｎｇ  Ｓｅｑｕｅｎｃｅ  ＣｏｎｔｒｏｌサブフィールドとＢｌｏｃｋ  Ａｃｋ  Ｂｉｔｍａｐサブフィールドが存在しているかどうかを指示できる。これについては、図３８を介して具体的に説明する。
【０２４９】
図３８は、本発明の実施形態にかかるＰｅｒ  ＳＴＡ  Ｉｎｆｏサブフィールドのコンテキスト（ｃｏｎｔｅｘｔ）を示す。
【０２５０】
Ａｃｋ  Ｔｙｐｅサブフィールドが１で、Ｐｅｒ  ＡＩＤ  ＴＩＤ  ＩｎｆｏサブフィールドのＴＩＤサブフィールドの値が８より小さいか、または１５である場合、Ａｃｋ  ＴｙｐｅサブフィールドとＴＩＤサブフィールドは、Ｂｌｏｃｋ  Ａｃｋ  Ｓｔａｒｔｉｎｇ  Ｓｅｑｕｅｎｃｅ  ＣｏｎｔｒｏｌサブフィールドとＢｌｏｃｋ  Ａｃｋ  Ｂｉｔｍａｐサブフィールドは存在しないことを表すことができる。このとき、Ａｃｋ  Ｔｙｐｅフィールドに該当するＰｅｒ  ＳＴＡ  Ｉｎｆｏサブフィールドは、Ｐｅｒ  ＡＩＤ  ＴＩＤ  ＩｎｆｏサブフィールドのＴＩＤサブフィールドが指示する一つのＭＰＤＵ（ａ  ｓｉｎｇｌｅ  ＭＰＤＵ）を成功的に受信したことをＡＣＫできる。
【０２５１】
また、Ａｃｋ  Ｔｙｐｅサブフィールドが１で、Ｐｅｒ  ＡＩＤ  ＴＩＤ  ＩｎｆｏサブフィールドのＴＩＤサブフィールド値が１４である場合、Ａｃｋ  ＴｙｐｅサブフィールドとＴＩＤサブフィールドは、Ｂｌｏｃｋ  Ａｃｋ  Ｓｔａｒｔｉｎｇ  Ｓｅｑｕｅｎｃｅ  ＣｏｎｔｒｏｌサブフィールドとＢｌｏｃｋ  Ａｃｋ  Ｂｉｔｍａｐサブフィールドが存在しないことを表すことができる。このとき、Ａｃｋ  Ｔｙｐｅフィールドに該当するＰｅｒ  ＳＴＡ  Ｉｎｆｏサブフィールドは、Ｐｅｒ  ＡＩＤ  ＴＩＤ  ＩｎｆｏサブフィールドのＴＩＤサブフィールドが指示するフレームを含むＡ−ＭＰＤＵのすべてのＭＰＤＵを成功的に受信したことをＡＣＫできる。
【０２５２】
また、Ａｃｋ  Ｔｙｐｅサブフィールドが０であると、Ａｃｋ  Ｔｙｐｅサブフィールドは、Ｂｌｏｃｋ  Ａｃｋ  Ｓｔａｒｔｉｎｇ  Ｓｅｑｕｅｎｃｅ  ＣｏｎｔｒｏｌサブフィールドとＢｌｏｃｋ  Ａｃｋ  Ｂｉｔｍａｐサブフィールドが存在することを表すことができる。その他、具体的なＰｅｒ  ＳＴＡ  Ｉｎｆｏサブフィールドのコンテキストは、図３８のとおりでありうる。
【０２５３】
Ｍｕｌｔｉ−ＴＩＤ  Ａ−ＭＰＤＵを受信する無線通信端末がＭｕｌｔｉ−ＳＴＡ  ＢｌｏｃｋＡｃｋフレームを生成する具体的な方法については、図３９ないし図４０を介して説明する。説明の便宜のために、Ｍｕｌｔｉ−ＴＩＤ  Ａ−ＭＰＤＵを送信する無線通信端末をＭｕｌｔｉ−ＴＩＤ  Ａ−ＭＰＤＵ送信者と称し、Ｍｕｌｔｉ−ＴＩＤ  Ａ−ＭＰＤＵを受信する無線通信端末は、Ｍｕｌｔｉ−ＴＩＤ  Ａ−ＭＰＤＵ受信者と称する。
【０２５４】
図３９ないし図４０は、本発明の実施形態にかかるＡ−ＭＰＤＵ構成を示す。
【０２５５】
上述のように無線通信端末は、ＥＯＦサブフィールドが１でＭＰＤＵ  Ｌｅｎｇｔｈサブフィールドが０でないＭＰＤＵ  ｄｅｌｉｍｉｔｅｒフィールドを含むＡ−ＭＰＤＵサブフレームとＥＯＦサブフィールドが０で、ＭＰＤＵ  Ｌｅｎｇｔｈサブフィールドが０でないＭＰＤＵ  ｄｅｌｉｍｉｔｅｒフィールドを含むＡ−ＭＰＤＵサブフレームを混合して、Ａ−ＭＰＤＵを集合（ａｇｇｒｅｇａｔｅ）できる。また、無線通信端末は、同じＴＩＤを有するＡ−ＭＰＤＵサブフレームを不連続的に集合して、Ｍｕｌｔｉ−ＴＩＤ  Ａ−ＭＰＤＵを生成できる。ＭＰＤＵ  ｄｅｌｉｍｉｔｅｒフィールドのＥＯＦサブフィールドが１でＭＰＤＵ  Ｌｅｎｇｔｈサブフィールドが０でない場合、Ｍｕｌｔｉ−ＴＩＤ  Ａ−ＭＰＤＵ受信者は、Ｂｌｏｃｋ  Ａｃｋ  Ｓｔａｒｔｉｎｇ  Ｓｅｑｕｅｎｃｅ  ＣｏｎｔｒｏｌフィールドとＢｌｏｃｋ  Ａｃｋ  Ｂｉｔｍａｐフィールドが省略されたＰｅｒ  ＡＩＤ  ＴＩＤ  Ｉｎｆｏフィールドを使用して、ＭＰＤＵ  ｄｅｌｉｍｉｔｅｒフィールドに該当するＭＰＤＵに対してＡＣＫできる。また、ＭＰＤＵ  ｄｅｌｉｍｉｔｅｒフィールドのＥＯＦサブフィールドが０で、ＭＰＤＵ  Ｌｅｎｇｔｈサブフィールドが０でない場合、Ｍｕｌｔｉ−ＴＩＤ  Ａ−ＭＰＤＵ受信者は、Ｂｌｏｃｋ  Ａｃｋ  Ｓｔａｒｔｉｎｇ  Ｓｅｑｕｅｎｃｅ  ＣｏｎｔｒｏｌフィールドとＢｌｏｃｋ  Ａｃｋ  Ｂｉｔｍａｐフィールドを全部含むＰｅｒ  ＡＩＤ  ＴＩＤ  Ｉｎｆｏフィールドを使用して、ＭＰＤＵ  ｄｅｌｉｍｉｔｅｒフィールドに該当するＭＰＤＵに対してＡＣＫできる。効率的なＭｕｌｔｉ−ＳＴＡ  ＢｌｏｃｋＡｃｋフレーム構成のために、Ｍｕｌｔｉ−ＴＩＤ  Ａ−ＭＰＤＵ送信者がＭｕｌｔｉ−ＴＩＤ  Ａ−ＭＰＤＵを生成する時、Ｍｕｌｔｉ−ＴＩＤ  Ａ−ＭＰＤＵ送信者は、ＢｌｏｃｋＡｃｋでないＡＣＫを要請するＴＩＤに該当するＭＰＤＵの個数をＴＩＤごとに一個のＭＰＤＵに限定できる。具体的にＭｕｌｔｉ−ＴＩＤ  Ａ−ＭＰＤＵ送信者がＭｕｌｔｉ−ＴＩＤ  Ａ−ＭＰＤＵを集合する時、Ｍｕｌｔｉ−ＴＩＤ  Ａ−ＭＰＤＵ送信者は、ＥＯＦサブフィールドが１でＭＰＤＵ  Ｌｅｎｇｔｈサブフィールドが０でないＭＰＤＵ  ｄｅｌｉｍｉｔｅｒフィールドに該当するＭＰＤＵをＭｕｌｔｉ−ＴＩＤ  Ａ−ＭＰＤＵに追加した後、該当ＭＰＤＵのＴＩＤと同じＴＩＤを有するＭＰＤＵをＭｕｌｔｉ−ＴＩＤ  Ａ−ＭＰＤＵに追加しないことができる。
【０２５６】
また、いずれか一つのＡ−ＭＰＤＵサブフレームが含むＭＰＤＵがＭｕｌｔｉ−ＴＩＤ  Ａ−ＭＰＤＵに含まれたＭＰＤＵのうち、唯一に特定ＴＩＤに該当する場合、Ｍｕｌｔｉ−ＴＩＤ  Ａ−ＭＰＤＵ送信者は、Ａ−ＭＰＤＵサブフレームのＥＯＦサブフィールドを１に設定できる。いずれか一つのＡ−ＭＰＤＵサブフレームが含むＭＰＤＵがＭｕｌｔｉ−ＴＩＤ  Ａ−ＭＰＤＵに含まれたＭＰＤＵのうち、ＭＰＤＵ  Ｌｅｎｇｔｈフィールドの値が０でないながら特定ＴＩＤに該当する唯一のＭＰＤＵである場合、Ｍｕｌｔｉ−ＴＩＤ  Ａ−ＭＰＤＵ送信者は、Ａ−ＭＰＤＵサブフレームのＥＯＦサブフィールドを１に設定できる。また、いずれか一つのＡ−ＭＰＤＵサブフレームが含むＭＰＤＵがＭｕｌｔｉ−ＴＩＤ  Ａ−ＭＰＤＵに含まれたＭＰＤＵのうち、唯一に特定ＴＩＤに該当する場合でない場合、Ｍｕｌｔｉ−ＴＩＤ  Ａ−ＭＰＤＵ送信者は、Ａ−ＭＰＤＵサブフレームのＥＯＦサブフィールドを０に設定できる。いずれか一つのＡ−ＭＰＤＵサブフレームが含むＭＰＤＵがＭｕｌｔｉ−ＴＩＤ  Ａ−ＭＰＤＵに含まれたＭＰＤＵのうち、ＭＰＤＵ  Ｌｅｎｇｔｈフィールドの値が０でないながら特定ＴＩＤに該当する唯一のＭＰＤＵでない場合、Ｍｕｌｔｉ−ＴＩＤ  Ａ−ＭＰＤＵ送信者は、Ａ−ＭＰＤＵサブフレームのＥＯＦサブフィールドを０に設定できる。
【０２５７】
具体的な実施形態において、Ｍｕｌｔｉ−ＴＩＤ  Ａ−ＭＰＤＵ送信者は、Ｍｕｌｔｉ−ＴＩＤ  Ａ−ＭＰＤＵ送信のために、予め指定されたフォーマットのＰＰＤＵを使用する場合、上述の実施形態によってＥＯＦサブフィールドを設定できる。例えば、Ｍｕｌｔｉ−ＴＩＤ  Ａ−ＭＰＤＵ送信者は、Ｍｕｌｔｉ−ＴＩＤ  Ａ−ＭＰＤＵの送信のためにノン−レガシーＰＰＤＵを使用する場合、上述の実施形態によってＥＯＦサブフィールドを設定できる。このとき、ノン−レガシーＰＰＤＵは、図２８を介して説明したＰＰＤＵフォーマットを表すことができる。
【０２５８】
Ｍｕｌｔｉ−ＴＩＤ  Ａ−ＭＰＤＵ受信者は、次の通りにＭｕｌｔｉ−ＳＴＡ  ＢｌｏｃｋＡｃｋフレームを生成できる。Ｍｕｌｔｉ−ＴＩＤ  Ａ−ＭＰＤＵ受信者がＥＯＦサブフィールドが０で、ＭＰＤＵ  Ｌｅｎｇｔｈサブフィールドが０でないＭＰＤＵ  ｄｅｌｉｍｉｔｅｒフィールドに該当するＭＰＤＵを全部受信した場合、Ｍｕｌｔｉ−ＴＩＤ  Ａ−ＭＰＤＵ受信者は、Ｍｕｌｔｉ−ＴＩＤ  Ａ−ＭＰＤＵに含まれた、ＢｌｏｃｋＡｃｋを要請するすべてのＭＰＤＵを受信したと判断できる。また、Ｍｕｌｔｉ−ＴＩＤ  Ａ−ＭＰＤＵ受信者が受信していないすべてのＭＰＤＵに該当するＭＰＤＵ  ｄｅｌｉｍｉｔｅｒフィールドのＥＯＦサブフィールドが１でＭＰＤＵ  Ｌｅｎｇｔｈサブフィールドが０でない時、Ｍｕｌｔｉ−ＴＩＤ  Ａ−ＭＰＤＵ受信者は、Ｍｕｌｔｉ−ＴＩＤ  Ａ−ＭＰＤＵに含まれた、ＢｌｏｃｋＡｃｋを要請するすべてのＭＰＤＵを受信したと判断できる。Ｍｕｌｔｉ−ＴＩＤ  Ａ−ＭＰＤＵ受信者が受信していないすべてのＭＰＤＵに該当するＭＰＤＵ  ｄｅｌｉｍｉｔｅｒフィールドのＥＯＦサブフィールドが１であるとき、Ｍｕｌｔｉ−ＴＩＤ  Ａ−ＭＰＤＵ受信者は、Ｍｕｌｔｉ−ＴＩＤ  Ａ−ＭＰＤＵに含まれた、ＢｌｏｃｋＡｃｋを要請するすべてのＭＰＤＵを受信したと判断できる。
【０２５９】
Ｍｕｌｔｉ−ＴＩＤ  Ａ−ＭＰＤＵ受信者は、受信できなかったＭＰＤＵに該当するＭＰＤＵ  ｄｅｌｉｍｉｔｅｒフィールドのＥＯＦサブフィールドが１であることを次のような実施形態によって判断できる。Ａ−ＭＰＤＵにおいてＥＯＦサブフィールドが０に設定されたＡ−ＭＰＤＵサブフレームは、ＥＯＦサブフィールドが１に設定されたＡ−ＭＰＤＵサブフレームの後方に位置しないことに制限される場合、Ｍｕｌｔｉ−ＴＩＤ  Ａ−ＭＰＤＵ受信者は、受信できなかったＭＰＤＵに該当するＭＰＤＵ  ｄｅｌｉｍｉｔｅｒフィールドのＥＯＦサブフィールドが１であることを次のような実施形態によって判断できる。Ｍｕｌｔｉ−ＴＩＤ  Ａ−ＭＰＤＵ受信者がＥＯＦサブフィールドが１であるＭＰＤＵ  ｄｅｌｉｍｉｔｅｒフィールドを含むＡ−ＭＰＤＵサブフレームより後方に位置するＡ−ＭＰＤＵサブフレームに含まれたＭＰＤＵを受信していない場合、Ｍｕｌｔｉ−ＴＩＤ  Ａ−ＭＰＤＵ受信者は、ＥＯＦサブフィールドが１であるＭＰＤＵ  ｄｅｌｉｍｉｔｅｒフィールドに該当するＭＰＤＵを受信していないと判断できる。さらに他の具体的な実施形態において、Ｍｕｌｔｉ−ＴＩＤ  Ａ−ＭＰＤＵ受信者がＭＰＤＵ  ｄｅｌｉｍｉｔｅｒフィールドを受信し、ＭＰＤＵ  ｄｅｌｉｍｉｔｒフィールドに該当するＭＰＤＵを受信していない場合、Ｍｕｌｔｉ−ＴＩＤ  Ａ−ＭＰＤＵ受信者は、ＭＰＤＵ  ｄｅｌｉｍｉｔｅｒフィールドのＥＯＦサブフィールド値を確認して、Ｍｕｌｔｉ−ＴＩＤ  Ａ−ＭＰＤＵ受信者がＥＯＦサブフィールドが１であるＭＰＤＵ  ｄｅｌｉｍｉｔｅｒフィールドに該当するＭＰＤＵを受信したかどうかを判断できる。
【０２６０】
Ｍｕｌｔｉ−ＴＩＤ  Ａ−ＭＰＤＵに含まれた、ＢｌｏｃｋＡｃｋを要請するすべてのＭＰＤＵを受信したことは、ＥＯＦサブフィールドが０で、ＭＰＤＵ  Ｌｅｎｇｔｈサブフィールドが０でないＭＰＤＵ  ｄｅｌｉｍｉｔｅｒフィールドに該当するＭＰＤＵのＴＩＤを有し、Ｍｕｌｔｉ−ＴＩＤ  Ａ−ＭＰＤＵ内に含まれたすべてのＭＰＤＵを受信したことを意味できる。
【０２６１】
Ｍｕｌｔｉ−ＴＩＤ  Ａ−ＭＰＤＵ受信者がＭｕｌｔｉ−ＴＩＤ  Ａ−ＭＰＤＵに含まれた、ＢｌｏｃｋＡｃｋを要請するすべてのＭＰＤＵを受信した場合、Ｍｕｌｔｉ−ＴＩＤ  Ａ−ＭＰＤＵ受信者は、Ｍｕｌｔｉ−ＴＩＤ  Ａ−ＭＰＤＵ受信者は、ＥＯＦサブフィールドが０で、ＭＰＤＵ  Ｌｅｎｇｔｈサブフィールドが０でないＭＰＤＵ  ｄｅｌｉｍｉｔｅｒフィールドに該当するＭＰＤＵに対してＢｌｏｃｋ  Ａｃｋ  Ｓｔａｒｔｉｎｇ  Ｓｅｑｕｅｎｃｅ  ＣｏｎｔｒｏｌフィールドとＢｌｏｃｋ  Ａｃｋ  Ｂｉｔｍａｐフィールドが省略されたＰｅｒ  ＡＩＤ  ＴＩＤ  Ｉｎｆｏフィールドを使用してＡＣＫできる。具体的にＭｕｌｔｉ−ＴＩＤ  Ａ−ＭＰＤＵ受信者は、ＥＯＦサブフィールドが０で、ＭＰＤＵ  Ｌｅｎｇｔｈサブフィールドが０でないＭＰＤＵ  ｄｅｌｉｍｉｔｅｒフィールドに該当するＭＰＤＵに対してＡｃｋ  Ｔｙｐｅサブフィールドを１に設定されたＰｅｒ  ＡＩＤ  ＴＩＤ  Ｉｎｆｏフィールドを使用してＡＣＫできる。このような実施形態においてＭｕｌｔｉ−ＴＩＤ  Ａ−ＭＰＤＵ受信者は、Ｐｅｒ  ＡＩＤ  ＴＩＤ  ＩｎｆｏフィールドのＴＩＤサブフィールドを受信したＭＰＤＵのＴＩＤとして設定できる。具体的な実施形態において、Ｍｕｌｔｉ−ＴＩＤ  Ａ−ＭＰＤＵ受信者は、Ｍｕｌｔｉ−ＴＩＤ  Ａ−ＭＰＤＵ送信者にＰｅｒ  ＡＩＤ  ＴＩＤ  ＩｎｆｏフィールドのＴＩＤサブフィールドが指示するＴＩＤのＭＰＤＵを全部受信することを表し、Ｂｌｏｃｋ  Ａｃｋ  Ｓｔａｒｔｉｎｇ  Ｓｅｑｕｅｎｃｅ  ＣｏｎｔｒｏｌサブフィールドとＢｌｏｃｋ  Ａｃｋ  Ｂｉｔｍａｐサブフィールドが省略されたＰｅｒ  ＡＩＤ  ＴＩＤ  Ｉｎｆｏを含むＭｕｌｔｉ−ＳＴＡ  ＢｌｏｃｋＡｃｋフレームを送信できる。このとき、Ｐｅｒ  ＡＩＤ  ＴＩＤ  Ｉｎｆｏフィールドは、Ｐｅｒ  ＡＩＤ  ＴＩＤ  ＩｎｆｏフィールドのＴＩＤサブフィールドが指示するＴＩＤのＭＰＤＵを全部受信したことを表す指示子をさらに含むことができる。
【０２６２】
Ｍｕｌｔｉ−ＴＩＤ  Ａ−ＭＰＤＵ受信者は、Ｍｕｌｔｉ−ＴＩＤ  Ａ−ＭＰＤＵ送信者に生成したＭｕｌｔｉ−ＳＴＡ  ＢｌｏｃｋＡｃｋフレームを送信する。Ｐｅｒ  ＡＩＤ  ＴＩＤ  ＩｎｆｏフィールドのＴＩＤサブフィールドの値が０ないし７で、Ａｃｋ  Ｔｙｐｅサブフィールドの値が１である場合、Ｍｕｌｔｉ−ＴＩＤ送信者は、Ｍｕｌｔｉ−ＴＩＤ受信者がＰｅｒ  ＡＩＤ  ＴＩＤ  Ｉｎｆｏフィールドが含まれたＭｕｌｔｉ−ＳＴＡ  ＢｌｏｃｋＡｃｋフレームがＭｕｌｔｉ−ＳＴＡ  ＢｌｏｃｋＡｃｋフレームを誘導（ｓｏｌｉｃｉｔ）したＭｕｌｔｉ−ＴＩＤ  Ａ−ＭＰＤＵに含まれ、ＴＩＤサブフィールドが指示するＴＩＤに該当する単一ＭＰＤＵまたはすべてのＭＰＤＵを受信したと判断できる。
【０２６３】
図３９の実施形態において、Ｍｕｌｔｉ−ＴＩＤ  Ａ−ＭＰＤＵ受信者が受信できなかったＭＰＤＵは、全部ＥＯＦサブフィールドが１で、ＭＰＤＵ  Ｌｅｎｇｔｈサブフィールドが０でないＭＰＤＵ  ｄｅｌｉｍｉｔｅｒフィールドに該当するＭＰＤＵである。したがって、Ｍｕｌｔｉ−ＴＩＤ  Ａ−ＭＰＤＵ受信者は、ＥＯＦサブフィールドが０で、ＭＰＤＵ  Ｌｅｎｇｔｈサブフィールドが０でないＭＰＤＵ  ｄｅｌｉｍｉｔｅｒフィールドに該当するＭＰＤＵに対してＢｌｏｃｋ  Ａｃｋ  Ｓｔａｒｔｉｎｇ  Ｓｅｑｕｅｎｃｅ  ＣｏｎｔｒｏｌフィールドとＢｌｏｃｋ  Ａｃｋ  Ｂｉｔｍａｐフィールドが省略されたＰｅｒ  ＡＩＤ  ＴＩＤ  Ｉｎｆｏフィールドを使用してＡＣＫする。具体的にＭｕｌｔｉ−ＴＩＤ  Ａ−ＭＰＤＵ受信者は、Ｍｕｌｔｉ−ＴＩＤ  Ａ−ＭＰＤＵ送信者にＢｌｏｃｋ  Ａｃｋ  Ｓｔａｒｔｉｎｇ  Ｓｅｑｕｅｎｃｅ  ＣｏｎｔｒｏｌフィールドとＢｌｏｃｋ  Ａｃｋ  Ｂｉｔｍａｐフィールドが省略されたＰｅｒ  ＡＩＤ  ＴＩＤ  Ｉｎｆｏフィールドを一つ以上含むＭｕｌｔｉ−ＳＴＡ  ＢｌｏｃｋＡｃｋを送信できる。
【０２６４】
図４０の実施形態において、Ａ−ＭＰＤＵにおいてＥＯＦサブフィールドが０に設定されたＡ−ＭＰＤＵサブフレームは、ＥＯＦサブフィールドが１に設定されたＡ−ＭＰＤＵサブフレームの後方に位置しないことに制限される。Ｍｕｌｔｉ−ＴＩＤ  Ａ−ＭＰＤＵ受信者は、受信できなかったＭＰＤＵに該当するＭＰＤＵ  ｄｅｌｉｍｉｔｅｒフィールドを受信することができなかった。Ｍｕｌｔｉ−ＴＩＤ  Ａ−ＭＰＤＵ受信者は、受信できなかったＭＰＤＵ以前に位置したＭＰＤＵに該当するＭＰＤＵ  ｄｅｌｉｍｉｔｅｒフィールドのＥＯＦサブフィールド値が１であるから、受信できなかったＭＰＤＵ  ｄｅｌｉｍｉｔｅｒフィールドのＥＯＦサブフィールドの値が１であると判断できる。したがって、Ｍｕｌｔｉ−ＴＩＤ  Ａ−ＭＰＤＵ受信者は、Ｍｕｌｔｉ−ＴＩＤ  Ａ−ＭＰＤＵ受信者がＥＯＦサブフィールドが０で、ＭＰＤＵ  Ｌｅｎｇｔｈサブフィールドが０でないＭＰＤＵ  ｄｅｌｉｍｉｔｅｒフィールドに該当するすべてのＭＰＤＵを受信したと判断できる。Ｍｕｌｔｉ−ＴＩＤ  Ａ−ＭＰＤＵ受信者は、ＥＯＦサブフィールドが０で、ＭＰＤＵ  Ｌｅｎｇｔｈサブフィールドが０でないＭＰＤＵ  ｄｅｌｉｍｉｔｅｒフィールドに該当するＭＰＤＵに対してＢｌｏｃｋ  Ａｃｋ  Ｓｔａｒｔｉｎｇ  Ｓｅｑｕｅｎｃｅ  ＣｏｎｔｒｏｌフィールドとＢｌｏｃｋ  Ａｃｋ  Ｂｉｔｍａｐフィールドが省略されたＰｅｒ  ＡＩＤ  ＴＩＤ  Ｉｎｆｏフィールドを使用してＡＣＫする。具体的にＭｕｌｔｉ−ＴＩＤ  Ａ−ＭＰＤＵ受信者は、Ｍｕｌｔｉ−ＴＩＤ  Ａ−ＭＰＤＵ送信者にＢｌｏｃｋ  Ａｃｋ  Ｓｔａｒｔｉｎｇ  Ｓｅｑｕｅｎｃｅ  ＣｏｎｔｒｏｌフィールドとＢｌｏｃｋ  Ａｃｋ  Ｂｉｔｍａｐフィールドが省略されたＰｅｒ  ＡＩＤ  ＴＩＤ  Ｉｎｆｏフィールドを一つ以上含むＭｕｌｔｉ−ＳＴＡ  ＢｌｏｃｋＡｃｋを送信できる。
【０２６５】
図４１は、本発明の実施形態にかかる無線通信端末の動作を示す。
【０２６６】
無線通信端末は、ランダムアクセスをトリガーするトリガーフレームを受信する（Ｓ４１０１）。無線通信端末は、トリガーフレームに基づいて、ランダムアクセスを行う（Ｓ４１０３）。このとき、無線通信端末は、上述のＯＢＯ手順に従ってランダムアクセスを行うことができる。具体的に無線通信端末は、図６ないし図２６を介して説明した実施形態にランダムアクセスを行うことができる。
【０２６７】
無線通信端末は、０からＯＦＤＭＡコンテンションウィンドウ（ＯＦＤＭＡ  ｃｏｎｔｅｎｔｉｏｎ  ｗｉｎｄｏｗ、ＯＣＷ）と同じであるか、または小さな範囲内で選択した整数をランダムアクセスのためのカウンタとして設定できる。このとき、ランダムアクセスのためのカウンタは、上述のＯＢＯカウンタでありうる。無線通信端末が初めてランダムアクセスを試みるか、または無線通信端末がベース無線通信端末がシグナリングするＯＢＯ関連パラメータを受信するか、または無線通信端末がランダムアクセスを介した送信に成功した時、無線通信端末は、ＯＢＯ手順を初期化できる。ＯＢＯ手順の初期化は、ランダムアクセスのためのカウンタの初期化とＯＣＷの初期化のうち、少なくともいずれか一つを含むことができる。また、無線通信端末がＯＣＷを初期化する時、無線通信端末は、ＯＣＷをＯＣＷｍｉｎとして設定できる。無線通信端末のランダムアクセスを介した送信に失敗した場合、無線通信端末は、ＯＣＷの値を（２ｘＯＣＷ＋１）にアップデートできる。このとき、無線通信端末は、アップデートされたＯＣＷ内で任意の整数を選択し、選択した整数をランダムアクセスのためのカウンタとして設定する。また、ＯＣＷの値がＯＣＷｍａｘに到達した場合、無線通信端末のランダムアクセスを介した送信に失敗した場合にも、無線通信端末は、ＯＣＷをＯＣＷｍａｘに維持できる。
【０２６８】
トリガーフレームは、ランダムアクセスに割り当てられた一つ以上のＲＵを使用するランダムアクセスを指示できる。具体的にトリガーフレームは、ランダムアクセスに割り当てられた一つ以上のＲＵを指示できる。このとき、無線通信端末は、ランダムアクセスに割り当てられた一つ以上のＲＵに基づいて、ランダムアクセスのためのカウンタの値を減らすことができる。トリガーフレームが無線通信端末の上向き送信を指示する場合、無線通信端末は、トリガーフレームに基づいて、前記カウンタの値を減らさなくても良い。無線通信端末の具体的な動作は、図２６を介して説明した実施形態と同一でありうる。
【０２６９】
このとき、ＲＵは、上述のように上向き送信及び下向き送信に使用されることができる複数のサブキャリアをグルーピングしたことである。
【０２７０】
無線通信端末は、ランダムアクセスに割り当てられた一つ以上のＲＵと無線通信端末の能力に基づいて、ランダムアクセスのためのカウンタの値を減らすことができる。ランダムアクセスのためのカウンタの値が０であるか、または０になったとき、無線通信端末は、ランダムアクセスに割り当てられた一つ以上のＲＵを任意に選択できる。
【０２７１】
無線通信端末は、無線通信端末の能力（ｃａｐａｂｉｌｉｔｙ）に応じてランダムアクセス動作を行うことができる。このような場合、無線通信端末は、次のように動作できる。
【０２７２】
無線通信端末は、ランダムアクセスに割り当てられた一つ以上のＲＵのうち、無線通信端末が無線通信端末の能力に応じてトリガー基盤ＰＰＤＵを送信できるＲＵの個数分だけランダムアクセスのためのカウンタの値を減らすことができる。無線通信端末の能力は、無線通信端末が送信できる帯域幅に関する能力を含むことができる。また、無線通信端末の能力は、前記トリガー基盤ＰＰＤＵに含まれるパディングフィールドの長さに関する能力を含むことができる。また、無線通信端末の能力は、無線通信端末が送信できるモジュレーション及びコーディングスキームに関する能力を含むことができる。無線通信端末の能力は、ＤＣＭ（Ｄｕａｌ  ｃａｒｒｉｅｒ  Ｍｏｄｕｌａｔｉｏｎ）、空間ストリーム（ｓｐａｔｉａｌ  ｓｔｒｅａｍ個数）個数、ＧＩ（Ｇｕａｒｄ  Ｉｎｔｅｒｖａｌ）の長さ、ＬＴＦ（Ｌｏｎｇ  Ｔｒａｉｎｉｎｇ  Ｆｉｅｌｄ）タイプ、ＳＴＢＣ（ｓｐａｃｅ−ｔｉｍｅ  ｂｌｏｃｋ  ｃｏｄｉｎｇ）及び送信パワーのうち、少なくともいずれか一つと関連した無線通信端末の能力を含むことができる。
【０２７３】
また、ランダムアクセスのためのカウンタの値が０であるか、または０になったとき、無線通信端末は、ランダムアクセスに割り当てられ、無線通信端末が無線通信端末の能力に応じてトリガー基盤ＰＰＤＵを送信できるＲＵのうち、いずれか一つを任意に選択できる。ランダムアクセスに割り当てられた一つ以上のＲＵのうち、無線通信端末がトリガー基盤ＰＰＤＵを送信できるＲＵがない場合、無線通信端末は、ランダムアクセスのためのカウンタを０に維持できる。無線通信端末の能力と関連した動作は、図１４ないし図２１を介して実施形態での無線通信端末と同じでありうる。
【０２７４】
無線通信端末は、トリガーフレームを送信したベース無線通信端末と結合されない無線通信端末でありうる。このような場合、無線通信端末は、次のように動作できる。
【０２７５】
無線通信端末は、ＯＣＷの最小値を表すパラメータであるＯＣＷ最小値をＯＣＷ最小値のデフォルト値として予め指定された値に設定し、ＯＣＷの最大値を表すパラメータであるＯＣＷ最大値を前記ＯＣＷ最大値のデフォルト値として予め指定された値に設定できる。このとき、ＯＣＷ最小値のデフォルト値として予め指定された値とＯＣＷ最大値のデフォルト値として予め指定された値は、ベース無線通信端末により指定される値でないことができる。ＯＣＷ最小値は、上述のＯＣＷｍｉｎでありうる。また、ＯＣＷ最大値は、上述のＯＣＷｍａｘでありうる。
【０２７６】
無線通信端末がトリガーフレームを送信したベース無線通信端末と異なるベース無線通信端末と通信する時、無線通信端末は、他の無線通信端末に対するランダムアクセスのためのパラメータを初期化できる。ランダムアクセスのためのパラメータは、ランダムアクセスのためのカウンタ、ＯＣＷ最小値及び前記ＯＣＷの最大値を表すパラメータであるＯＣＷ最大値を含むことができる。無線通信端末がトリガーフレームを送信したベース無線通信端末と通信する場合、無線通信端末は、トリガーフレームを送信したベース無線通信端末から受信した情報に応じてＯＣＷ最小値とＯＣＷ最大値を設定し、無線通信端末が他のベース無線通信端末と通信する場合、ＯＣＷ最小値とＯＣＷ最大値を他のベース無線通信端末から受信した情報に応じて設定できる。このとき、無線通信端末がトリガーフレームを送信したベース無線通信端末またはベース無線通信端末から受信する情報は、ＯＢＯパラメータに関する情報でありうる。具体的に上述のＵＯＲＡパラメータセットエレメントでありうる。無線通信端末は、ベース無線通信端末別にＯＢＯ関連パラメータ及びＯＢＯ手順を維持できる。具体的な実施形態において無線通信端末は、ベース無線通信端末別にＯＢＯ関連パラメータを設定できる。具体的に無線通信端末は、各ベース無線通信端末から受信したＯＢＯ関連パラメータに関する情報に基づいて、各ベース無線通信端末別にＯＢＯ関連パラメータを設定できる。ベース無線通信端末と結合されない無線通信端末の具体的な動作は、図２１ないし図２５を介して説明した実施形態の通りでありうる。
【０２７７】
無線通信端末は、トリガーフレームを送信したベース無線通信端末と結合された無線通信端末でありうる。また、トリガーフレームを送信したベース無線通信端末は、多重ＢＳＳＩＤセットに属することができる。このような場合、無線通信端末は、次のように動作できる。
【０２７８】
トリガーフレームを送信したベース無線通信端末が属する多重ＢＳＳＩＤセットに属する他のベース無線通信端末から受信した情報に応じて、ＯＣＷ最小値とＯＣＷ最大値を設定できる。このとき、他のベース無線通信端末は、多重ＢＳＳＩＤセットのトランスミッティド（ｔｒａｎｓｍｉｔｔｅｄ）ＢＳＳＩＤに該当するＢＳＳを運営するベース無線通信端末でありうる。また、無線通信端末は、他のベース無線通信端末から送信されたトリガーフレームに基づいて、前記カウンタ値を減らさなくても良い。他のベース無線通信端末は、多重ＢＳＳＩＤセットのトランスミッティド（ｔｒａｎｓｍｉｔｔｅｄ）ＢＳＳＩＤに該当するＢＳＳを運営するベース無線通信端末でありうる。他のベース無線通信端末から受信した情報は、無線通信端末が含まれるＢＳＳのみのために割り当てられたシグナリングフィールドに指示される情報でなくても良い。具体的に無線通信端末が含まれるＢＳＳのみのために割り当てられたシグナリングフィールドは、上述のノントランスミッティドプロファイルを表すことができる。このとき、情報は、上述のＵＯＲＡパラメータセットエレメントでありうる。多重ＢＳＳＩＤセットが使用される場合、無線通信端末の具体的な動作は、図１１ないし図１３を介して説明した実施形態の通りでありうる。
【０２７９】
無線通信端末は、選択されたＲＵを使用して、前記ベース無線通信端末に対する送信を試みることができる。このとき、無線通信端末は、選択したＲＵがアイドルであるかどうかを判断し、選択したＲＵがアイドル（ｉｄｌｅ）である場合に選択したＲＵを介してベース無線通信端末にベース無線通信端末に対して保留中である（ｐｅｎｄｉｎｇ）フレームを送信できる。また、無線通信端末が該当ＲＵが物理的キャリア感知（ｐｈｙｓｉｃａｌ  ｃａｒｒｉｅｒ  ｓｅｎｓｅ）と仮想キャリア感知（ｖｉｒｔｕａｌ  ｃａｒｒｉｅｒ  ｓｅｎｓｅ）のうち、いずれか一つでも使用中（ｂｕｓｙ）であると判断した場合、無線通信端末は、該当ＲＵが使用中であると判断できる。物理的キャリア感知は、ＣＣＡ（Ｃｌｅａｒ  Ｃｈａｎｎｅｌ  Ａｓｓｅｓｍｅｎｔ）を含むことができる。無線通信端末が選択したＲＵが使用中であると判断した場合、無線通信端末は、ベース無線通信に対して保留中であるフレームを送信せずに、ＯＢＯカウンタを０に維持できる。
【０２８０】
上記のように、無線LAN通信を例に挙げて、本発明を説明したが、本発明はこれに限定せず、携帯電話通信などの他の通信システムでも同様に適用することができる。また、本発明の方法、デバイス、およびシステムは、特定の実施例に関連して説明されたが、本発明の構成要素、動作の一部または全部は、汎用ハードウェアアーキテクチャを有するコンピュータシステムを使用して実装することができる。
【０２８１】
これまで実施例に説明された特徴、構造、効果などは、本発明の少なくとも一つの実施例に含まれるが、必ずしも一つの実施例にのみ限定されない。なお、各実施例に例示されている特徴、構造、効果などは、実施例の属する分野の通常の知識を有する者によって他の実施例についても組み合わせられるかまたは変形されて実施されてもよい。よって、このような組み合わせと変形に関する内容は、本発明の範囲に含まれると解釈すべきである。
【０２８２】
これまで実施例を中心に説明したが、これは単なる例示であって本発明を限定するものではなく、本発明の属する分野の通常の知識を有する者であれば、本実施例の本質的な特性を逸脱しない範囲内で前記に例示されていない様々な変形と応用が可能であることを理解できるはずである。例えば、実施例に具体的に示した各構成要素は変形して実施されてもよいものである。そして、このような変形と応用に関する差は、添付した特許請求の範囲で規定する本発明の範囲に含まれると解釈すべきである。
【図１】
2020188510.tif 000003
【図２】
2020188510.tif 000004
【図３】
2020188510.tif 000005
【図４】
2020188510.tif 000006
【図５】
2020188510.tif 000007
【図６】
2020188510.tif 000008
【図７】
2020188510.tif 000009
【図８】
2020188510.tif 000010
【図９】
2020188510.tif 000011
【図１０】
2020188510.tif 000012
【図１１】
2020188510.tif 000013
【図１２】
2020188510.tif 000014
【図１３】
2020188510.tif 000015
【図１４】
2020188510.tif 000016
【図１５】
2020188510.tif 000017
【図１６】
2020188510.tif 000018
【図１７】
2020188510.tif 000019
【図１８】
2020188510.tif 000020
【図１９】
2020188510.tif 000021
【図２０】
2020188510.tif 000022
【図２１】
2020188510.tif 000023
【図２２】
2020188510.tif 000024
【図２３】
2020188510.tif 000025
【図２４】
2020188510.tif 000026
【図２５】
2020188510.tif 000027
【図２６】
2020188510.tif 000028
【図２７】
2020188510.tif 000029
【図２８】
2020188510.tif 000030
【図２９】
2020188510.tif 000031
【図３０】
2020188510.tif 000032
【図３１】
2020188510.tif 000033
【図３２】
2020188510.tif 000034
【図３３】
2020188510.tif 000035
【図３４】
2020188510.tif 000036
【図３５】
2020188510.tif 000037
【図３６】
2020188510.tif 000038
【図３７】
2020188510.tif 000039
【図３８】
2020188510.tif 000040
【図３９】
2020188510.tif 000041
【図４０】
2020188510.tif 000042
【図４１】
2020188510.tif 000043
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
ベース無線通信端末と無線で通信する無線通信端末であって、前記無線通信端末は、
送受信部と、
プロセッサと
を含み、
前記プロセッサは、
前記無線通信端末が、多重ＢＳＳＩＤセットのノントランスミッティドＢａｓｉｃ  Ｓｅｒｖｉｃｅ  Ｓｅｔ  Ｉｄｅｎｔｉｆｉｃａｔｉｏｎ（ＢＳＳＩＤ）に該当するＢＳＳに結合される場合、前記多重ＢＳＳＩＤセットのトランスミッティドＢＳＳＩＤに該当するＢＳＳからのＵＬ  ＯＦＤＭＡ−ｂａｓｅｄ  Ｒａｎｄｏｍ  Ａｃｃｅｓｓ（ＵＯＲＡ）パラメータセットエレメントに応じて、ＯＦＤＭＡコンテンションウィンドウ（ＯＣＷ）の最小値を表すパラメータであるＯＣＷ最小値と、前記ＯＣＷの最大値を表すパラメータであるＯＣＷ最大値とを設定するように構成され、前記ＵＯＲＡパラメータセットは、カウンタに関連するパラメータを含み、
前記プロセッサは、
０から前記ＯＣＷと同じであるか、または小さな値までの範囲から選択された整数をランダムアクセスのためのカウンタとして設定し、
前記送受信部を使用して、前記ベース無線通信端末からランダムアクセスに割り当てられた一つ以上の資源単位（ＲＵ）を使用するランダムアクセスをトリガーするトリガーフレームを受信し、
前記ランダムアクセスに割り当てられた一つ以上のＲＵに基づいて、前記カウンタの値を減らし、
前記カウンタの値が０であるか、または０になったとき、前記ベース無線通信端末に対する送信を試みる
ように構成され、
前記ＲＵは、上向き送信及び下向き送信に使用されることができる複数のサブキャリアのグループである、
無線通信端末。
【請求項２】
前記プロセッサは、前記多重ＢＳＳＩＤセットの前記トランスミッティドＢＳＳＩＤに該当する前記ＢＳＳから送信されたトリガーフレームに基づいて、前記カウンタの前記値を減らさないように構成される、
請求項１に記載の無線通信端末。
【請求項３】
前記トランスミッティドＢＳＳＩＤに該当する前記ＢＳＳから受信された前記ＵＯＲＡパラメータセットは、前記無線通信端末を含むＢＳＳに割り当てられたシグナリングフィールドにおいて指示されるＵＯＲＡパラメータセットでない
請求項２に記載の無線通信端末。
【請求項４】
前記無線通信端末が、前記ベース無線通信端末と結合されない無線通信端末である場合、
前記プロセッサは、
前記ＯＣＷ最小値を前記ＯＣＷ最小値のデフォルト値として予め指定された値に設定し、
前記ＯＣＷ最大値を前記ＯＣＷ最大値のデフォルト値として予め指定された値に設定する
ように構成され、
前記ＯＣＷ最小値の前記デフォルト値として予め指定された前記値と前記ＯＣＷ最大値の前記デフォルト値として予め指定された前記値とは、前記ベース無線通信端末により指定される値でない
請求項１に記載の無線通信端末。
【請求項５】
前記無線通信端末が、前記ベース無線通信端末と結合されない無線通信端末であり、前記無線通信端末が、前記ベース無線通信端末とは異なった異なるベース無線通信端末と通信する場合、前記プロセッサは、前記異なるベース無線通信端末へのランダムアクセスのためのパラメータを初期化するように構成され、
前記ランダムアクセスのためのパラメータは、前記カウンタ、前記ＯＣＷ最小値及び前記ＯＣＷ最大値を含む、
請求項１に記載の無線通信端末。
【請求項６】
前記無線通信端末が、前記ベース無線通信端末と結合されない無線通信端末である場合、前記プロセッサは、
前記無線通信端末が前記ベース無線通信端末と通信する場合、前記ベース無線通信端末から受信された情報に応じて、前記ＯＣＷ最小値と前記ＯＣＷ最大値とを設定し、
前記無線通信端末が前記異なるベース無線通信端末と通信する場合、前記異なるベース無線通信端末から受信された情報に応じて、前記ＯＣＷ最小値と前記ＯＣＷ最大値とを設定する
ように構成される、
請求項５に記載の無線通信端末。
【請求項７】
ベース無線通信端末と無線で通信する無線通信端末の動作方法であって、前記方法は、
前記無線通信端末が、多重ＢＳＳＩＤセットのノントランスミッティドＢａｓｉｃ  Ｓｅｒｖｉｃｅ  Ｓｅｔ  Ｉｄｅｎｔｉｆｉｃａｔｉｏｎ（ＢＳＳＩＤ）に該当するＢＳＳに結合される場合、前記多重ＢＳＳＩＤセットのトランスミッティドＢＳＳＩＤに該当するＢＳＳからのＵＬ  ＯＦＤＭＡ−ｂａｓｅｄ  Ｒａｎｄｏｍ  Ａｃｃｅｓｓ（ＵＯＲＡ）パラメータセットエレメントに応じて、ＯＦＤＭＡコンテンションウィンドウ（ＯＣＷ）の最小値を表すパラメータであるＯＣＷ最小値と、前記ＯＣＷの最大値を表すパラメータであるＯＣＷ最大値とを設定するステップであって、前記ＵＯＲＡパラメータセットは、カウンタに関連するパラメータを含む、ステップと、
０から前記ＯＣＷと同じであるか、または小さな値までの範囲から選択された整数をランダムアクセスのためのカウンタとして設定するステップと、
送受信部を使用して、前記ベース無線通信端末からランダムアクセスに割り当てられた一つ以上の資源単位（ＲＵ）を使用するランダムアクセスをトリガーするトリガーフレームを受信するステップと、
前記ランダムアクセスに割り当てられた一つ以上のＲＵに基づいて、前記カウンタの値を減らすステップと、
前記カウンタの値が０であるか、または０になったとき、前記ベース無線通信端末に対する送信を試みるステップと
を含み、
前記ＲＵは、上向き送信及び下向き送信に使用されることができる複数のサブキャリアのグループである、
動作方法。
【請求項８】
前記ランダムアクセスに割り当てられた一つ以上のＲＵに基づいて、前記カウンタの値を減らすステップは、前記多重ＢＳＳＩＤセットの前記トランスミッティドＢＳＳＩＤに該当する前記ＢＳＳから送信されたトリガーフレームに基づいて、前記カウンタの前記値を減らさないステップを含む、
請求項７に記載の方法。
【請求項９】
前記トランスミッティドＢＳＳＩＤに該当する前記ＢＳＳから受信された前記ＵＯＲＡパラメータセットは、前記無線通信端末を含むＢＳＳに割り当てられたシグナリングフィールドにおいて指示されるＵＯＲＡパラメータセットでない
請求項８に記載の方法。
【請求項１０】
前記無線通信端末が、前記ベース無線通信端末と結合されない無線通信端末である場合、前記方法は、
前記ＯＣＷ最小値を前記ＯＣＷ最小値のデフォルト値として予め指定された値に設定するステップと、
前記ＯＣＷ最大値を前記ＯＣＷ最大値のデフォルト値として予め指定された値に設定するステップと
を更に含み、
前記ＯＣＷ最小値の前記デフォルト値として予め指定された前記値と前記ＯＣＷ最大値の前記デフォルト値として予め指定された前記値とは、前記ベース無線通信端末により指定される値でない、
請求項７に記載の方法。
【請求項１１】
前記無線通信端末が、前記ベース無線通信端末と結合されない無線通信端末であり、前記無線通信端末が、前記ベース無線通信端末とは異なった異なるベース無線通信端末と通信する場合、前記方法は、
前記異なるベース無線通信端末へのランダムアクセスのためのパラメータを初期化するステップ
を更に含み、
前記ランダムアクセスのための前記パラメータは、前記カウンタ、前記ＯＣＷ最小値及び前記ＯＣＷ最大値を含む、
請求項７に記載の方法。
【請求項１２】
前記無線通信端末が、前記ベース無線通信端末と結合されない無線通信端末である場合、前記方法は、
前記無線通信端末が前記ベース無線通信端末と通信する場合、前記ベース無線通信端末から受信された情報に応じて、前記ＯＣＷ最小値と前記ＯＣＷ最大値とを設定するステップと、
前記無線通信端末が前記異なるベース無線通信端末と通信する場合、前記異なるベース無線通信端末から受信された情報に応じて、前記ＯＣＷ最小値と前記ＯＣＷ最大値とを設定するステップと
を更に含む、
請求項１１に記載の方法。